(57)【要約】【課題】商品を平面視において縦及び横方向に配列した場合の一方の方向における収納空間を小さくすることができる整列具で、該整列具により商品を整列させた状態において、商品が整列具により整列されている状態を目視により確認することができる整列具を提供する。【解決手段】整列具５は、上板部１２、１６と下板部１４、１８とを有する本体部１０と、上板部１２と下板部１４とから連設された突状部２０−１〜２０−９と、上板部１６と下板部１８とから連設された突状部３０−１等とを有し、隣接する突状部間には、切欠部Ｗ１が設けられている。各突状部は、幅狭部２０Ａと幅広部２０Ｂとを有し、切欠部Ｗ１は、幅広隙間部Ｗ１Ａと幅狭隙間部Ｗ１Ｂとを有している。切欠部Ｗ１に商品の端部を配置することにより突状部２０−１〜２０−９により商品が整列した状態が保持される。【選択図】図１
2018184179.tif 000002
【特許請求の範囲】
【請求項１】
包装箱に収納された商品を整列した状態で保持するための商品整列具であって、
第１板部（１４）と、
第１板部の辺部（１４ａ）から第１折れ線（Ｃ４０）を介して連設された第２板部（１８）と、
第１板部における第２板部側の辺部とは反対側の辺部（１４ｂ）から第１折れ線と平行な第２折れ線（Ｃ２２）を介して連設された複数の第１突状部からなる第１突状部群（２０−１〜２０−９）と、
第２板部における第１板部側の辺部とは反対側の辺部（１８ｂ）から第１折れ線と平行な第３折れ線（Ｃ３２）を介して連設された複数の第２突状部からなる第２突状部群（３０−１〜３０−９）と、
第１突状部群における各第１突状部から第２折れ線と平行な第４折れ線（Ｃ２１）を介して連設された第３板部（１２）と、
第２突状部群における各第２突状部から第３折れ線と平行な第５折れ線（Ｃ３１）を介して連設された第４板部（１６）と、
第４板部の第２突状部群とは反対側の辺部（１６ａ）から第５折れ線と平行な第６折れ線（Ｃ１９）を介して連設された糊代部で、第３板部に接着された糊代部（１９）と、
を有し、
商品整列具が、シート状のブランクにより形成され、
第１突状部群における各第１突状部は、第１板部から第２折れ線を介して連設された第１突状板部（２０−１Ｂ〜２０−９Ｂ）と、第３板部から第４折れ線を介して連設されるとともに、第１突状板部から第２折れ線と平行な第７折れ線（Ｃ２０）を介して連設された第２突状板部（２０−１Ａ〜２０−９Ａ）とを有し、各第１突状部は、第７折れ線を介して二つ折りの状態であり、複数の第１突状部における少なくとも１つの第１突状部においては、第１突状板部と第２突状板部とが接着されており、隣接する第１突状部間には、第１切欠部（Ｗ１）が設けられ、
第２突状部群における各第２突状部は、第２板部から第３折れ線を介して連設された第３突状板部（３０−１Ｂ〜３０−９Ｂ）と、第４板部から第５折れ線を介して連設されるとともに、第２突状板部から第３折れ線を平行な第８折れ線（Ｃ３０）を介して連設された第４突状板部（３０−１Ａ〜３０−９Ａ）とを有し、各第２突状部は、第８折れ線を介して二つ折りの状態であり、複数の第２突状部における少なくとも１つの第２突状部においては、第３突状板部と第４突状板部とが接着されており、隣接する第２突状部間には、第２切欠部（Ｗ２）が設けられ、
第１折れ線と第２折れ線間の長さ（Ｌ１４）と、第１折れ線と第３折れ線間の長さ（Ｌ１８）と、第５折れ線と第６折れ線間の長さ（Ｌ１６）とは同一に形成され、
商品整列具を畳んだ状態では、第１板部と第３板部とが対向するとともに、第２板部と第４板部とが対向した状態で扁平状を呈し、
商品整列具を組み立てた状態では、第１板部と第２板部とが対向するとともに、第３板部と第４板部とが対向し、第１突状部群における各第１突状部は、第１板部及び第３板部に対して略直角となり、第２突状部群における各第２突状部は、第２板部及び第４板部に対して略直角となり、
商品整列具を組み立てた状態では、各第１切欠部内に商品の端部を配置することにより、第１突状部により商品が複数の第１突状部の配設方向に沿って整列した状態が保持され、各第２切欠部内に商品の端部を配置することにより、第２突状部により商品が複数の第２突状部の配設方向に沿って整列した状態が保持されることを特徴とする商品整列具。
【請求項２】
第１突状板部が、第１板部から第２折れ線を介して連設された第１基端領域（２３Ａ）と、第１基端領域の先端から連設された第１先端領域（２３Ｂ）とを有し、第１先端領域は、第１基端領域に対して突出する第１突出部で、第１突状部群において隣接する第１突状部における第１突状板部の第１先端領域側に突出した第１突出部（２３Ｂ−１、２３Ｂ−２）を有するとともに、第２突状板部が、第３板部から第４折れ線を介して連設された第２基端領域（２２Ａ）と、第２基端領域の先端から連設された第２先端領域（２２Ｂ）とを有し、第２先端領域は、第２基端領域に対して突出する第２突出部で、第１突状部群において隣接する第１突状部における第２突状板部の第２先端領域側に突出した第２突出部（２２Ｂ−１、２２Ｂ−２）を有し、第１突状部は、第１基端領域と第２基端領域からなる第１突状部基端部（２０Ａ）と、第１先端領域と第２先端領域からなる第１突状部先端部（２０Ｂ）とを有し、
第１切欠部は、隣接する第１突状部における第１突状部基端部間の領域である第１幅広隙間部（Ｗ１Ａ）と、隣接する第１突状部における第１突状部先端部間の領域である第１幅狭隙間部（Ｗ１Ｂ）とを有し、
第３突状板部が、第２板部から第３折れ線を介して連設された第３基端領域（３３Ａ）と、第２基端領域の先端から連設された第３先端領域（３３Ｂ）とを有し、第３先端領域は、第３基端領域に対して突出する第３突出部で、第２突状部群において隣接する第２突状部における第３突状板部の第３先端領域側に突出した第３突出部（３３Ｂ−１、３３Ｂ−２）を有するとともに、第４突状板部が、第４板部から第５折れ線を介して連設された第４基端領域（３２Ａ）と、第４基端領域の先端から連設された第４先端領域（３２Ｂ）とを有し、第４先端領域は、第４基端領域に対して突出する第４突出部で、第２突状部群において隣接する第２突状部における第４突状板部の第４先端領域側に突出した第４突出部（３２Ｂ−１、３２Ｂ−２）を有し、第２突状部は、第３基端領域と第４基端領域からなる第２突状部基端部（３０Ａ）と、第３先端領域と第４先端領域からなる第２突状部先端部（３０Ｂ）とを有し、
第２切欠部は、隣接する第２突状部における第２突状部基端部間の領域である第２幅広隙間部（Ｗ２Ａ）と、隣接する第２突状部における第２突状部先端部間の領域である第２幅狭隙間部（Ｗ１Ｂ）とを有することを特徴とする請求項１に記載の商品整列具。
【請求項３】
包装箱に収納された商品を整列した状態で保持するための商品整列具であって、
一対の平行な辺部を有する第１板部（１１４）と、
第１板部の一対の平行な辺部における一方の辺部（１１４ｂ）から第１折れ線（Ｃ１２２）を介して連設された複数の突状部からなる突状部群（１２０−１〜１２０−７）と、
突状部群における複数の突状部から第１折れ線と平行な第２折れ線（Ｃ１２１）を介して連設された第２板部（１１２）と、
を有し、
商品整列具が、シート状のブランクにより形成され、
突状部群における各突状部は、第１板部から第１折れ線を介して連設された第１突状板部（１２０−１Ｂ〜１２０−７Ｂ）と、第２板部から第２折れ線を介して連設されるとともに、第１突状板部から第１折れ線と平行な第３折れ線（Ｃ１２０）を介して連設された第２突状板部（１２０−１Ａ〜１２０−７Ａ）とを有し、各突状部は、第３折れ線を介して二つ折りの状態であり、複数の突状部における少なくとも１つの突状部においては、第１突状板部と第２突状板部とが接着されており、隣接する突状部間には、切欠部（Ｗ１）が設けられ、
商品整列具を畳んだ状態では、第１板部と第２板部が対向して第２板部が第１板部に対して閉じた状態であり、
商品整列具を組み立てた状態では、第２板部が第１板部に対して開いた状態であり、突状部群における各突状部は、第１板部及び第２板部に対して略直角となり、
商品整列具を組み立てた状態で、各切欠部内に商品の端部を配置することにより、突状部により商品が複数の突状部の配設方向に沿って整列した状態が保持されることを特徴とする商品整列具。
【請求項４】
第１突状板部が、第１板部から第１折れ線を介して連設された第１基端領域（１２３Ａ）と、第１基端領域の先端から連設された第１先端領域（１２３Ｂ）とを有し、第１先端領域は、第１基端領域に対して突出する第１突出部で、突状部群において隣接する突状部における第１突状板部の第１先端領域側に突出した第１突出部（１２３Ｂ−１、１２３Ｂ−２）を有するとともに、第２突状板部が、第２板部から第２折れ線を介して連設された第２基端領域（１２２Ａ）と、第２基端領域の先端から連設された第２先端領域（１２２Ｂ）とを有し、第２先端領域は、第２基端領域に対して突出する第２突出部で、突状部群において隣接する突状部における第２突状板部の第２先端領域側に突出した第２突出部（１２２Ｂ−１、１２２Ｂ−２）を有し、突状部は、第１基端領域と第２基端領域からなる突状部基端部（１２０Ａ）と、第１先端領域と第２先端領域からなる突状部先端部（１２０Ｂ）とを有し、
切欠部は、隣接する突状部における突状部基端部間の領域である幅広隙間部（Ｗ１Ａ）と、隣接する突状部における突状部先端部間の領域である幅狭隙間部（Ｗ１Ｂ）とを有することを特徴とする請求項３に記載の商品整列具。
【請求項５】
収納された商品を整列した状態で保持するための包装箱であって、
包装箱本体（２０６）と、
包装箱本体から連設された整列具（３００）とを有し、
包装箱本体は、正面部（２１０）と右側面部（２２０）と左側面部（２３０）と背面部（２４０）を有する周壁部と、該周壁部の底面を塞ぐ底面部（２５０）とを有する本体部（２０７）と、背面部の上辺から連設された蓋部（２７０）と、蓋部の先端から連設された蓋フラップ（２７２）とを有し、
整列具は、
正面部の上辺から第１折れ線（Ｃ２１０）を介して連設された連結部（３１２）と、
連結部の第１折れ線とは反対側の辺部から第１折れ線と平行な第２折れ線（Ｃ３２１）を介して連設された複数の突状部からなる突状部群（３２０−１〜３２０−７）と、
突状部群における各突状部から第２折れ線と平行な折れ線（Ｃ３２２）を介して連設された先端部（３１４）と、
を有し、連結部における第１折れ線と第２折れ線間の長さが正面部の上辺と下辺間の長さよりも短く形成され、
包装箱がシート状のブランクにより形成され、
突状部群における各突状部は、連結部から第２折れ線を介して連設された第１突状板部（３２０−１Ａ〜３２０−７Ａ）と、先端部から第２折れ線と平行な該折れ線を介して連設されるとともに、第１突状板部から第２折れ線と平行な第３折れ線（Ｃ３２０）を介して連設された第２突状板部（３２０−１Ｂ〜３２０−７Ｂ）とを有し、各突状部は、第３折れ線を介して二つ折りの状態であり、複数の突状部における少なくとも１つの突状部においては、第１突状板部と第２突状板部とが接着されており、隣接する突状部間には、切欠部（Ｗ１）が設けられ、
包装箱本体における本体部内に商品を収納されるとともに、連結部が正面部の内側の面に沿った状態で、各切欠部内に商品の端部を配置することにより、突状部により商品が複数の突状部の配設方向に沿って整列した状態が保持されることを特徴とする包装箱。
【請求項６】
収納された商品を整列した状態で保持するための包装箱であって、
包装箱本体（２０６）と、
包装箱本体から連設された整列具（３００）とを有し、
包装箱本体は、正面部（２１０）と右側面部（２２０）と左側面部（２３０）と背面部（２４０）を有する周壁部と、該周壁部の底面を塞ぐ底面部（２５０）とを有する本体部（２０７）と、背面部の上辺から連設された蓋部（２７０）と、蓋部の先端から連設された蓋フラップ（２７２）とを有し、
整列具は、
正面部の上辺から第１折れ線（Ｃ２１０）を介して連設された連結部（３１２）と、
連結部の第１折れ線とは反対側の辺部から第１折れ線と平行な第２折れ線（Ｃ３２１）を介して連設された複数の突状部からなる突状部群（３２０−１〜３２０−７）と、
を有し、連結部における第１折れ線と第２折れ線間の長さが正面部の上辺と下辺間の長さよりも短く形成され、
包装箱がシート状のブランクにより形成され、
突状部群における各突状部は、連結部から第２折れ線を介して連設された第１突状板部（３２０−１Ａ〜３２０−７Ａ）と、第１突状板部から第２折れ線と平行な第３折れ線（Ｃ３２０）を介して連設された第２突状板部（３２０−１Ｂ〜３２０−７Ｂ）とを有し、各突状部は、第３折れ線を介して二つ折りの状態であり、複数の突状部における各突状部においては、第１突状板部と第２突状板部とが接着されており、隣接する突状部間には、切欠部（Ｗ１）が設けられ、
包装箱本体における本体部内に商品を収納されるとともに、連結部が正面部の内側の面に沿った状態で、各切欠部内に商品の端部を配置することにより、突状部により商品が複数の突状部の配設方向に沿って整列した状態が保持されることを特徴とする包装箱。
【請求項７】
第１突状板部が、連結部から第２折れ線を介して連設された第１基端領域（３２２Ａ）と、第１基端領域の先端から連設された第１先端領域（３２２Ｂ）とを有し、第１先端領域は、第１基端領域に対して突出する第１突出部で、突状部群において隣接する突状部における第１突状板部の第１先端領域側に突出した第１突出部（３２２Ｂ−１、３２２Ｂ−２）を有するとともに、第２突状板部が、第１先端領域から第３折れ線を介して連設された第２先端領域（３２３Ｂ）と、第２先端領域の第１先端領域とは反対側から連設された第２基端領域（３２３Ａ）とを有し、第２先端領域は、第２基端領域に対して突出する第２突出部で、突状部群において隣接する突状部における第２突状板部の第２先端領域側に突出した第２突出部（３２３Ｂ−１、３２３Ｂ−２）を有し、突状部は、第１基端領域と第２基端領域からなる突状部基端部（３２０Ａ）と、第１先端領域と第２先端領域からなる突状部先端部（３２０Ｂ）とを有し、
切欠部は、隣接する突状部における突状部基端部間の領域である幅広隙間部（Ｗ１Ａ）と、隣接する突状部における突状部先端部間の領域である幅狭隙間部（Ｗ１Ｂ）とを有することを特徴とする請求項５又は６に記載の商品整列具。
【請求項８】
連結部には、第１折れ線と平行な折曲げ用の罫線が形成されていることを特徴とする請求項５又は６又は７に記載の包装箱。
【発明の詳細な説明】
【技術分野】
【０００１】
本発明は、包装箱内に並べられた商品を整列させる整列具に関するものである。
【背景技術】
【０００２】
従来より、包装箱内に並べられた商品を整列した状態とする整列具として、特許文献１に記載の仕切板が存在する。
【０００３】
すなわち、特許文献１の仕切板１１は、１枚の厚紙を２つ折りにして形成される２枚の板部１３，１３にそれぞれ横長手方向に７等分する位置に折曲線１５ａ〜１５ｆを設け、３本の折曲線１５ａ〜１５ｃおよび１５ｄ〜１５ｆで形成される隣り合う部分１３ｄ、１３ｅおよび１３ｆ、１３ｇの上端において２枚の板部１３，１３間に切り溝１６を設け、前記３本の折曲線１５ａ〜１５ｃおよび１５ｄ〜１５ｆで形成される隣り合う部分１３ｄ，１３ｅおよび１３ｆ，１３ｇの内面同志が互いに重合するように構成した仕切板である。
【０００４】
この特許文献１の仕切板では、図４２に示すように、部分１３ｄ、１３ｅ、１３ｆ、１３ｇが中央部１３ａ、端部１３ｂ、１３ｃに対して直角をなして、平面視において十字状を呈し、部分１３ｄ、１３ｅ、１３ｆ、１３ｇと中央部１３ａ、端部１３ｂ、１３ｃにより区画される空間に商品（壜６）が収納される。
【０００５】
また、段ボール箱と箱内に並べられた商品を整列させる整列具が一体化されたものとして、特許文献２に記載の段ボール箱が存在する。
【０００６】
特許文献２の段ボール箱においては、特許文献２の図９、図１０に示すように、箱の蓋フラップ１２２から繋ぎ部１４４を介して整列具としての底面１４６が設けられるとともに、蓋フラップ１２６から繋ぎ部１５０を介して整列具としての底面１５２が設けられている。
【先行技術文献】
【特許文献】
【０００７】
【特許文献１】実開平５−１０２２７号公報
【特許文献２】特開２０１０−８３５３２号公報
【発明の概要】
【発明が解決しようとする課題】
【０００８】
しかし、特許文献１の仕切板においては、商品の配列状態における一方の方向である長手方向（図４２におけるＸ方向）に配置された商品（例えば、商品が３×２個に配列された場合には、３個の商品）間にも部分１３ｄ、１３ｅや部分１３ｆ、１３ｇが配置されるので、段ボール箱１４において、該長手方向に該部分の厚み分収納空間が必要になる。
【０００９】
特に、商品の横幅（商品の配列状態における長手方向の幅）が商品の上端部分よりも下端部分が大きい場合にも、特許文献１の仕切板の下端が商品の下端位置となるため、該長手方向に該部分の厚み分収納空間が必要になる。
【００１０】
つまり、仕切板がＸ方向に長くなると、その分、Ｙ方向に伸びた部分の数が多くなり、Ｘ方向に必要な収納空間が大きくなってしまう。
【００１１】
なお、特許文献１の仕切板では、商品及び仕切板が収納された状態では、商品及び仕切板の上方から商品の整列状態が仕切板により保持されていることを目視により確認することができる。
【００１２】
また、特許文献２の段ボール箱においては、収納される商品としてのペットボトルの首部に底面１４６の溝部１４８や底面１５２の溝部１５４が嵌合し、商品と商品の間に仕切板が介在しないので、仕切板の厚み分収納空間が大きくなることはないが、その一方で、溝部１４８、１５４がペットボトルの首部に嵌合した状態では、蓋フラップ１２２、１２６により商品の上側が覆われてしまうので、溝部１４８、１５４が首部に嵌合した状態を確認することができず、商品が底面１４６、１４８（つまり、整列具）により整列されている状態を目視により確認することができない。
【００１３】
そこで、本発明は、商品を平面視において縦及び横方向に配列した場合の一方の方向における収納空間を小さくすることができ、特に、商品の該一方の方向の幅が商品の上端部分よりも下端部分が大きい場合に、該一方の方向における収納空間を小さくすることができる整列具で、該整列具により商品を整列させた状態において、商品が整列具により整列されている状態を目視により確認することができる整列具を提供することを目的とするものである。
【課題を解決するための手段】
【００１４】
本発明は上記問題点を解決するために創作されたものであって、第１には、包装箱に収納された商品を整列した状態で保持するための商品整列具であって、第１板部（１４）と、第１板部の辺部（１４ａ）から第１折れ線（Ｃ４０）を介して連設された第２板部（１８）と、第１板部における第２板部側の辺部とは反対側の辺部（１４ｂ）から第１折れ線と平行な第２折れ線（Ｃ２２）を介して連設された複数の第１突状部からなる第１突状部群（２０−１〜２０−９）と、第２板部における第１板部側の辺部とは反対側の辺部（１８ｂ）から第１折れ線と平行な第３折れ線（Ｃ３２）を介して連設された複数の第２突状部からなる第２突状部群（３０−１〜３０−９）と、第１突状部群における各第１突状部から第２折れ線と平行な第４折れ線（Ｃ２１）を介して連設された第３板部（１２）と、第２突状部群における各第２突状部から第３折れ線と平行な第５折れ線（Ｃ３１）を介して連設された第４板部（１６）と、第４板部の第２突状部群とは反対側の辺部（１６ａ）から第５折れ線と平行な第６折れ線（Ｃ１９）を介して連設された糊代部で、第３板部に接着された（「第３板部の第１突状部群側とは反対側の端部領域に接着された」としてもよい）糊代部（１９）と、を有し、商品整列具が、シート状のブランクにより形成され、第１突状部群における各第１突状部は、第１板部から第２折れ線を介して連設された第１突状板部（２０−１Ｂ〜２０−９Ｂ）と、第３板部から第４折れ線を介して連設されるとともに、第１突状板部から第２折れ線と平行な第７折れ線（Ｃ２０）を介して連設された第２突状板部（２０−１Ａ〜２０−９Ａ）とを有し、各第１突状部は、第７折れ線を介して二つ折りの状態であり、複数の第１突状部における少なくとも１つの第１突状部においては、第１突状板部と第２突状板部とが接着されており、隣接する第１突状部間には、第１切欠部（Ｗ１）が設けられ、第２突状部群における各第２突状部は、第２板部から第３折れ線を介して連設された第３突状板部（３０−１Ｂ〜３０−９Ｂ）と、第４板部から第５折れ線を介して連設されるとともに、第２突状板部から第３折れ線を平行な第８折れ線（Ｃ３０）を介して連設された第４突状板部（３０−１Ａ〜３０−９Ａ）とを有し、各第２突状部は、第８折れ線を介して二つ折りの状態であり、複数の第２突状部における少なくとも１つの第２突状部においては、第３突状板部と第４突状板部とが接着されており、隣接する第２突状部間には、第２切欠部（Ｗ２）が設けられ、第１折れ線と第２折れ線間の長さ（Ｌ１４）と、第１折れ線と第３折れ線間の長さ（Ｌ１８）と、第５折れ線と第６折れ線間の長さ（Ｌ１６）とは同一に形成され、商品整列具を畳んだ状態では、第１板部と第３板部とが対向するとともに、第２板部と第４板部とが対向した状態で扁平状を呈し、商品整列具を組み立てた状態では、第１板部と第２板部とが対向するとともに、第３板部と第４板部とが対向し、第１突状部群における各第１突状部は、第１板部及び第３板部に対して略直角となり、第２突状部群における各第２突状部は、第２板部及び第４板部に対して略直角となり、商品整列具を組み立てた状態では、各第１切欠部内に商品の端部を配置することにより、第１突状部により商品が複数の第１突状部の配設方向に沿って整列した状態が保持され、各第２切欠部内に商品の端部を配置することにより、第２突状部により商品が複数の第２突状部の配設方向に沿って整列した状態が保持されることを特徴とする。
【００１５】
第１の構成の商品整列具によれば、商品整列具を組み立てた状態では、各第１切欠部内に商品の端部を配置することにより、第１突状部により商品が複数の第１突状部の配設方向に沿って整列した状態が保持され、各第２切欠部内に商品の端部を配置することにより、第２突状部により商品が複数の第２突状部の配設方向に沿って整列した状態が保持されるので、商品を第１突状部の配設方向や第２突状部の配設方向に隙間なく収納することができ、該配設方向における収納空間を小さくすることができ、商品の該配設方向の幅が商品の上端部分よりも下端部分が大きい場合に、該配設方向における収納空間を小さくすることができる。
【００１６】
また、商品の上方が整列具により覆われることがないので、商品が整列具により整列されている状態を目視により確認することができる。
【００１７】
また、第２には、上記第１の構成において、第１突状板部が、第１板部から第２折れ線を介して連設された第１基端領域（２３Ａ）と、第１基端領域の先端から連設された第１先端領域（２３Ｂ）とを有し、第１先端領域は、第１基端領域に対して突出する第１突出部で、第１突状部群において隣接する第１突状部における第１突状板部の第１先端領域側に突出した第１突出部（２３Ｂ−１、２３Ｂ−２）を有するとともに、第２突状板部が、第３板部から第４折れ線を介して連設された第２基端領域（２２Ａ）と、第２基端領域の先端から連設された第２先端領域（２２Ｂ）とを有し、第２先端領域は、第２基端領域に対して突出する第２突出部で、第１突状部群において隣接する第１突状部における第２突状板部の第２先端領域側に突出した第２突出部（２２Ｂ−１、２２Ｂ−２）を有し、第１突状部は、第１基端領域と第２基端領域からなる第１突状部基端部（２０Ａ）と、第１先端領域と第２先端領域からなる第１突状部先端部（２０Ｂ）とを有し、第１切欠部は、隣接する第１突状部における第１突状部基端部間の領域である第１幅広隙間部（Ｗ１Ａ）と、隣接する第１突状部における第１突状部先端部間の領域である第１幅狭隙間部（Ｗ１Ｂ）とを有し、第３突状板部が、第２板部から第３折れ線を介して連設された第３基端領域（３３Ａ）と、第２基端領域の先端から連設された第３先端領域（３３Ｂ）とを有し、第３先端領域は、第３基端領域に対して突出する第３突出部で、第２突状部群において隣接する第２突状部における第３突状板部の第３先端領域側に突出した第３突出部（３３Ｂ−１、３３Ｂ−２）を有するとともに、第４突状板部が、第４板部から第５折れ線を介して連設された第４基端領域（３２Ａ）と、第４基端領域の先端から連設された第４先端領域（３２Ｂ）とを有し、第４先端領域は、第４基端領域に対して突出する第４突出部で、第２突状部群において隣接する第２突状部における第４突状板部の第４先端領域側に突出した第４突出部（３２Ｂ−１、３２Ｂ−２）を有し、第２突状部は、第３基端領域と第４基端領域からなる第２突状部基端部（３０Ａ）と、第３先端領域と第４先端領域からなる第２突状部先端部（３０Ｂ）とを有し、第２切欠部は、隣接する第２突状部における第２突状部基端部間の領域である第２幅広隙間部（Ｗ２Ａ）と、隣接する第２突状部における第２突状部先端部間の領域である第２幅狭隙間部（Ｗ１Ｂ）とを有することを特徴とする。
【００１８】
第２の構成の商品整列具によれば、第１幅広隙間部における第１幅狭隙間部よりも突出した部分である突状隙間部が設けられるので、該突状隙間部に商品の端部が入り込むことにより、商品を十分保持することができる。
【００１９】
また、第３には、包装箱に収納された商品を整列した状態で保持するための商品整列具であって、一対の平行な辺部を有する第１板部（１１４）と、第１板部の一対の平行な辺部における一方の辺部（１１４ｂ）から第１折れ線（Ｃ１２２）を介して連設された複数の突状部からなる突状部群（１２０−１〜１２０−７）と、突状部群における複数の突状部から第１折れ線と平行な第２折れ線（Ｃ１２１）を介して連設された第２板部（１１２）と、を有し、商品整列具が、シート状のブランクにより形成され、突状部群における各突状部は、第１板部から第１折れ線を介して連設された第１突状板部（１２０−１Ｂ〜１２０−７Ｂ）と、第２板部から第２折れ線を介して連設されるとともに、第１突状板部から第１折れ線と平行な第３折れ線（Ｃ１２０）を介して連設された第２突状板部（１２０−１Ａ〜１２０−７Ａ）とを有し、各突状部は、第３折れ線を介して二つ折りの状態であり、複数の突状部における少なくとも１つの突状部においては、第１突状板部と第２突状板部とが接着されており、隣接する突状部間には、切欠部（Ｗ１）が設けられ、商品整列具を畳んだ状態では、第１板部と第２板部が対向して第２板部が第１板部に対して閉じた状態であり、商品整列具を組み立てた状態では、第２板部が第１板部に対して開いた状態であり、突状部群における各突状部は、第１板部及び第２板部に対して略直角となり、商品整列具を組み立てた状態で、各切欠部内に商品の端部を配置することにより、突状部により商品が複数の突状部の配設方向に沿って整列した状態が保持されることを特徴とする。
【００２０】
第３の構成の商品整列具によれば、商品整列具を組み立てた状態では、第２板部が第１板部に対して開いた状態であり、突状部群における各突状部は、第１板部及び第２板部に対して略直角となり、各切欠部内に商品の端部を配置することにより、突状部により商品が複数の突状部の配設方向に沿って整列した状態が保持されるので、商品を突状部の配設方向に隙間なく収納することができ、該配設方向における収納空間を小さくすることができ、商品の該配設方向の幅が商品の上端部分よりも下端部分が大きい場合に、該配設方向における収納空間を小さくすることができる。
【００２１】
また、商品の上方が整列具により覆われることがないので、商品が整列具により整列されている状態を目視により確認することができる。
【００２２】
また、第４には、上記第３の構成において、第１突状板部が、第１板部から第１折れ線を介して連設された第１基端領域（１２３Ａ）と、第１基端領域の先端から連設された第１先端領域（１２３Ｂ）とを有し、第１先端領域は、第１基端領域に対して突出する第１突出部で、突状部群において隣接する突状部における第１突状板部の第１先端領域側に突出した第１突出部（１２３Ｂ−１、１２３Ｂ−２）を有するとともに、第２突状板部が、第２板部から第２折れ線を介して連設された第２基端領域（１２２Ａ）と、第２基端領域の先端から連設された第２先端領域（１２２Ｂ）とを有し、第２先端領域は、第２基端領域に対して突出する第２突出部で、突状部群において隣接する突状部における第２突状板部の第２先端領域側に突出した第２突出部（１２２Ｂ−１、１２２Ｂ−２）を有し、突状部は、第１基端領域と第２基端領域からなる突状部基端部（１２０Ａ）と、第１先端領域と第２先端領域からなる突状部先端部（１２０Ｂ）とを有し、切欠部は、隣接する突状部における突状部基端部間の領域である幅広隙間部（Ｗ１Ａ）と、隣接する突状部における突状部先端部間の領域である幅狭隙間部（Ｗ１Ｂ）とを有することを特徴とする。
【００２３】
第４の構成の商品整列具によれば、第１幅広隙間部における第１幅狭隙間部よりも突出した部分である突状隙間部が設けられるので、該突状隙間部に商品の端部が入り込むことにより、商品を十分保持することができる。
【００２４】
また、第５には、収納された商品を整列した状態で保持するための包装箱であって、包装箱本体（２０６）と、包装箱本体から連設された整列具（３００）とを有し、包装箱本体は、正面部（２１０）と右側面部（２２０）と左側面部（２３０）と背面部（２４０）を有する周壁部と、該周壁部の底面を塞ぐ底面部（２５０）とを有する本体部（２０７）と、背面部の上辺から連設された蓋部（２７０）と、蓋部の先端から連設された蓋フラップ（２７２）とを有し、整列具は、正面部の上辺から第１折れ線（Ｃ２１０）を介して連設された連結部（３１２）と、連結部の第１折れ線とは反対側の辺部から第１折れ線と平行な第２折れ線（Ｃ３２１）を介して連設された複数の突状部からなる突状部群（３２０−１〜３２０−７）と、突状部群における各突状部から第２折れ線と平行な折れ線（Ｃ３２２）を介して連設された先端部（３１４）と、を有し、連結部における第１折れ線と第２折れ線間の長さが正面部の上辺と下辺間の長さよりも短く形成され、包装箱がシート状のブランクにより形成され、突状部群における各突状部は、連結部から第２折れ線を介して連設された第１突状板部（３２０−１Ａ〜３２０−７Ａ）と、先端部から第２折れ線と平行な該折れ線を介して連設されるとともに、第１突状板部から第２折れ線と平行な第３折れ線（Ｃ３２０）を介して連設された第２突状板部（３２０−１Ｂ〜３２０−７Ｂ）とを有し、各突状部は、第３折れ線を介して二つ折りの状態であり、複数の突状部における少なくとも１つの突状部においては、第１突状板部と第２突状板部とが接着されており、隣接する突状部間には、切欠部（Ｗ１）が設けられ、包装箱本体における本体部内に商品を収納されるとともに、連結部が正面部の内側の面に沿った状態で、各切欠部内に商品の端部を配置することにより、突状部により商品が複数の突状部の配設方向に沿って整列した状態が保持されることを特徴とする。
【００２５】
第５の構成の包装箱によれば、連結部が正面部の内側の面に沿った状態で、各切欠部内に商品の端部を配置することにより、突状部により商品が複数の突状部の配設方向に沿って整列した状態が保持されるので、商品を突状部の配設方向に隙間なく収納することができ、該配設方向における収納空間を小さくすることができ、商品の該配設方向の幅が商品の上端部分よりも下端部分が大きい場合に、該配設方向における収納空間を小さくすることができる。
【００２６】
また、商品の上方が整列具により覆われることがないので、商品が整列具により整列されている状態を目視により確認することができる。
【００２７】
また、第６には、収納された商品を整列した状態で保持するための包装箱であって、包装箱本体（２０６）と、包装箱本体から連設された整列具（３００）とを有し、包装箱本体は、正面部（２１０）と右側面部（２２０）と左側面部（２３０）と背面部（２４０）を有する周壁部と、該周壁部の底面を塞ぐ底面部（２５０）とを有する本体部（２０７）と、背面部の上辺から連設された蓋部（２７０）と、蓋部の先端から連設された蓋フラップ（２７２）とを有し、整列具は、正面部の上辺から第１折れ線（Ｃ２１０）を介して連設された連結部（３１２）と、連結部の第１折れ線とは反対側の辺部から第１折れ線と平行な第２折れ線（Ｃ３２１）を介して連設された複数の突状部からなる突状部群（３２０−１〜３２０−７）と、を有し、連結部における第１折れ線と第２折れ線間の長さが正面部の上辺と下辺間の長さよりも短く形成され、包装箱がシート状のブランクにより形成され、突状部群における各突状部は、連結部から第２折れ線を介して連設された第１突状板部（３２０−１Ａ〜３２０−７Ａ）と、第１突状板部から第２折れ線と平行な第３折れ線（Ｃ３２０）を介して連設された第２突状板部（３２０−１Ｂ〜３２０−７Ｂ）とを有し、各突状部は、第３折れ線を介して二つ折りの状態であり、複数の突状部における各突状部においては、第１突状板部と第２突状板部とが接着されており、隣接する突状部間には、切欠部（Ｗ１）が設けられ、包装箱本体における本体部内に商品を収納されるとともに、連結部が正面部の内側の面に沿った状態で、各切欠部内に商品の端部を配置することにより、突状部により商品が複数の突状部の配設方向に沿って整列した状態が保持されることを特徴とする。
【００２８】
第６の構成の包装箱によれば、連結部が正面部の内側の面に沿った状態で、各切欠部内に商品の端部を配置することにより、突状部により商品が複数の突状部の配設方向に沿って整列した状態が保持されるので、商品を突状部の配設方向に隙間なく収納することができ、該配設方向における収納空間を小さくすることができ、商品の該配設方向の幅が商品の上端部分よりも下端部分が大きい場合に、該配設方向における収納空間を小さくすることができる。
【００２９】
また、商品の上方が整列具により覆われることがないので、商品が整列具により整列されている状態を目視により確認することができる。
【００３０】
また、第７には、上記第５又は第６の構成において、第１突状板部が、連結部から第２折れ線を介して連設された第１基端領域（３２２Ａ）と、第１基端領域の先端から連設された第１先端領域（３２２Ｂ）とを有し、第１先端領域は、第１基端領域に対して突出する第１突出部で、突状部群において隣接する突状部における第１突状板部の第１先端領域側に突出した第１突出部（３２２Ｂ−１、３２２Ｂ−２）を有するとともに、第２突状板部が、第１先端領域から第３折れ線を介して連設された第２先端領域（３２３Ｂ）と、第２先端領域の第１先端領域とは反対側から連設された第２基端領域（３２３Ａ）とを有し、第２先端領域は、第２基端領域に対して突出する第２突出部で、突状部群において隣接する突状部における第２突状板部の第２先端領域側に突出した第２突出部（３２３Ｂ−１、３２３Ｂ−２）を有し、突状部は、第１基端領域と第２基端領域からなる突状部基端部（３２０Ａ）と、第１先端領域と第２先端領域からなる突状部先端部（３２０Ｂ）とを有し、切欠部は、隣接する突状部における突状部基端部間の領域である幅広隙間部（Ｗ１Ａ）と、隣接する突状部における突状部先端部間の領域である幅狭隙間部（Ｗ１Ｂ）とを有することを特徴とする。
【００３１】
第７の構成の商品整列具によれば、第１幅広隙間部における第１幅狭隙間部よりも突出した部分である突状隙間部が設けられるので、該突状隙間部に商品の端部が入り込むことにより、商品を十分保持することができる。
【００３２】
また、第８には、上記第５から第７までのいずれかの構成において、連結部には、第１折れ線と平行な折曲げ用の罫線が形成されていることを特徴とする。
【００３３】
よって、連結部が正面部の内側の面に沿った状態としつつ、突状部を商品４００に係止させる作業を容易とすることができる。
【００３４】
なお、第９の構成として以下の構成としてもよい。すなわち、上記第５の構成において、連結部には、第１折れ線と平行な複数の折曲げ用の罫線（Ｃ３１２ａ、Ｃ３１２ｂ）が形成され、先端部は、先端部と第２突状板部間の折れ線（Ｃ３２２）と平行な先端辺（３１４ａ）を有し、該複数の罫線において第２折れ線に最も近い位置の罫線（Ｃ３１２ｂ）と第２折れ線間の長さ（Ｌ３１２ｃ）が、先端部と第２突状板部間の折れ線と先端辺間の長さ（Ｌ３１４）よりも長く形成されていることを特徴とするものとしてもよい。これにより、連結部を第２折れ線に最も近い位置の罫線を介して折り曲げるのに支障となることがない。
【発明の効果】
【００３５】
本発明に基づく商品整列具及び包装箱によれば、突状部により商品が複数の突状部の配設方向に沿って整列した状態が保持されるので、商品を突状部の配設方向に隙間なく収納することができ、該配設方向における収納空間を小さくすることができ、商品の該配設方向の幅が商品の上端部分よりも下端部分が大きい場合に、該配設方向における収納空間を小さくすることができる。また、商品の上方が整列具により覆われることがないので、商品が整列具により整列されている状態を目視により確認することができる。
【図面の簡単な説明】
【００３６】
【図１】整列具の斜視図である（実施例１）。
【図２】整列具の斜視図である（実施例１）。
【図３】整列具を畳んだ状態の平面図である（実施例１）。
【図４】整列具を畳んだ状態の底面図である（実施例１）。
【図５】整列具の展開図である（実施例１）。
【図６】図５の要部説明図である。
【図７】図５の要部説明図である。
【図８】図５の要部拡大図である。
【図９】図５の要部拡大図である。
【図１０】図５の要部拡大図である。
【図１１】図５の要部拡大図である。
【図１２】整列具の応用例を示す展開図である（実施例１）。
【図１３】整列具の使用状態を示す斜視図である（実施例１）。
【図１４】整列具の使用状態を示す平面図である（実施例１）。
【図１５】整列具の使用状態を示す斜視図である（実施例１）。
【図１６】整列具の使用状態を示す斜視図である（実施例１）。
【図１７】整列具に使用する包装箱を示す斜視図である（実施例１）。
【図１８】整列具に使用する商品の例を示す斜視図であり、（ａ）は前方斜視図であり、（ｂ）は後方斜視図である（実施例１）。
【図１９】商品を包装箱に収納した状態を示す斜視図である（実施例１）。
【図２０】図１９の状態から整列具を収納した状態を示す斜視図である（実施例１）。
【図２１】図２０において包装箱を除いた状態を示す斜視図である。
【図２２】図２１における平面図である。
【図２３】整列具の斜視図である（実施例２）。
【図２４】整列具を畳んだ状態の平面図である（実施例２）。
【図２５】整列具の展開図である（実施例２）。
【図２６】図２５の要部拡大図である。
【図２７】図２５の要部拡大図である。
【図２８】整列具の使用状態を示す斜視図である（実施例２）。
【図２９】整列具に使用する包装箱を示す斜視図である（実施例２）。
【図３０】商品を包装箱に収納した状態を示す斜視図である（実施例２）。
【図３１】図３０の状態から整列具を収納した状態を示す斜視図である（実施例１）。
【図３２】図３１において包装箱を除いた状態を示す斜視図である。
【図３３】図３２における平面図である。
【図３４】包装箱を示す斜視図である（実施例３）。
【図３５】包装箱の展開図である（実施例３）。
【図３６】図３５の要部拡大図である。
【図３７】図３５の要部拡大図である。
【図３８】商品を包装箱に収納した状態を示す斜視図である（実施例３）。
【図３９】包装箱の使用状態を示す斜視図である。
【図４０】包装箱の使用状態を示す斜視図である。
【図４１】包装箱の使用状態を示す斜視図である。
【図４２】特許文献１の仕切板を段ボールに収納した状態を示す平面図である。
【発明を実施するための形態】
【００３７】
本発明においては、商品を平面視において縦及び横方向に配列した場合の一方の方向における収納空間を小さくすることができ、特に、商品の該一方の方向の幅が商品の上端部分よりも下端部分が大きい場合に、該一方の方向における収納空間を小さくすることができる整列具で、該整列具により商品を整列させた状態において、商品が整列具により整列されている状態を目視により確認することができる整列具を提供するという目的を以下のようにして実現した。
【実施例１】
【００３８】
本発明の実施例１に基づく整列具（商品整列具）（仕切り具としてもよい）５は、箱体内の商品を整列させるための整列具であり、図１〜図１１に示すように構成され、整列具５は、本体部１０と、本体部１０から連設された突状部２０−１〜２０−９及び突状部３０−１〜３０−９を有している。整列具５は、全体に１枚のシート状のブランク（具体的には、段ボール製（例えば、薄型段ボール製）のブランクであり、厚紙製のブランク等の他の紙製のブランクでもよい）により形成されている。つまり、整列具５は、段ボール材（特に、両面段ボール材）等の紙製の整列具である。段ボールにおける断面略波形形状の中芯の段の方向は、図５における円内に示す方向となっていて、折れ線Ｃ４０の方向に対して直角の方向となっている（なお、段ボールにおける中芯の段の方向はこれには限られない）。
【００３９】
ここで、本体部１０は、上板部１２と、下板部１４と、上板部１６と、下板部１８と、糊代部１９を有している。
【００４０】
上板部（第３板部）１２は、横長の略長方形状を呈し、突状部２０−１〜２０−９における突状板部２０−１Ａ〜２０−９Ａから折れ線を介して連設されている。すなわち、上板部１２は、長方形状における突状板部２０−１Ａ〜２０−９Ａ側の辺部（長手辺）１２ｂとは反対側の辺部（長手辺）１２ａに三角形状の切欠部を設けた形状を呈している。
【００４１】
また、下板部（第１板部）１４は、横長の略長方形状を呈し、突状部２０−１〜２０−９における突状板部２０−１Ｂ〜２０−９Ｂから折れ線を介して連設されているとともに、下板部１８の突状板部３０−１Ｂ〜３０−９Ｂ側の辺部１８ｂとは反対側の辺部１８ａから折れ線（第１折れ線）Ｃ４０を介して連設されている。すなわち、下板部１４は、長方形状における突状板部２０−１Ｂ〜２０−９Ｂ側の辺部（長手辺）１４ｂとは反対側の辺部（長手辺）１４ａにおける両側の角部に切欠部Ｋ１１、Ｋ２１を設けた形状を呈している。この切欠部Ｋ１１、Ｋ２１は、円弧状を呈し、四分の一円形における円弧状を呈している。
【００４２】
また、上板部（第４板部）１６は、横長の長方形状を呈し、突状部３０−１〜３０−９における突状板部３０−１Ａ〜３０−９Ａから折れ線を介して連設されているとともに、糊代部１９から折れ線（第６折れ線）Ｃ１９を介して連設されている。
【００４３】
また、下板部（第２板部）１８は、横長の略長方形状を呈し、突状部３０−１〜３０−９における突状板部３０−１Ｂ〜３０−９Ｂから折れ線を介して連設されているとともに、下板部１４の突状板部２０−１Ｂ〜２０−９Ｂ側の辺部１４ｂとは反対側の辺部１４ａから折れ線Ｃ４０を介して連設されている。すなわち、下板部１８は、長方形状における突状板部３０−１Ｂ〜３０−９Ｂ側の辺部（長手辺）１８ｂとは反対側の辺部（長手辺）１８ａにおける両側の角部に切欠部Ｋ１２、Ｋ２２を設けた形状を呈している。この切欠部Ｋ１２、Ｋ２２は、円弧状を呈し、四分の一円形における円弧状を呈している。
【００４４】
また、糊代部１９は、上板部１６の突状板部３０−１Ａ〜３０−９Ａ側とは反対側の辺部１６ａから折れ線を介して連設され、帯状の台形形状を呈している。糊代部１９は、上板部１２の内側の面（突状板部２０−１Ａ〜２０−９Ａ側とは反対側の端部領域（辺部１２ａ側の端部領域）における内側の面）に接着されている。なお、糊代部１９を上板部１２の外側に面（該端部領域における外側の面）に接着してもよい。整列具５を組み立てた状態では、切欠部Ｋ１１と切欠部Ｋ１２により切欠部Ｋ１０が形成され、同様に、切欠部Ｋ１２と切欠部Ｋ２２により切欠部Ｋ２０が形成される（図１参照）。
【００４５】
ここで、上板部１２の短手方向の長さＬ１２と、下板部１４の短手方向の長さＬ１４と、上板部１６の短手方向の長さＬ１６と、下板部１８の短手方向の長さＬ１８は、同一の長さに形成され、糊代部１９の短手方向の長さＬ１９は、長さＬ１２よりも短く形成されている。
【００４６】
また、長さＬ１２と長さＬ１４を加算した長さと、長さＬ１６と長さＬ１８を加算した長さは、整列具５が収納される箱体の収納空間の高さ方向の長さ以下の長さに形成されており、整列具５を組み立てた状態の高さ方向の長さＬ１１は、整列具５が収納される箱体（例えば、包装箱５０）に収納可能なように、該箱体の収納空間の高さ方向の長さ以下に形成されている。また、整列具５の高さ方向の長さＬ１１は、収納される商品４００の高さ方向の長さよりも長く形成されている。これにより、商品４００が包装箱５０に収納された状態で、上方から圧力が掛かった場合でも、上方からの圧力を本体部１０で支えることができるので、商品４００を保護することができる。
【００４７】
また、突状部（第１突状部）２０−１〜２０−９は、上板部１２の辺部（長手辺）１２ｂから折れ線（第４折れ線）Ｃ２１を介して連設されるとともに、下板部１４の辺部（長手辺）１４ｂから折れ線（第２折れ線）Ｃ２２を介して連設され、突状部２０−１〜２０−９における各突状部は、上板部１２から連設された突状板部（突状板部２０−１Ａ〜２０−９Ａにおける突状板部）と下板部１４から連設された突状板部（突状板部２０−１Ｂ〜２０−９Ｂにおける突状板部）とを有している。すなわち、突状部２０−１は、突状板部２０−１Ａと、突状板部２０−１Ａから折れ線を介して連設された突状板部２０−１Ｂとを有し、突状板部２０−１Ａと突状板部２０−１Ｂ間の折れ線Ｃ２０を介して二つ折りにした状態となっており、突状部２０−２は、突状板部２０−２Ａと、突状板部２０−２Ａから折れ線Ｃ２０を介して連設された突状板部２０−２Ｂとを有し、突状板部２０−２Ａと突状板部２０−２Ｂ間の折れ線Ｃ２０を介して二つ折りにした状態となっており、突状部２０−３は、突状板部２０−３Ａと、突状板部２０−３Ａから折れ線Ｃ２０を介して連設された突状板部２０−３Ｂとを有し、突状板部２０−３Ａと突状板部２０−３Ｂ間の折れ線Ｃ２０を介して二つ折りにした状態となっており、突状部２０−４は、突状板部２０−４Ａと、突状板部２０−４Ａから折れ線Ｃ２０を介して連設された突状板部２０−４Ｂとを有し、突状板部２０−４Ａと突状板部２０−４Ｂ間の折れ線Ｃ２０を介して二つ折りにした状態となっており、突状部２０−５は、突状板部２０−５Ａと、突状板部２０−５Ａから折れ線Ｃ２０を介して連設された突状板部２０−５Ｂとを有し、突状板部２０−５Ａと突状板部２０−５Ｂ間の折れ線Ｃ２０を介して二つ折りにした状態となっており、突状部２０−６は、突状板部２０−６Ａと、突状板部２０−６Ａから折れ線Ｃ２０を介して連設された突状板部２０−６Ｂとを有し、突状板部２０−６Ａと突状板部２０−６Ｂ間の折れ線Ｃ２０を介して二つ折りにした状態となっており、突状部２０−７は、突状板部２０−７Ａと、突状板部２０−７Ａから折れ線Ｃ２０を介して連設された突状板部２０−７Ｂとを有し、突状板部２０−７Ａと突状板部２０−７Ｂ間の折れ線Ｃ２０を介して二つ折りにした状態となっており、突状部２０−８は、突状板部２０−８Ａと、突状板部２０−８Ａから折れ線Ｃ２０を介して連設された突状板部２０−８Ｂとを有し、突状板部２０−８Ａと突状板部２０−８Ｂ間の折れ線Ｃ２０を介して二つ折りにした状態となっており、突状部２０−９は、突状板部２０−９Ａと、突状板部２０−９Ａから折れ線Ｃ２０を介して連設された突状板部２０−９Ｂとを有し、突状板部２０−９Ａと突状板部２０−９Ｂ間の折れ線Ｃ２０を介して二つ折りにした状態となっている。突状部２０−１〜２０−９の９つの突状部により第１突状部群が構成される。また、突状板部２０−１Ａ〜２０−９Ａは、第２突状板部に当たり、突状板部２０−１Ｂ〜２０−９Ｂは、第１突状板部に当たる。
【００４８】
ここで、突状部２０−２〜２０−８における各突状部は同一の構成であるので、突状部２０−２を例にとって説明すると、突状部２０−２は、突状板部２０−２Ａと突状板部２０−２Ｂとを有している。
【００４９】
ここで、突状板部２０−２Ａは、上板部１２の辺部１２ｂから連設された略円弧状（円弧状としてもよい）の辺部２０ａと、辺部２０ａの端部から連設され、辺部１２ｂに対して直角（略直角としてもよい）をなす直線状の辺部２０ｂと、辺部２０ｂの端部から連設され、略円弧状（円弧状としてもよい）の辺部２０ｃと、辺部２０ｃの端部から連設され、辺部１２ｂに対して平行（略平行としてもよい）の直線状の辺部２０ｄと、辺部２０ｄの端部から連設され、略円弧状（円弧状としてもよい）の辺部２０ｅと、辺部２０ｅの端部から連設され、辺部１２ｂに対して直角（略直角としてもよい）をなす直線状の辺部２０ｆと、辺部２０ｆの端部から連設され、辺部２０ｆに対して鈍角をなす直線状の辺部２０ｇと、辺部２０ｇの端部から連設され、略円弧状（円弧状としてもよい）の辺部２０ｈと、辺部２０ｈの端部から連設され、辺部１２ｂに対して平行な直線状の辺部２０ｉと、辺部２０ｉの端部から連設され、略円弧状（円弧状としてもよい）の辺部２０ｊと、辺部２０ｊの端部から連設され、辺部２０ｉの方向に対して鈍角をなす直線状の辺部２０ｋと、辺部２０ｋの端部から連設され、辺部２０ｋに対して鈍角をなす直線状の辺部２０ｌと、辺部２０ｌの端部から連設され、略円弧状（円弧状としてもよい）の辺部２０ｍと、辺部２０ｍの端部から連設され、辺部１２ｂに対して平行（略平行としてもよい）の直線状の辺部２０ｎと、辺部２０ｎの端部から連設され、略円弧状（円弧状としてもよい）の辺部２０ｏと、辺部２０ｏの端部から連設され、辺部１２ｂに対して直角（略直角としてもよい）をなす直線状の辺部２０ｐと、辺部２０ｐの端部から辺部１２ｂまで連設され、略円弧状（円弧状としてもよい）の辺部２０ｑと、辺部２０ａの端部と辺部２０ｑの端部間に形成され、辺部１２ｂに沿った辺部２０ｒとを有している。
【００５０】
突状板部２０−２Ａは、突状板部２０−２Ａの辺部１２ｂに沿った方向（Ｘ１−Ｘ２方向）（左右方向）（横方向としてもよい）における中心線Ｊ１（該中心線Ｊ１は、左右方向に対する直角方向となっている）を介して線対称に形成されていて、辺部２０ａと辺部２０ｑとは互いに線対称であり、辺部２０ｂと辺部２０ｐとは互いに線対称であり、辺部２０ｃと辺部２０ｏとは互いに線対称であり、辺部２０ｄと辺部２０ｎとは互いに線対称であり、辺部２０ｅと辺部２０ｍとは互いに線対称であり、辺部２０ｆと辺部２０ｌとは互いに線対称であり、辺部２０ｇと辺部２０ｋとは互いに線対称であり、辺部２０ｈと辺部２０ｊとは互いに線対称である。
【００５１】
突状板部２０−２Ａは、上記のように構成されていて、突状板部２０−２Ａの基端側である幅狭部（第２基端領域）２２Ａと、突状板部２０−２Ａの先端側である幅広部（第２先端領域）２２Ｂとを有し、幅広部２２Ｂは、幅狭部２２Ａの先端から連設されている。具体的には、辺部２０ｂと辺部２０ｃの境界と辺部２０ｏと辺部２０ｐの境界を結ぶ仮想直線が幅狭部２２Ａと幅広部２２Ｂの境界といえる。幅広部２２Ｂは、幅狭部２２Ａに対して辺部１２ｂに沿った両側の方向に突出して形成され、すなわち、幅広部２２Ｂは、幅狭部２２Ａの辺部１２ｂに沿った方向の一方（Ｘ１方向）の側から突出した突出部（第２突出部）２２Ｂ−１と、幅狭部２２Ａの辺部１２ｂに沿った方向の他方（Ｘ２方向）の側から突出した突出部（第２突出部）２２Ｂ−２とを有している。つまり、突出部２２Ｂ−１は、隣接する一方の突状部２０−１における突状板部２０−１Ａの幅広部２２Ｂ側に突出し（つまり、幅狭部２２Ａにおける辺部２０ｂよりも突出している）、突出部２２Ｂ−２は、隣接する他方の突状部２０−３における突状板部２０−３Ａの幅広部２２Ｂ側に突出している（つまり、幅狭部２２Ａにおける辺部２０ｐよりも突出している）。つまり、突出部２２Ｂ−１、２２Ｂ−２は、折れ線Ｃ２１の方向に沿った両側に突出している。
【００５２】
また、突状板部２０−２Ｂは、下板部１４の辺部１４ｂから連設された略円弧状（円弧状としてもよい）の辺部２１ａと、辺部２１ａの端部から連設され、辺部１４ｂに対して直角（略直角としてもよい）をなす直線状の辺部２１ｂと、辺部２１ｂの端部から連設され、略円弧状（円弧状としてもよい）の辺部２１ｃと、辺部２１ｃの端部から連設され、辺部１４ｂに対して平行（略平行としてもよい）の直線状の辺部２１ｄと、辺部２１ｄの端部から連設され、略円弧状（円弧状としてもよい）の辺部２１ｅと、辺部２１ｅの端部から連設され、辺部１４ｂに対して直角（略直角としてもよい）をなす直線状の辺部２１ｆと、辺部２１ｆの端部から連設され、辺部２１ｆに対して鈍角をなす直線状の辺部２１ｇと、辺部２１ｇの端部から連設され、略円弧状（円弧状としてもよい）の辺部２１ｈと、辺部２１ｈの端部から連設され、辺部１４ｂに対して平行な直線状の辺部２１ｉと、辺部２１ｉの端部から連設され、略円弧状（円弧状としてもよい）の辺部２１ｊと、辺部２１ｊの端部から連設され、辺部２１ｉの方向に対して鈍角をなす直線状の辺部２１ｋと、辺部２１ｋの端部から連設され、辺部２１ｋに対して鈍角をなす直線状の辺部２１ｌと、辺部２１ｌの端部から連設され、略円弧状（円弧状としてもよい）の辺部２１ｍと、辺部２１ｍの端部から連設され、辺部１４ｂに対して平行（略平行としてもよい）の直線状の辺部２１ｎと、辺部２１ｎの端部から連設され、略円弧状（円弧状としてもよい）の辺部２１ｏと、辺部２１ｏの端部から連設され、辺部１４ｂに対して直角（略直角としてもよい）をなす直線状の辺部２１ｐと、辺部２１ｐの端部から辺部１４ｂまで連設され、略円弧状（円弧状としてもよい）の辺部２１ｑと、辺部２１ａの端部と辺部２１ｑの端部間に形成され、辺部１４ｂに沿った辺部２１ｒとを有している。
【００５３】
突状板部２０−２Ｂは、突状板部２０−２Ｂの辺部１４ｂに沿った方向（Ｘ１−Ｘ２方向）（左右方向）における中心線Ｊ２（該中心線Ｊ２は、左右方向に対する直角方向となっている）を介して線対称に形成されていて、辺部２１ａと辺部２１ｑとは互いに線対称であり、辺部２１ｂと辺部２１ｐとは互いに線対称であり、辺部２１ｃと辺部２１ｏとは互いに線対称であり、辺部２１ｄと辺部２１ｎとは互いに線対称であり、辺部２１ｅと辺部２１ｍとは互いに線対称であり、辺部２１ｆと辺部２１ｌとは互いに線対称であり、辺部２１ｇと辺部２１ｋとは互いに線対称であり、辺部２１ｈと辺部２１ｊとは互いに線対称である。
【００５４】
また、突状部２０−２の展開状態においては、突状板部２０−２Ａと突状板部２０−２Ｂとは、突状板部２０−２Ａと突状板部２０−２Ｂ間の折れ線Ｃ２０（第７折れ線）（折れ線Ｃ２０は、辺部２０ｉ、２１ｉと一致している）に沿った中心線を介して線対称に形成されていて、辺部２０ａと辺部２１ａとは互いに線対称であり、辺部２０ｂと辺部２１ｂとは互いに線対称であり、辺部２０ｃと辺部２１ｃとは互いに線対称であり、辺部２０ｄと辺部２１ｄとは互いに線対称であり、辺部２０ｅと辺部２１ｅとは互いに線対称であり、辺部２０ｆと辺部２１ｆとは互いに線対称であり、辺部２０ｇと辺部２１ｇとは互いに線対称であり、辺部２０ｈと辺部２１ｈとは互いに線対称であり、辺部２０ｊと辺部２１ｊとは互いに線対称であり、辺部２０ｋと辺部２１ｋとは互いに線対称であり、辺部２０ｌと辺部２１ｌとは互いに線対称であり、辺部２０ｍと辺部２１ｍとは互いに線対称であり、辺部２０ｎと辺部２１ｎとは互いに線対称であり、辺部２０ｏと辺部２１ｏとは互いに線対称であり、辺部２０ｐと辺部２１ｐとは互いに線対称であり、辺部２０ｑと辺部２１ｑとは互いに線対称である。
【００５５】
突状板部２０−２Ｂは、上記のように構成されていて、突状板部２０−２Ｂの基端側である幅狭部（第１基端領域）２３Ａと、突状板部２０−２Ｂの先端側である幅広部（第１先端領域）２３Ｂとを有し、幅広部２３Ｂは、幅狭部２３Ａの先端から連設されている。具体的には、辺部２１ｂと辺部２１ｃの境界と辺部２１ｏと辺部２１ｐの境界を結ぶ仮想直線が幅狭部２３Ａと幅広部２３Ｂの境界といえる。幅広部２３Ｂは、幅狭部２３Ａに対して辺部１４ｂに沿った両側の方向に突出して形成され、すなわち、幅広部２３Ｂは、幅狭部２３Ａの辺部１４ｂに沿った方向の一方（Ｘ１方向）の側から突出した突出部（第１突出部）２３Ｂ−１と、幅狭部２３Ａの辺部１４ｂに沿った方向の他方（Ｘ２方向）の側から突出した突出部（第１突出部）２３Ｂ−２とを有している。つまり、突出部２３Ｂ−１は、隣接する一方の突状部２０−１における突状板部２０−１Ｂの幅広部２３Ｂ側に突出し（つまり、幅狭部２３Ａにおける辺部２１ｂよりも突出している）、突出部２３Ｂ−２は、隣接する他方の突状部２０−３における突状板部２０−３Ｂの幅広部２３Ｂ側に突出している（つまり、幅狭部２３Ａにおける辺部２１ｐよりも突出している）。つまり、突出部２３Ｂ−１、２３Ｂ−２は、折れ線Ｃ２２の方向に沿った両側に突出している。なお、幅広部２３Ｂは、折れ線Ｃ２０を介して幅広部２２Ｂから連設されている。
【００５６】
次に、突状部２０−１と突状部２０−９は、左右対称に形成されている（図５に示す展開状態では、左右方向における中心線を介して左右線対称に形成されている）以外は同一の構成であるので、突状部２０−１を例に取って説明すると、突状部２０−１は、突状板部２０−１Ａと突状板部２０−１Ｂとを有し、突状部２０−１は、突状部２０−２を前後方向の切断面で切断した形状を呈している。
【００５７】
つまり、突状板部２０−１Ａは、辺部１２ｂの右側面側の端部から連設され、辺部１２ｂに対して直角方向に形成された直線状の辺部２０ｔと、辺部２０ｔの端部から連設され、辺部１２ｂに対して平行な直線状の辺部２０ｉと、辺部２０ｉの端部から連設され、略円弧状（円弧状としてもよい）の辺部２０ｊと、辺部２０ｊの端部から連設され、辺部２０ｉの方向に対して鈍角をなす直線状の辺部２０ｋと、辺部２０ｋの端部から連設され、辺部２０ｋに対して鈍角をなす直線状の辺部２０ｌと、辺部２０ｌの端部から連設され、略円弧状（円弧状としてもよい）の辺部２０ｍと、辺部２０ｍの端部から連設され、辺部１２ｂに対して平行（略平行としてもよい）の直線状の辺部２０ｎと、辺部２０ｎの端部から連設され、略円弧状（円弧状としてもよい）の辺部２０ｏと、辺部２０ｏの端部から連設され、辺部１２ｂに対して直角（略直角としてもよい）をなす直線状の辺部２０ｐと、辺部２０ｐの端部から辺部１２ｂまで連設され、略円弧状（円弧状としてもよい）の辺部２０ｑと、辺部２０ｔの端部と辺部２０ｑの端部間に形成され、辺部１２ｂに沿った辺部２０ｒとを有している。つまり、突状板部２０−１Ａは、突状板部２０−２Ａを辺部２０ｔで切断した左側の領域と同様の構成であるといえる。
【００５８】
突状板部２０−１Ａは、上記のように構成されていて、突状板部２０−１Ａの基端側である幅狭部（第２基端領域）２２Ａと、突状板部２０−１Ａの先端側である幅広部（第２先端領域）２２Ｂとを有し、幅広部２２Ｂは、幅狭部２２Ａの先端から連設されている。具体的には、辺部２０ｏと辺部２０ｐの境界から辺部２０ｔへの折れ線Ｃ２１と平行な仮想直線が幅狭部２２Ａと幅広部２２Ｂの境界といえる。幅広部２２Ｂは、幅狭部２２Ａに対して辺部１２ｂに沿ったＸ２側の方向に突出して形成され、すなわち、幅広部２２Ｂは、幅狭部２２Ａの辺部１２ｂに沿った方向の一方（Ｘ２方向）の側から突出した突出部（第２突出部）２２Ｂ−２を有している。つまり、突出部２２Ｂ−２は、隣接する突状部２０−２における突状板部２０−２Ａの幅広部２２Ｂ側に突出している（つまり、幅狭部２２Ａにおける辺部２０ｐよりも突出している）。
【００５９】
また、突状板部２０−１Ｂは、辺部１４ｂの右側面側の端部から連設され、辺部１４ｂに対して直角方向に形成された直線状の辺部２１ｔと、辺部２１ｔの端部から連設され、辺部１４ｂに対して平行な直線状の辺部２１ｉと、辺部２１ｉの端部から連設され、略円弧状（円弧状としてもよい）の辺部２１ｊと、辺部２１ｊの端部から連設され、辺部２１ｉの方向に対して鈍角をなす直線状の辺部２１ｋと、辺部２１ｋの端部から連設され、辺部２１ｋに対して鈍角をなす直線状の辺部２１ｌと、辺部２１ｌの端部から連設され、略円弧状（円弧状としてもよい）の辺部２１ｍと、辺部２１ｍの端部から連設され、辺部１４ｂに対して平行（略平行としてもよい）の直線状の辺部２１ｎと、辺部２１ｎの端部から連設され、略円弧状（円弧状としてもよい）の辺部２１ｏと、辺部２１ｏの端部から連設され、辺部１４ｂに対して直角（略直角としてもよい）をなす直線状の辺部２１ｐと、辺部２１ｐの端部から辺部１４ｂまで連設され、略円弧状（円弧状としてもよい）の辺部２１ｑと、辺部２１ｔの端部と辺部２１ｑの端部間に形成され、辺部１４ｂに沿った辺部２１ｒとを有している。つまり、突状板部２０−１Ｂは、突状板部２０−２Ｂを辺部２１ｔで切断した左側の領域と同様の構成であるといえる。突状部２０−１Ｂの左右方向の長さ（最大長さ）は、突状部２０−２Ｂの左右方向の長さ（最大長さ）の半分（略半分としてもよい）となっている。
【００６０】
突状板部２０−１Ｂは、上記のように構成されていて、突状板部２０−１Ｂの基端側である幅狭部（第１基端領域）２３Ａと、突状板部２０−２Ｂの先端側である幅広部（第１先端領域）２３Ｂとを有し、幅広部２３Ｂは、幅狭部２３Ａの先端から連設されている。具体的には、辺部２１ｏと辺部２１ｐの境界から辺部２１ｔへの折れ線Ｃ２３と平行な仮想直線が幅狭部２３Ａと幅広部２３Ｂの境界といえる。幅広部２３Ｂは、幅狭部２３Ａに対して辺部１４ｂに沿ったＸ２側の方向に突出して形成され、すなわち、幅広部２３Ｂは、幅狭部２３Ａの辺部１４ｂに沿った方向の一方（Ｘ２方向）の側から突出した突出部（第１突出部）２３Ｂ−２を有している。つまり、突出部２３Ｂ−２は、隣接する突状部２０−２における突状板部２０−２Ｂの幅広部２３Ｂ側に突出している（つまり、幅狭部２３Ａにおける辺部２１ｐよりも突出している）。なお、幅広部２３Ｂは、折れ線Ｃ２０を介して幅広部２２Ｂから連設されている。
【００６１】
なお、突状部２０−１の展開状態においては、突状板部２０−１Ａと突状板部２０−１Ｂとは、突状板部２０−１Ａと突状板部２０−１Ｂ間の折れ線Ｃ２０（第７折れ線）（折れ線Ｃ２０は、辺部２０ｉ、２１ｉと一致している）に沿った中心線を介して線対称に形成されている。
【００６２】
また、突状板部２０−９Ａは、突状板部２０−１Ａと左右線対称に形成されており、辺部２０ａ〜２０ｉと、辺部２０ｉから辺部１２ｂまで形成された辺部１２ｂに対して直角の辺部２０ｔと、辺部２０ａと辺部２０ｔ間に形成され、辺部１２ｂに沿った辺部２０ｒとを有している。つまり、突状板部２０−９Ａは、突状板部２０−２Ａを辺部２０ｔで切断した右側の領域と同様の構成であるといえる。突状部２０−９Ａの左右方向の長さ（最大長さ）は、突状部２０−２Ａの左右方向の長さ（最大長さ）の半分（略半分としてもよい）となっている。
【００６３】
また、突状板部２０−９Ｂは、突状板部２０−１Ｂと左右線対称に形成されており、辺部２１ａ〜２１ｉと、辺部２１ｉから辺部１４ｂまで形成された辺部１４ｂに対して直角の辺部２１ｔと、辺部２１ａと辺部２１ｔ間に形成され、辺部１４ｂに沿った辺部２１ｒとを有している。つまり、突状板部２０−９Ｂは、突状板部２０−２Ｂを辺部２１ｔで切断した右側の領域と同様の構成であるといえる。突状部２０−９Ｂの左右方向の長さ（最大長さ）は、突状部２０−２Ｂの左右方向の長さ（最大長さ）の半分（略半分としてもよい）となっている。
【００６４】
なお、突状部２０−９の展開状態においては、突状板部２０−９Ａと突状板部２０−９Ｂとは、突状板部２０−９Ａと突状板部２０−９Ｂ間の折れ線に沿った中心線を介して線対称に形成されている。
【００６５】
また、突状板部２０−１Ａ〜２０−９Ａは、等間隔に配設されていて（つまり、隣接する突状板部間の間隔（例えば、辺部２０ｂと辺部２０ｐ間の間隔）は同一となっている）、突状板部２０−１Ａ〜２０−９Ａにおける隣接する突状板部の間には、同大同形状の切欠部２０Ｗが設けられている。この切欠部２０Ｗは、一対の幅狭部２２Ａ間の幅広隙間部２０ＷＡと、一対の幅広部２２Ｂ間の幅狭隙間部２０ＷＢとを有している。つまり、幅広隙間部２０ＷＡは、辺部２０ｂと辺部２０ｐ間の隙間を有し、幅狭隙間部２０ＷＢは、辺部２０ｆと辺部２０ｌ間の隙間を有している。
【００６６】
また、突状板部２０−１Ｂ〜２０−９Ｂは、等間隔に配設されていて（つまり、隣接する突状板部間の間隔（例えば、辺部２１ｂと辺部２１ｐ間の間隔）は同一となっている）、突状板部２０−１Ｂ〜２０−９Ｂにおける隣接する突状板部の間には、同大同形状の切欠部２１Ｗが設けられている。この切欠部２１Ｗは、一対の幅狭部２３Ａ間の幅広隙間部２１ＷＡと、一対の幅広部２３Ｂ間の幅狭隙間部２１ＷＢとを有している。つまり、幅広隙間部２１ＷＡは、辺部２１ｂと辺部２１ｐ間の隙間を有し、幅狭隙間部２１ＷＢは、辺部２１ｆと辺部２１ｌ間の隙間を有している。
【００６７】
さらに、突状部２０−１〜２０−９を二つ折りにした状態では、突状部２０−１〜２０−９における隣接する突状部間には、切欠部（第１切欠部）Ｗ１が形成され、この切欠部Ｗ１は、切欠部２０Ｗと切欠部２１Ｗが重なった状態で構成される。つまり、計８つの切欠部Ｗ１が設けられ、８つの切欠部Ｗ１は等間隔に設けられている。この切欠部Ｗ１は、切欠部２０Ｗ、２１Ｗと同様に、幅広隙間部（第１幅広隙間部）Ｗ１Ａと幅狭隙間部（第１幅狭隙間部）Ｗ１Ｂとを有している。この幅広隙間部Ｗ１Ａにおいて、幅狭隙間部Ｗ１Ｂの左右方向の幅よりも左右方向に突出した部分の一方（突状部２０−１側）が突状隙間部Ｗ１Ａ−１となり該突出した部分の他方（突状部２０−９側）が突状隙間部Ｗ１Ａ−２となる。
【００６８】
突状部２０−１〜２０−９における各突状部においては、一対の突状板部が二つ折りの状態となっているが、一対の突状板部の外周は一致（略一致としてもよい）した状態となっていて、各突状部は、突状板部と同様に、基端側の幅狭部（第１突状部基端部）２０Ａと先端側の幅広部（第１突状部先端部）２０Ｂとを有している。つまり、幅狭部２０Ａは、幅狭部２２Ａと幅狭部２３Ａからなり、幅広部２０Ｂは、幅広部２２Ｂと幅広部２３Ｂからなる。なお、当然、突状部２０−１〜２０−９は、等間隔に配設されている。
【００６９】
また、幅広部２０Ｂにおいては、折れ線Ｃ２０に対して傾斜した辺部２０ｋと辺部２１ｋにより、幅広部２０Ｂの先端側の一方の角部が面取りされているとともに、折れ線Ｃ２０に対して傾斜した辺部２０ｆと辺部２１ｆにより、幅広部２０Ｂの先端側の他方の角部が面取りされているので、突状部２０−１〜２０−９を商品に係止させる際に、幅広部２０Ｂの先端側の角部が商品に接触して邪魔になることがない。
【００７０】
なお、突状部２０−１〜２０−９における各突状部を構成する一対の突状板部は二つ折りの状態で接着されているが、突状部２０−１〜２０−９の全てに接着しなくてもよく、例えば、突状部２０−２、２０−４、２０−６、２０−８又は突状部２０−１、２０−３、２０−５、２０−７、２０−９というように一つおきに接着してもよく、また、少なくとも、突状部２０−１〜２０−９における少なくとも１つが接着されていればよい。１つの突状部について接着する場合には、突状部群における中央に位置する突状部２０−５について接着するのが好ましい。
【００７１】
また、突状部２０−１〜２０−９における突状板部２０−１Ａ〜２０−９Ａにおいて、辺部２０ｄと辺部２０ｎを省略して、辺部２０ｃから辺部２０ｅが連設され、辺部２０ｍから辺部２０ｏが連設された構成としてもよい。また、突状板部２０−１Ｂ〜２０−９Ｂにおいて、辺部２１ｄと辺部２１ｎを省略して、辺部２１ｃから辺部２１ｅが連設され、辺部２１ｍから辺部２１ｏが連設された構成としてもよい。
【００７２】
次に、突状部（第２突状部）３０−１〜３０−９は、突状部２０−１〜２０−９と線対称に形成され、例えば、図３、図４のように、整列具５を折り畳んだ状態では、突状部３０−１〜３０−９は、左右方向の中心線を介して突状部２０−１〜２０−９と線対称に形成されている。
【００７３】
また、突状部３０−１〜３０−９は、上板部１６の辺部（長手辺）１６ｂから折れ線（第５折れ線）Ｃ３１を介して連設されるとともに、下板部１８の辺部（長手辺）１８ｂから折れ線（第３折れ線）Ｃ３２を介して連設され、突状部３０−１〜３０−９における各突状部は、上板部１６から連設された突状板部（突状板部３０−１Ａ〜３０−９Ａにおける突状板部）と下板部１８から連設された突状板部（突状板部３０−１Ｂ〜３０−９Ｂにおける突状板部）とを有している。すなわち、突状部３０−１は、突状板部３０−１Ａと、突状板部３０−１Ａから折れ線を介して連設された突状板部３０−１Ｂとを有し、突状板部３０−１Ａと突状板部３０−１Ｂ間の折れ線を介して二つ折りにした状態となっており、突状部３０−２は、突状板部３０−２Ａと、突状板部３０−２Ａから折れ線Ｃ３０を介して連設された突状板部３０−２Ｂとを有し、突状板部３０−２Ａと突状板部３０−２Ｂ間の折れ線Ｃ３０を介して二つ折りにした状態となっており、突状部３０−３は、突状板部３０−３Ａと、突状板部３０−３Ａから折れ線Ｃ３０を介して連設された突状板部３０−３Ｂとを有し、突状板部３０−３Ａと突状板部３０−３Ｂ間の折れ線Ｃ３０を介して二つ折りにした状態となっており、突状部３０−４は、突状板部３０−４Ａと、突状板部３０−４Ａから折れ線Ｃ３０を介して連設された突状板部３０−４Ｂとを有し、突状板部３０−４Ａと突状板部３０−４Ｂ間の折れ線Ｃ３０を介して二つ折りにした状態となっており、突状部３０−５は、突状板部３０−５Ａと、突状板部３０−５Ａから折れ線Ｃ３０を介して連設された突状板部３０−５Ｂとを有し、突状板部３０−５Ａと突状板部３０−５Ｂ間の折れ線Ｃ３０を介して二つ折りにした状態となっており、突状部３０−６は、突状板部３０−６Ａと、突状板部３０−６Ａから折れ線Ｃ３０を介して連設された突状板部３０−６Ｂとを有し、突状板部３０−６Ａと突状板部３０−６Ｂ間の折れ線Ｃ３０を介して二つ折りにした状態となっており、突状部３０−７は、突状板部３０−７Ａと、突状板部３０−７Ａから折れ線Ｃ３０を介して連設された突状板部３０−７Ｂとを有し、突状板部３０−７Ａと突状板部３０−７Ｂ間の折れ線Ｃ３０を介して二つ折りにした状態となっており、突状部３０−８は、突状板部３０−８Ａと、突状板部３０−８Ａから折れ線Ｃ３０を介して連設された突状板部３０−８Ｂとを有し、突状板部３０−８Ａと突状板部３０−８Ｂ間の折れ線Ｃ３０を介して二つ折りにした状態となっており、突状部３０−９は、突状板部３０−９Ａと、突状板部３０−９Ａから折れ線Ｃ３０を介して連設された突状板部３０−９Ｂとを有し、突状板部３０−９Ａと突状板部３０−９Ｂ間の折れ線Ｃ３０を介して二つ折りにした状態となっている。突状部３０−１〜３０−９の９つの突状部により第２突状部群が構成される。また、突状板部３０−１Ａ〜３０−９Ａは、第４突状板部に当たり、突状板部３０−１Ｂ〜３０−９Ｂは、第３突状板部に当たる。
【００７４】
ここで、突状部３０−２〜３０−８における各突状部は同一の構成であるので、突状部３０−２を例にとって説明すると、突状部３０−２は、突状板部３０−２Ａと突状板部３０−２Ｂとを有している。
【００７５】
ここで、突状板部３０−２Ａは、辺部３０ａ〜辺部３０ｒを有し、突状板部３０−２Ａは、整列具５の展開状態において、突状部２０−２Ａと折れ線Ｃ４０を介して線対称に形成されていて、辺部３０ａは辺部２０ａと線対称に形成され、辺部３０ｂは辺部２０ｂと線対称に形成され、辺部３０ｃは辺部２０ｃと線対称に形成され、辺部３０ｄは辺部２０ｄと線対称に形成され、辺部３０ｅは辺部２０ｅと線対称に形成され、辺部３０ｆは辺部２０ｆと線対称に形成され、辺部３０ｇは辺部２０ｇと線対称に形成され、辺部３０ｈは辺部２０ｈと線対称に形成され、辺部３０ｉは辺部２０ｉと線対称に形成され、辺部３０ｊは辺部２０ｊと線対称に形成され、辺部３０ｋは辺部２０ｋと線対称に形成され、辺部３０ｌは辺部２０ｌと線対称に形成され、辺部３０ｍは辺部２０ｍと線対称に形成され、辺部３０ｎは辺部２０ｎと線対称に形成され、辺部３０ｏは辺部２０ｏと線対称に形成され、辺部３０ｑは辺部２０ｑと線対称に形成され、辺部３０ｒは辺部２０ｒと線対称に形成されている。
【００７６】
突状板部３０−２Ａは、突状板部３０−２Ａの辺部１６ｂに沿った方向（Ｘ１−Ｘ２方向）（左右方向）における中心線Ｊ３（該中心線Ｊ３は、左右方向に対する直角方向となっている）を介して線対称に形成されていて、辺部３０ａと辺部３０ｑとは互いに線対称であり、辺部３０ｂと辺部３０ｐとは互いに線対称であり、辺部３０ｃと辺部３０ｏとは互いに線対称であり、辺部３０ｄと辺部３０ｎとは互いに線対称であり、辺部３０ｅと辺部３０ｍとは互いに線対称であり、辺部３０ｆと辺部３０ｌとは互いに線対称であり、辺部３０ｇと辺部３０ｋとは互いに線対称であり、辺部３０ｈと辺部３０ｊとは互いに線対称である。
【００７７】
突状板部３０−２Ａは、上記のように構成されていて、突状板部３０−２Ａの基端側である幅狭部（第４基端領域）３２Ａと、突状板部３０−２Ａの先端側である幅広部（第４先端領域）３２Ｂとを有し、幅広部３２Ｂは、幅狭部３２Ａの先端から連設されている。具体的には、辺部３０ｂと辺部３０ｃの境界と辺部３０ｏと辺部３０ｐの境界を結ぶ仮想直線が幅狭部３２Ａと幅広部３２Ｂの境界といえる。幅広部３２Ｂは、幅狭部３２Ａに対して辺部１６ｂに沿った両側の方向に突出して形成され、すなわち、幅広部３２Ｂは、幅狭部３２Ａの辺部１６ｂに沿った方向の一方（Ｘ１方向）の側から突出した突出部（第４突出部）３２Ｂ−１と、幅狭部３２Ａの辺部１６ｂに沿った方向の他方（Ｘ２方向）の側から突出した突出部（第４突出部）３２Ｂ−２とを有している。つまり、突出部３２Ｂ−１は、隣接する一方の突状部３０−１における突状板部３０−１Ａの幅広部３２Ｂ側に突出し（つまり、幅狭部３２Ａにおける辺部３０ｂよりも突出している）、突出部３２Ｂ−２は、隣接する他方の突状部３０−３における突状板部３０−３Ａの幅広部３２Ｂ側に突出している（つまり、幅狭部３２Ａにおける辺部３０ｐよりも突出している）。つまり、突出部３２Ｂ−１、３２Ｂ−２は、折れ線Ｃ３１の方向に沿った両側に突出している。
【００７８】
また、突状板部３０−２Ｂは、辺部３１ａ〜辺部３１ｒを有し、突状板部３０−２Ｂは、整列具５の展開状態において、突状板部２０−２Ｂと折れ線Ｃ４０を介して線対称に形成されていて、辺部３１ａは辺部２１ａと線対称に形成され、辺部３１ｂは辺部２１ｂと線対称に形成され、辺部３１ｃは辺部２１ｃと線対称に形成され、辺部３１ｄは辺部２１ｄと線対称に形成され、辺部３１ｅは辺部２１ｅと線対称に形成され、辺部３１ｆは辺部２１ｆと線対称に形成され、辺部３１ｇは辺部２１ｇと線対称に形成され、辺部３１ｈは辺部２１ｈと線対称に形成され、辺部３１ｉは辺部２１ｉと線対称に形成され、辺部３１ｊは辺部２１ｊと線対称に形成され、辺部３１ｋは辺部２１ｋと線対称に形成され、辺部３１ｌは辺部２１ｌと線対称に形成され、辺部３１ｍは辺部２１ｍと線対称に形成され、辺部３１ｎは辺部２１ｎと線対称に形成され、辺部３１ｏは辺部２１ｏと線対称に形成され、辺部３１ｑは辺部２１ｑと線対称に形成され、辺部３１ｒは辺部２１ｒと線対称に形成されている。
【００７９】
突状板部３０−２Ｂは、突状板部３０−２Ｂの辺部１８ｂに沿った方向（Ｘ１−Ｘ２方向）（左右方向）における中心線Ｊ４（該中心線Ｊ４は、左右方向に対する直角方向となっている）を介して線対称に形成されていて、辺部３１ａと辺部３１ｑとは互いに線対称であり、辺部３１ｂと辺部３１ｐとは互いに線対称であり、辺部３１ｃと辺部３１ｏとは互いに線対称であり、辺部３１ｄと辺部３１ｎとは互いに線対称であり、辺部３１ｅと辺部３１ｍとは互いに線対称であり、辺部３１ｆと辺部３１ｌとは互いに線対称であり、辺部３１ｇと辺部３１ｋとは互いに線対称であり、辺部３１ｈと辺部３１ｊとは互いに線対称である。
【００８０】
また、突状部３０−２の展開状態においては、突状板部３０−２Ａと突状板部３０−２Ｂとは、突状板部３０−２Ａと突状板部３０−２Ｂ間の折れ線Ｃ３０（第８折れ線）（折れ線Ｃ３０は、辺部３０ｉ、３１ｉと一致している）に沿った中心線を介して線対称に形成されている。
【００８１】
突状板部３０−２Ｂは、上記のように構成されていて、突状板部３０−２Ｂの基端側である幅狭部（第３基端領域）３３Ａと、突状板部３０−２Ｂの先端側である幅広部（第３先端領域）３３Ｂとを有し、幅広部３３Ｂは、幅狭部３３Ａの先端から連設されている。具体的には、辺部３１ｂと辺部３１ｃの境界と辺部３１ｏと辺部３１ｐの境界を結ぶ仮想直線が幅狭部３３Ａと幅広部３３Ｂの境界といえる。幅広部３３Ｂは、幅狭部３３Ａに対して辺部１８ｂに沿った両側の方向に突出して形成され、すなわち、幅広部３３Ｂは、幅狭部３３Ａの辺部１８ｂに沿った方向の一方（Ｘ１方向）の側から突出した突出部（第３突出部）３３Ｂ−１と、幅狭部３３Ａの辺部１８ｂに沿った方向の他方（Ｘ２方向）の側から突出した突出部（第３突出部）３３Ｂ−２とを有している。つまり、突出部３３Ｂ−１は、隣接する一方の突状部３０−１における突状板部３０−１Ｂの幅広部３３Ｂ側に突出し（つまり、幅狭部３３Ａにおける辺部３１ｂよりも突出している）、突出部３３Ｂ−２は、隣接する他方の突状部３０−３における突状板部３０−３Ｂの幅広部３３Ｂ側に突出している（つまり、幅狭部３３Ａにおける辺部３１ｐよりも突出している）。つまり、突出部３３Ｂ−１、３３Ｂ−２は、折れ線Ｃ３２の方向に沿った両側に突出している。
【００８２】
次に、突状部３０−１と突状部３０−９は、左右対称に形成されている（図５に示す展開状態では、左右方向における中心線を介して左右線対称に形成されている）以外は同一の構成であるので、突状部３０−１を例に取って説明すると、突状部３０−１は、突状板部３０−１Ａと突状板部３０−１Ｂとを有し、突状部３０−１は、突状部３０−２を前後方向の切断面で切断した形状を呈している。
【００８３】
つまり、突状板部３０−１Ａは、辺部３０ｔ及び３０ｉ〜辺部３０ｒを有し、突状板部３０−１Ａは、整列具５の展開状態において、突状部２０−１Ａと折れ線Ｃ４０を介して線対称に形成されていて、辺部３０ｔは辺部２０ｔと線対称に形成され、辺部３０ｉは辺部２０ｉと線対称に形成され、辺部３０ｊは辺部２０ｊと線対称に形成され、辺部３０ｋは辺部２０ｋと線対称に形成され、辺部３０ｌは辺部２０ｌと線対称に形成され、辺部３０ｍは辺部２０ｍと線対称に形成され、辺部３０ｎは辺部２０ｎと線対称に形成され、辺部３０ｏは辺部２０ｏと線対称に形成され、辺部３０ｑは辺部２０ｑと線対称に形成され、辺部３０ｒは辺部２０ｒと線対称に形成されている。
【００８４】
突状板部３０−１Ａは、上記のように構成されていて、突状板部３０−１Ａの基端側である幅狭部（第４基端領域）３２Ａと、突状板部３０−１Ａの先端側である幅広部（第４先端領域）３２Ｂとを有し、幅広部３２Ｂは、幅狭部３２Ａの先端から連設されている。具体的には、辺部３０ｏと辺部３０ｐの境界から辺部３０ｔへの折れ線Ｃ３１と平行な仮想直線が幅狭部３２Ａと幅広部３２Ｂの境界といえる。幅広部３２Ｂは、幅狭部３２Ａに対して辺部１６ｂに沿ったＸ２側の方向に突出して形成され、すなわち、幅広部３２Ｂは、幅狭部３２Ａの辺部１６ｂに沿った方向の一方（Ｘ２方向）の側から突出した突出部（第４突出部）３２Ｂ−２を有している。つまり、突出部３２Ｂ−２は、隣接する突状部３０−２における突状板部３０−２Ａの幅広部３２Ｂ側に突出している（つまり、幅狭部３２Ａにおける辺部３０ｐよりも突出している）。
【００８５】
また、突状板部３０−１Ｂは、辺部３１ｔ及び３１ｉ〜辺部３１ｒを有し、突状板部３０−１Ｂは、整列具５の展開状態において、突状部２０−１Ｂと折れ線Ｃ４０を介して線対称に形成されていて、辺部３１ｔは辺部２１ｔと線対称に形成され、辺部３１ｉは辺部２１ｉと線対称に形成され、辺部３１ｊは辺部２１ｊと線対称に形成され、辺部３１ｋは辺部２１ｋと線対称に形成され、辺部３１ｌは辺部２１ｌと線対称に形成され、辺部３１ｍは辺部２１ｍと線対称に形成され、辺部３１ｎは辺部２１ｎと線対称に形成され、辺部３１ｏは辺部２１ｏと線対称に形成され、辺部３１ｑは辺部２１ｑと線対称に形成され、辺部３１ｒは辺部２１ｒと線対称に形成されている。
【００８６】
突状板部３０−１Ｂは、上記のように構成されていて、突状板部３０−１Ｂの基端側である幅狭部（第３基端領域）３３Ａと、突状板部３０−１Ｂの先端側である幅広部（第３先端領域）３３Ｂとを有し、幅広部３３Ｂは、幅狭部３３Ａの先端から連設されている。具体的には、辺部３１ｏと辺部３１ｐの境界から辺部３１ｔへの折れ線Ｃ３３と平行な仮想直線が幅狭部３３Ａと幅広部３３Ｂの境界といえる。幅広部３３Ｂは、幅狭部３３Ａに対して辺部１８ｂに沿ったＸ２側の方向に突出して形成され、すなわち、幅広部３３Ｂは、幅狭部３３Ａの辺部１８ｂに沿った方向の一方（Ｘ２方向）の側から突出した突出部（第３突出部）３３Ｂ−２を有している。つまり、突出部３３Ｂ−２は、隣接する突状部３０−２における突状板部３０−２Ｂの幅広部３３Ｂ側に突出している（つまり、幅狭部３３Ａにおける辺部３１ｐよりも突出している）。
【００８７】
なお、突状部３０−１の展開状態においては、突状板部３０−１Ａと突状板部３０−１Ｂとは、突状板部３０−１Ａと突状板部３０−１Ｂ間の折れ線Ｃ３０（第８折れ線）（折れ線Ｃ３０は、辺部３０ｉ、３１ｉと一致している）に沿った中心線を介して線対称に形成されている。
【００８８】
また、突状板部３０−９Ａは、突状板部３０−１Ａと左右線対称に形成されており、辺部３０ａ〜３０ｉと、辺部３０ｉから辺部１６ｂまで形成された辺部１６ｂに対して直角の辺部３０ｔと、辺部３０ａと辺部３０ｔ間に形成され、辺部１６ｂに沿った辺部３０ｒとを有している。つまり、突状板部３０−９Ａは、突状板部３０−２Ａを辺部３０ｔで切断した右側の領域と同様の構成であるといえる。突状部３０−９Ａの左右方向の長さ（最大長さ）は、突状部３０−２Ａの左右方向の長さ（最大長さ）の半分（略半分としてもよい）となっている。また、突状板部３０−９Ａは、整列具５の展開状態において、突状部２０−９Ａと折れ線Ｃ４０を介して線対称に形成されている。
【００８９】
また、突状板部３０−９Ｂは、突状板部３０−１Ｂと左右線対称に形成されており、辺部３１ａ〜３１ｉと、辺部３１ｉから辺部１８ｂまで形成された辺部１８ｂに対して直角の辺部３１ｔと、辺部３１ａと辺部３１ｔ間に形成され、辺部１８ｂに沿った辺部３１ｒとを有している。つまり、突状板部３０−９Ｂは、突状板部３０−２Ｂを辺部３１ｔで切断した右側の領域と同様の構成であるといえる。突状部３０−９Ｂの左右方向の長さ（最大長さ）は、突状部３０−２Ｂの左右方向の長さ（最大長さ）の半分（略半分としてもよい）となっている。また、突状板部３０−９Ｂは、整列具５の展開状態において、突状部２０−９Ｂと折れ線Ｃ４０を介して線対称に形成されている。
【００９０】
なお、突状部３０−９の展開状態においては、突状板部３０−９Ａと突状板部３０−９Ｂとは、突状板部３０−９Ａと突状板部３０−９Ｂ間の折れ線に沿った中心線を介して線対称に形成されている。
【００９１】
また、突状板部３０−１Ａ〜３０−９Ａは、等間隔に配設されていて（つまり、隣接する突状板部間の間隔（例えば、辺部３０ｂと辺部３０ｐ間の間隔）は同一となっている）、突状板部３０−１Ａ〜３０−９Ａにおける隣接する突状板部の間には、同大同形状の切欠部３０Ｗが設けられている。この切欠部３０Ｗは、一対の幅狭部３２Ａ間の幅広隙間部３０ＷＡと、一対の幅広部３２Ｂ間の幅狭隙間部３０ＷＢとを有している。つまり、幅広隙間部３０ＷＡは、辺部３０ｂと辺部３０ｐ間の隙間を有し、幅狭隙間部３０ＷＢは、辺部３０ｆと辺部３０ｌ間の隙間を有している。
【００９２】
また、突状板部３０−１Ｂ〜３０−９Ｂは、等間隔に配設されていて（つまり、隣接する突状板部間の間隔（例えば、辺部３１ｂと辺部３１ｐ間の間隔）は同一となっている）、突状板部３０−１Ｂ〜３０−９Ｂにおける隣接する突状板部の間には、同大同形状の切欠部３１Ｗが設けられている。この切欠部３１Ｗは、一対の幅狭部３３Ａ間の幅広隙間部３１ＷＡと、一対の幅広部３３Ｂ間の幅狭隙間部３１ＷＢとを有している。つまり、幅広隙間部３１ＷＡは、辺部３１ｂと辺部３１ｐ間の隙間を有し、幅狭隙間部３１ＷＢは、辺部３１ｆと辺部３１ｌ間の隙間を有している。
【００９３】
さらに、突状部３０−１〜３０−９を二つ折りにした状態では、突状部３０−１〜３０−９における隣接する突状部間には、切欠部（第２切欠部）Ｗ２が形成され、この切欠部Ｗ２は、切欠部３０Ｗと切欠部３１Ｗが重なった状態で構成される。つまり、計８つの切欠部Ｗ２が設けられ、８つの切欠部Ｗ２は等間隔に設けられている。この切欠部Ｗ２は、切欠部３０Ｗ、３１Ｗと同様に、幅広隙間部（第２幅広隙間部）Ｗ２Ａと幅狭隙間部（第２幅狭隙間部）Ｗ２Ｂとを有している。この幅広隙間部Ｗ２Ａにおいて、幅狭隙間部Ｗ２Ｂの左右方向の幅よりも左右方向に突出した部分の一方（突状部３０−１側）が突状隙間部Ｗ２Ａ−１となり該突出した部分の他方（突状部３０−９側）が突状隙間部Ｗ２Ａ−２となる。
【００９４】
突状部３０−１〜３０−９における各突状部においては、一対の突状板部が二つ折りの状態となっているが、一対の突状板部の外周は一致（略一致としてもよい）した状態となっていて、各突状部は、突状板部と同様に、基端側の幅狭部（第２突状部基端部）３０Ａと先端側の幅広部（第２突状部先端部）３０Ｂとを有している。つまり、幅狭部３０Ａは、幅狭部３２Ａと幅狭部３３Ａからなり、幅広部３０Ｂは、幅広部３２Ｂと幅広部３３Ｂからなる。なお、当然、突状部３０−１〜３０−９は、等間隔に配設されている。
【００９５】
また、幅広部３０Ｂにおいては、折れ線Ｃ３０に対して傾斜した辺部３０ｋと辺部３１ｋにより、幅広部３０Ｂの先端側の一方の角部が面取りされているとともに、折れ線Ｃ３０に対して傾斜した辺部３０ｆと辺部３１ｆにより、幅広部３０Ｂの先端側の他方の角部が面取りされているので、突状部３０−１〜３０−９を商品に係止させる際に、幅広部３０Ｂの先端側の角部が商品に接触して邪魔になることがない。
【００９６】
なお、突状部３０−１〜３０−９における各突状部を構成する一対の突状板部は二つ折りの状態で接着されているが、突状部３０−１〜３０−９の全てに接着しなくてもよく、例えば、突状部３０−２、３０−４、３０−６、３０−８又は突状部３０−１、３０−３、３０−５、３０−７、３０−９というように一つおきに接着してもよく、また、少なくとも、突状部３０−１〜３０−９における少なくとも１つが接着されていればよい。１つの突状部について接着する場合には、突状部群における中央に位置する突状部３０−５について接着するのが好ましい。
【００９７】
また、突状部３０−１〜３０−９における突状板部３０−１Ａ〜３０−９Ａにおいて、辺部３０ｄと辺部３０ｎを省略して、辺部３０ｃから辺部３０ｅが連設され、辺部３０ｍから辺部３０ｏが連設された構成としてもよい。また、突状板部３０−１Ｂ〜３０−９Ｂにおいて、辺部３１ｄと辺部３１ｎを省略して、辺部３１ｃから辺部３１ｅが連設され、辺部３１ｍから辺部３１ｏが連設された構成としてもよい。
【００９８】
なお、整列具５の展開状態において、辺部１２ａと、折れ線Ｃ２１と、折れ線Ｃ２０と、折れ線Ｃ２２と、折れ線Ｃ４０と、折れ線Ｃ３２と、折れ線Ｃ３０と、折れ線Ｃ３１と、折れ線Ｃ１９と、糊代部１９の先端側の辺部とは互いに平行に形成されている。
【００９９】
また、整列具５における各折れ線には、折れ線を介した折曲げを容易とするために罫線を形成するのが好ましい。その場合には、整列具５における外側の面（図３、図４の状態で外側となる面）側又は内側の面側から押圧した押罫により罫線を形成する。
【０１００】
整列具５を扁平状に畳んだ状態は、図３、図４に示す状態となり、上板部１２と下板部１４が対向して接した状態となり、上板部１６と下板部１８とが対向して接した状態となる。また、図４に示すように、折れ線Ｃ４０と折れ線Ｃ１９とは重なった状態となる。このように整列具５を畳んだ状態とすることにより、整列具５全体が扁平状となり、突状部２０−１〜２０−９、３０−１〜３０−９が本体部１０の面に対して突出することがないので、保管や運搬に便利となる。
【０１０１】
また、整列具５を組み立てた状態は、図１、図２に示す状態とし、上板部１２と上板部１６が対向するとともに、下板部１４と下板部１８が対向し、突状部２０−１〜２０−９と突状部３０−１〜３０−９が本体部１０に対して直角（略直角としてもよい）に突出した状態となる。
【０１０２】
上記構成の整列具５の使用方法について説明する。整列具５を図３、図４に示すように畳んだ状態から図１、図２に示すような組み立てた状態にするには、図３、図４のように畳んだ状態の整列具５を折れ線Ｃ４０を介して折り曲げて（折曲げに際しては、折れ線Ｃ４０を外側から見て山折りでも谷折りでもよい）、本体部１０の内側に手を入れやすくして、その後、図１３に示すように、本体部１０の内側に手を入れて、本体部１０を広げる。つまり、上板部１２と下板部１４間の角度を大きくするとともに、上板部１６と下板部１８間の角度を大きくし、図１４に示すように、突状部２０−１〜２０−９におけるいずれか（例えば、突状部２０−５）を一方の手で持ち、突状部３０−１〜３０−９におけるいずれか（例えば、突状部３０−５）を他方の手で持って、上板部１２と上板部１６とを互いに近づけるとともに、下板部１４と下板部１８を互いに近づけて、折れ線Ｃ１９と折れ線Ｃ４０の折り目をつける（つまり、折れ線Ｃ１９と折れ線Ｃ４０を介して折曲した状態とする）。なお、突状部２０−１〜２０−９における各突状部を構成する一対の突状板部は二つ折りの状態になっているので、本体部１０は、図１３のように広げた状態では略筒状を呈しているといえる。
【０１０３】
そして、図１５に示す状態と図１６に示す状態とを繰り返して、本体部１０がより平板状となるようにする。図１５に示す状態では、上板部１２、１６を一方の手で持つとともに、下板部１４、１８を他方の手で持った状態で、本体部１０の両側の長手辺（折れ線Ｃ１９に沿った辺部と折れ線Ｃ４０に沿った辺部）が下方となるように折り曲げ、図１６に示す状態では、同じ状態で、本体部１０の両側の長手辺が上方となるように折り曲げる。図１５に示す状態と図１６に示す状態とを繰り返すことにより、上板部１２と上板部１６とが接した状態になるととともに、下板部１４と下板部１８とが接した状態となり、さらに、突状部２０−１〜２０−９、３０−１〜３０−９が本体部１０に対して直角に起立した状態にできる。以上のようにして、整列具５が組み立てた状態に組み立てられる。
【０１０４】
組み立てられた整列具５は、商品が収納された箱体に差し込んで使用するが、使用される箱体としては、図１７に示す包装箱５０が用いられ、収納される商品としては、図１８に示す商品４００が用いられる。
【０１０５】
ここで、包装箱５０は、本体部６０と、本体部６０から連設された蓋部５７と、蓋部５７から連設された蓋フラップ５８とを有し、本体部６０は、正面部５１と、右側面部５２と、左側面部５３と、背面部５４と、右側面部５２から連設された横フラップ５５と、左側面部５３から連設された横フラップ５６と、正面部５１、右側面部５２、左側面部５３、背面部５４から連設された底面部５９とを有している。
【０１０６】
本体部６０の収納空間の大きさとしては、整列具５が本体部６０内に収納可能であるように、該収納空間における長手方向の長さＬ６０は、組立て状態の整列具５の左右方向の長さＬ１０以上の長さに形成され、該収納空間における上下方向の長さＬ６１は、組立て状態の整列具５の上下方向の長さＬ１１以上の長さに形成されている。
【０１０７】
また、包装箱５０の収納空間の平面視における形状・大きさは、図１９に示すように、商品４００を２列で並べることができる形状・大きさを有し、特に、図２２に示すように、商品４００を２列で並べた状態で、整列具５を差し込んで突状部２０−１〜２０−９、３０−１〜３０−９を商品４００に係止させることにより、本体部１０の両側に商品列４００−１、４００−２が配置されるように、収納空間の形状・大きさが設定されている。商品列４００−１、４００−２は、それぞれ１列分の商品群である。なお、各商品列４００−１、４００−２においては、商品の配列方向（Ｘ１−Ｘ２方向）には隣接する商品４００の間には隙間なく収納する。
【０１０８】
また、商品４００は、図１８に示すように、パッケージ４０１に商品本体（図示せず）を収納したものであり、パッケージ４０１は、本体部４０５と、底面部４３０とを有し、本体部４０５は、底面部４３０の一方の辺部から連設された半体部４１０と、底面部４３０の一方の辺部と反対側の辺部から連設された半体部４２０とを有している。半体部４１０と半体部４２０のいずれを正面側としてもよいが、例えば、半体部４１０側を正面側とする。
【０１０９】
ここで、半体部４１０は、縦長方形状の縦板部４１１と、縦板部４１１の下端から縦板部４１１に対して直角方向に連設された底板部４１２と、縦板部４１１の両側の辺部から縦板部４１１に対して直角方向に連設された横板部４１３、４１４と、横板部４１３の辺部から横板部４１３に対して直角方向に連設された縁部４１５と、横板部４１４の辺部から横板部４１４に対して直角方向に連設された縁部４１６と、縦板部４１１に対して外側に突出した膨出部４１８とを有している。
【０１１０】
横板部４１３、４１４は、縦長の直角三角形を呈し、縁部４１５、４１６は帯板状を呈している。また、膨出部４１８は、直方体形状の縦板部４１１側が開口した形状を呈している。なお、縦板部４１１には、膨出部４１８を設けるための開口部が設けられ、また、膨出部４１８の上側には、縦板部４２１に設けられた被嵌合部４２１ａに嵌合するための嵌合部４１１ａが設けられている。この嵌合部４１１ａは円柱状を呈し、縦板部４１１の内側に凸状に突出している。
【０１１１】
また、半体部４２０は、縦板部４１１に沿った仮想平面を介して、半体部４１０と面対称に形成され、縦長方形状の縦板部４２１と、縦板部４２１の下端から縦板部４２１に対して直角方向に連設された底板部４２２と、縦板部４２１の両側の辺部から縦板部４２１に対して直角方向に連設された横板部４２３、４２４と、横板部４２３の辺部から横板部４２３に対して直角方向に連設された縁部４２５と、横板部４２４の辺部から横板部４２４に対して直角方向に連設された縁部４２６と、縦板部４２１に対して外側に突出した膨出部４２８とを有している。縦板部４２１には、膨出部４２８を設けるための開口部が設けられている。
【０１１２】
横板部４２３、４２４は、縦長の直角三角形を呈し、縁部４２５、４２６は帯状を呈している。また、膨出部４２８は、直方体形状の縦板部４２１側が開口した形状を呈している。なお、縦板部４２１には、膨出部４２８を設けるための開口部が設けられ、また、膨出部４２８の上側には、縦板部４１１に設けられた嵌合部４１１ａが嵌合するための被嵌合部４２１ａが設けられている。この被嵌合部４２１ａは円柱状を呈し、内側に嵌合部４１１ａが嵌合するための穴部が設けられている。
【０１１３】
パッケージ４０１を閉じた状態では、縁部４１５と縁部４２５間の長さは、下方にいくほど長くなるように形成され、同様に、縁部４１６と縁部４２６間の長さは、下方にいくほど長くなるように形成されている。
【０１１４】
また、底面部４３０は、方形状の板状を呈し、底面部４３０の図１８におけるＸ１側の辺部が、底板部４１２のＸ１側の辺部と縁部４１５、４１６の下端の辺部とに連設され、また、底面部４３０のＸ２側の辺部が、底板部４２２のＸ２側の辺部と縁部４２５、４２６の下端の辺部とに連設されている。図１８のように、パッケージ４０１の閉状態では底板部４１２、４２２は、底面部４３０の上面に沿って底面部４３０の上面に接した状態となっている。
【０１１５】
パッケージ４０１は、嵌合部４１１ａを被嵌合部４２１ａに嵌合させることにより閉状態でロックされる。また、パッケージ４０１の閉状態では、縦板部４１１と縦板部４２１とが重なり合う状態となり、膨出部４１８と膨出部４２８とで商品の収納空間が形成される。
【０１１６】
また、パッケージ４０１を閉状態から開状態にするには、嵌合部４１１ａの被嵌合部４２１ａへの嵌合を解除することにより、半体部４１０を底面部４３０に対して外側に回動させるとともに、半体部４２０を底面部４３０に対して外側に回動させることができ、半体部４１０、４２０の少なくとも一方を底面部４３０に対して外側に開くことにより半体部４１０と半体部４２０を開いた状態とすることができ、半体部４１０と半体部４２０を開いた状態とすることにより、膨出部４１８、４２８に収納された商品本体を取り出すことができる。
【０１１７】
また、半体部４１０と半体部４２０が開いた状態で、膨出部４１８と膨出部４２８のいずれかに商品本体を収納した上でパッケージ４０１を閉じた状態とすることにより、商品本体をパッケージ４０１に収納することができる。
【０１１８】
整列具５により商品４００を整列させた状態では、突状部２０−１〜２０−９及び突状部３０−１〜３０−９が商品４００に係止し（つまり、突状部２０−１〜２０−９における隣接する２つの突状部や突状部３０−１〜３０−９における隣接する２つの突状部が、縁部４１５、４２５及び横板部４１３、４２３や縁部４１６、４２６及び横板部４１４、４２４に係止する）、縁部４１５、４２５及び横板部４１３、４２３や縁部４１６、４２６及び横板部４１４、４２４が、幅広隙間部Ｗ１Ａや幅広隙間部Ｗ２Ａに位置し、例えば、図２２に示すように、突状部２０−１〜２０−２における隣接する２つの突状部が、縁部４１５、４２５及び横板部４１３、４２３に係止した状態では、縁部４１５、４２５及び横板部４１３、４２３が、切欠部Ｗ１の幅広隙間部Ｗ１Ａに位置し、縁部４１５及び横板部４１３が突状隙間部Ｗ１Ａ−１に入り込んだ状態となり、縁部４２５及び横板部４２３が凸状隙間部Ｗ１Ａ−２に入り込んだ状態となる。また、突状部３０−１〜３０−２における隣接する２つの突状部が、縁部４１６、４２６及び横板部４１４、４２４が突状部３０−１〜３０−２に係止した状態では、縁部４１６、４２６及び横板部４１４、４２４が、切欠部Ｗ２の幅広隙間部Ｗ２Ａに位置し、縁部４１６及び横板部４１４が突状隙間部Ｗ２Ａ−１に入り込んだ状態となり、縁部４２６及び横板部４２４が突状隙間部Ｗ２Ａ−２に入り込んだ状態となる。このようにして、商品４００が隣接する突状部間に係止するので、整列具５により商品４００が保持され、商品４００が容易に移動することがない。
【０１１９】
特に、縁部と横板部が突状隙間部Ｗ１Ａ−１、Ｗ１Ａ−２や突状隙間部Ｗ２Ａ−１、Ｗ２Ａ−２に入り込んだ状態となるので、商品４００が横方向にずれることがなく（図２２では、Ｘ１−Ｘ２方向のみならずＹ１−Ｙ２方向にもずれることがない）、また、縁部４１５と縁部４２５間の長さや縁部４１６と縁部４２６間の長さは、下方にいくほど長くなるように形成されているので、商品４００が隣接する突状部間に係止することにより、商品４００が上方に浮き上がるのも防止することができる。以上のようにして、整列具５により商品４００を十分保持することができる。
【０１２０】
商品４００は、Ｘ１−Ｘ２方向には、上端部の幅よりも下端部の幅が大きく形成されているため、商品４００の上側を突状部２０−１〜２０−９、３０−１〜３０−９における２つの突状部で係止することができる。
【０１２１】
なお、整列具５は、商品４００を包装箱５０の長手方向に隙間なく並べた状態で、組立て状態の整列具５を差し込んだ際に、縁部４１５、４２５及び横板部４１３、４２３や縁部４１６、４２６及び横板部４１４、４２４が、突状部２０−１〜２０−９における隣接する２つの突状部や突状部３０−１〜３０−９における隣接する２つの突状部に係止するように、切欠部Ｗ１、Ｗ２が形成されていて、特に、幅広隙間部Ｗ１Ａの位置や長さ（突状部２０−１〜２０−９の配列方向（図３、図４におけるＸ１−Ｘ方向）の長さ）や、幅広隙間部Ｗ２Ａの位置や長さ（突状部３０−１〜３０−９の配列方向（図３、図４におけるＸ１−Ｘ方向）の長さ）が設定されている。また、突状部２０−１〜２０−９の上下方向の位置や突状部３０−１〜３０−９の上下方向の位置も、縁部４１５、４２５及び横板部４１３、４２３や縁部４１６、４２６及び横板部４１４、４２４が、突状部に係止するように設定されている。
【０１２２】
整列具５の使用に際しては、まず、図１９に示すように、包装箱５０に商品４００を２列に収納する。つまり、図１９に示すように、１列の商品からなる商品列４００−１と、他の１列の商品からなる商品列４００−２を設ける。その際、商品列４００−１と商品４００−２の間には、整列具５を差し込むことができるように、隙間を設けておく。なお、商品列４００−１においては、隣接する商品４００同士は隙間を設ける必要がなく、同様に、商品列４００−２においては、隣接する商品４００同士は隙間を設ける必要がない。
【０１２３】
次に、商品列４００−１と商品列４００−２の間に組立て状態の整列具５を差し込んで包装箱５０に収納し、整列具５を商品４００に取り付ける。その際、切欠部Ｗ１、Ｗ２の位置に各商品４００の位置に切欠部Ｗ１、Ｗ２を合わせて、突状部２０−１〜２０−９及び突状部３０−１〜３０−９が商品４００に係止するようにする。すると、整列具５は、図２０〜図２２に示すように取り付けられ、整列具５により商品４００が整列された状態となる。また、本体部１０により、商品列４００−１と商品列４００−２が仕切られた状態となっている。以上のようにして、切欠部Ｗ１、Ｗ２に商品４００の端部を配置することにより、突状部２０−１〜２０−９により商品４００が突状部２０−１〜２０−９の配設方向（Ｘ１−Ｘ２方向（折れ線Ｃ４０の方向としてもよい））に沿って整列した状態が保持されるとともに、突状部３０−１〜３０−９により商品４００が突状部３０−１〜３０−９の配設方向（Ｘ１−Ｘ２方向（折れ線Ｃ４０の方向としてもよい））に沿って整列した状態が保持される。
【０１２４】
また、整列具５の高さ方向の長さＬ１１は、収納される商品４００の高さ方向の長さよりも長く形成されているので、上方からの圧力を本体部１０で支えることができ、商品４００を保護することができる。
【０１２５】
なお、図２１は、図２０において、包装箱５０を除いた状態を示す斜視図であり、図２２は、図２１を平面視した場合の平面図となる。
【０１２６】
また、商品４００を包装箱５０から取り出す際には、整列具５を抜き取った上で商品４００を取り出す。なお、整列具５を抜き取る際には、本体部１０の上端部分をつかんで、上方に引き上げればよい。
【０１２７】
以上のように、本実施例の整列具５によれば、商品４００の端部を切欠部Ｗ１、Ｗ２内に配置して突状部２０−１〜２０−９及び突状部３０−１〜３０−９を商品４００に係止させることにより商品４００を整列させるので、商品４００を図２２におけるＸ１−Ｘ２方向に隙間なく収納することができ、Ｘ１−Ｘ２方向における収納空間を小さくすることができ、商品の該一方の方向（Ｘ１−Ｘ２方向）の幅が商品の上端部分よりも下端部分が大きい場合に、該一方の方向における収納空間を小さくすることができる。
【０１２８】
また、図２０に示すように、商品４００の上方が整列具５により覆われることがないので、整列具５により商品４００を整列させた際には、商品４００が整列具５により整列されている状態を目視により確認することができ、突状部２０−１〜２０−９や突状部３０−１〜３０−９の商品４００への係止の状態も目視により確認することができる。
【０１２９】
なお、１つの突状部群には８つの突状部（つまり、突状部２０−１〜２０−９及び突状部３０−１〜３０−９）が設けられているとしたが、１つの突状部群に少なくとも３つの突状部が設けられ、１つの突状部群において、少なくとも２つの切欠部Ｗ１（Ｗ２）が設けられる構成であればよい。
【０１３０】
また、整列具５において、折れ線を介した折曲が容易となるように、折れ線に沿って切込みＫＳを形成してもよい。つまり、図１２のように、折れ線Ｃ２１、Ｃ２０、Ｃ２２、Ｃ４０、Ｃ３２、Ｃ３０、Ｃ３１、Ｃ１９に沿って切込みＫＳを形成した構成としてもよい。
【実施例２】
【０１３１】
本発明の実施例２に基づく整列具（商品整列具）（仕切り具としてもよい）１０５は、箱体内の商品を整列させるための整列具であり、図２３〜図２７に示すように構成され、整列具１０５は、本体部１１０と、本体部１１０から連設された突状部１２０−１〜１２０−７を有している。整列具１０５は、全体に１枚のシート状のブランク（具体的には、段ボール製（例えば、薄型段ボール製）のブランクであり、厚紙製のブランク等の他の紙製のブランクでもよい）により形成されている。つまり、整列具１０５は、段ボール材（特に、両面段ボール材）等の紙製の整列具である。段ボールにおける断面略波形形状の中芯の段の方向は、図２５における円内に示す方向となっていて、折れ線Ｃ１２１、Ｃ１２２や辺部１１２ａ、１１４ａに対して直角の方向となっている（なお、段ボールにおける中芯の段の方向はこれには限られない）。
【０１３２】
ここで、本体部１１０は、上板部１１２と、下板部１１４とを有している。上板部（第２板部）１１２は、横長の略長方形状を呈し、突状部１２０−１〜１２０−７における突状板部１２０−１Ａ〜１２０−７Ａから折れ線を介して連設されている。すなわち、上板部１１２は、長方形状における突状板部１２０−１Ａ〜１２０−７Ａ側の辺部（長手辺）１１２ｂとは反対側の辺部（長手辺）１１２ａにおける一方の角部を面取りした形状を呈している。つまり、上板部１１２の上側の一方の角部には、面取部１１２−１が設けられている。
【０１３３】
また、下板部（第１板部）１１４は、横長の長方形状を呈し、突状部１２０−１〜１２０−７における突状板部１２０−１Ｂ〜１２０−７Ｂから折れ線を介して連設されている。
【０１３４】
ここで、上板部１１２の短手方向の長さＬ１１２は、下板部１１４の短手方向の長さＬ１１４よりも長く形成されている。なお、長さＬ１１２は長さＬ１１４と同一でもよく、長さＬ１１２は長さＬ１１４よりも短くてもよい。
【０１３５】
また、長さＬ１１２と長さＬ１１４を加算した長さは、整列具１０５が収納される箱体の収納空間の高さ方向の長さ以下の長さに形成されており、整列具１０５を組み立てた状態の高さ方向の長さＬ１１１は、整列具１０５が収納される箱体（例えば、包装箱１５０）に収納可能なように、該箱体の収納空間の高さ方向の長さ以下に形成されている。また、整列具１０５の高さ方向の長さＬ１１１は、収納される商品４００の高さ方向の長さよりも長く形成されている。これにより、商品４００が包装箱５０に収納された状態で、上方から圧力が掛かった場合でも、上方からの圧力を本体部１１０で支えることができるので、商品４００を保護することができる。
【０１３６】
また、突状部１２０−１〜１２０−７は、上板部１１２の辺部（長手辺）１１２ｂから折れ線（第２折れ線）Ｃ１２１を介して連設されるとともに、下板部１１４の辺部（長手辺）１１４ｂから折れ線（第１折れ線）Ｃ１２２を介して連設され、突状部１２０−１〜１２０−７における各突状部は、上板部１１２から連設された突状板部（突状板部１２０−１Ａ〜１２０−７Ａにおける突状板部）と下板部１１４から連設された突状板部（突状板部１２０−１Ｂ〜１２０−７Ｂにおける突状板部）とを有している。すなわち、突状部１２０−１は、突状板部１２０−１Ａと、突状板部１２０−１Ａから折れ線（第３折れ線）Ｃ１２０を介して連設された突状板部１２０−１Ｂとを有し、突状板部１２０−１Ａと突状板部１２０−１Ｂ間の折れ線Ｃ１２０を介して二つ折りにした状態となっており、突状部１２０−２は、突状板部１２０−２Ａと、突状板部１２０−２Ａから折れ線Ｃ１２０を介して連設された突状板部１２０−２Ｂとを有し、突状板部１２０−２Ａと突状板部１２０−２Ｂ間の折れ線Ｃ１２０を介して二つ折りにした状態となっており、突状部１２０−３は、突状板部１２０−３Ａと、突状板部１２０−３Ａから折れ線Ｃ１２０を介して連設された突状板部１２０−３Ｂとを有し、突状板部１２０−３Ａと突状板部１２０−３Ｂ間の折れ線Ｃ１２０を介して二つ折りにした状態となっており、突状部１２０−４は、突状板部１２０−４Ａと、突状板部１２０−４Ａから折れ線Ｃ１２０を介して連設された突状板部１２０−４Ｂとを有し、突状板部１２０−４Ａと突状板部１２０−４Ｂ間の折れ線Ｃ１２０を介して二つ折りにした状態となっており、突状部１２０−５は、突状板部１２０−５Ａと、突状板部１２０−５Ａから折れ線Ｃ１２０を介して連設された突状板部１２０−５Ｂとを有し、突状板部１２０−５Ａと突状板部１２０−５Ｂ間の折れ線Ｃ１２０を介して二つ折りにした状態となっており、突状部１２０−６は、突状板部１２０−６Ａと、突状板部１２０−６Ａから折れ線Ｃ１２０を介して連設された突状板部１２０−６Ｂとを有し、突状板部１２０−６Ａと突状板部１２０−６Ｂ間の折れ線Ｃ１２０を介して二つ折りにした状態となっており、突状部１２０−７は、突状板部１２０−７Ａと、突状板部１２０−７Ａから折れ線Ｃ１２０を介して連設された突状板部１２０−７Ｂとを有し、突状板部１２０−７Ａと突状板部１２０−７Ｂ間の折れ線Ｃ１２０を介して二つ折りにした状態となっている。突状部１２０−１〜１２０−７の７つの突状部により突状部群が構成される。また、突状板部１２０−１Ａ〜１２０−７Ａは、第２突状板部に当たり、突状板部１２０−１Ｂ〜１２０−７Ｂは、第１突状板部に当たる。
【０１３７】
ここで、突状部１２０−２〜１２０−６における各突状部は同一の構成であるので、突状部１２０−２を例にとって説明すると、突状部１２０−２は、突状板部１２０−２Ａと突状板部１２０−２Ｂとを有している。
【０１３８】
ここで、突状板部１２０−２Ａは、実施例１における突状板部２０−２Ａと左右方向（Ｘ１−Ｘ２方向）の長さが異なる（具体的には、辺部１２０ｉの長さが辺部２０ｉとは異なり、辺部１２０ｒの長さが辺部２０ｒとは異なる）以外は同様の構成であり、辺部１２０ａ〜辺部１２０ｒを有している。すなわち、上板部１１２の辺部１１２ｂから連設された略円弧状（円弧状としてもよい）の辺部１２０ａと、辺部１２０ａの端部から連設され、辺部１１２ｂに対して直角（略直角としてもよい）をなす直線状の辺部１２０ｂと、辺部１２０ｂの端部から連設され、略円弧状（円弧状としてもよい）の辺部１２０ｃと、辺部１２０ｃの端部から連設され、辺部１１２ｂに対して平行（略平行としてもよい）の直線状の辺部１２０ｄと、辺部１２０ｄの端部から連設され、略円弧状（円弧状としてもよい）の辺部１２０ｅと、辺部１２０ｅの端部から連設され、辺部１１２ｂに対して直角（略直角としてもよい）をなす直線状の辺部１２０ｆと、辺部１２０ｆの端部から連設され、辺部１２０ｆに対して鈍角をなす直線状の辺部１２０ｇと、辺部１２０ｇの端部から連設され、略円弧状（円弧状としてもよい）の辺部１２０ｈと、辺部１２０ｈの端部から連設され、辺部１１２ｂに対して平行な直線状の辺部１２０ｉと、辺部１２０ｉの端部から連設され、略円弧状（円弧状としてもよい）の辺部１２０ｊと、辺部１２０ｊの端部から連設され、辺部１２０ｉの方向に対して鈍角をなす直線状の辺部１２０ｋと、辺部１２０ｋの端部から連設され、辺部１２０ｋに対して鈍角をなす直線状の辺部１２０ｌと、辺部１２０ｌの端部から連設され、略円弧状（円弧状としてもよい）の辺部１２０ｍと、辺部１２０ｍの端部から連設され、辺部１１２ｂに対して平行（略平行としてもよい）の直線状の辺部１２０ｎと、辺部１２０ｎの端部から連設され、略円弧状（円弧状としてもよい）の辺部１２０ｏと、辺部１２０ｏの端部から連設され、辺部１１２ｂに対して直角（略直角としてもよい）をなす直線状の辺部１２０ｐと、辺部１２０ｐの端部から辺部１１２ｂまで連設され、略円弧状（円弧状としてもよい）の辺部１２０ｑと、辺部１２０ａの端部と辺部１２０ｑの端部間に形成され、辺部１１２ｂに沿った辺部１２０ｒとを有している。
【０１３９】
突状板部１２０−２Ａは、突状板部１２０−２Ａの辺部１１２ｂに沿った方向（Ｘ１−Ｘ２方向）（左右方向）における中心線Ｊ１（該中心線Ｊ１は、左右方向に対する直角方向となっている）を介して線対称に形成されている。
【０１４０】
突状板部１２０−２Ａは、上記のように構成されていて、突状板部１２０−２Ａの基端側である幅狭部（第２基端領域）１２２Ａと、突状板部１２０−２Ａの先端側である幅広部（第２先端領域）１２２Ｂとを有し、幅広部１２２Ｂは、幅狭部１２２Ａの先端から連設されている。具体的には、辺部１２０ｂと辺部１２０ｃの境界と辺部１２０ｏと辺部１２０ｐの境界を結ぶ仮想直線が幅狭部１２２Ａと幅広部１２２Ｂの境界といえる。幅広部１２２Ｂは、幅狭部１２２Ａに対して辺部１１２ｂに沿った両側の方向に突出して形成され、すなわち、幅広部１２２Ｂは、幅狭部１２２Ａの辺部１１２ｂに沿った方向の一方（Ｘ１方向）の側から突出した突出部（第２突出部）１２２Ｂ−１と、幅狭部１２２Ａの辺部１１２ｂに沿った方向の他方（Ｘ２方向）の側から突出した突出部（第２突出部）１２２Ｂ−２とを有している。つまり、突出部１２２Ｂ−１は、隣接する一方の突状部１２０−１における突状板部１２０−１Ａの幅広部１２２Ｂ側に突出し（つまり、幅狭部１２２Ａにおける辺部１２０ｂよりも突出している）、突出部１２２Ｂ−２は、隣接する他方の突状部１２０−３における突状板部１２０−３Ａの幅広部１２２Ｂ側に突出している（つまり、幅狭部１２２Ａにおける辺部１２０ｐよりも突出している）。つまり、突出部１２２Ｂ−１、１２２Ｂ−２は、折れ線Ｃ１２１の方向に沿った両側に突出している。
【０１４１】
また、突状板部１２０−２Ｂは、下板部１１４の辺部１１４ｂから連設された略円弧状（円弧状としてもよい）の辺部１２１ａと、辺部１２１ａの端部から連設され、辺部１１４ｂに対して直角（略直角としてもよい）をなす直線状の辺部１２１ｂと、辺部１２１ｂの端部から連設され、略円弧状（円弧状としてもよい）の辺部１２１ｃと、辺部１２１ｃの端部から連設され、辺部１１４ｂに対して平行（略平行としてもよい）の直線状の辺部１２１ｄと、辺部１２１ｄの端部から連設され、略円弧状（円弧状としてもよい）の辺部１２１ｅと、辺部１２１ｅの端部から連設され、辺部１１４ｂに対して直角（略直角としてもよい）をなす直線状の辺部１２１ｆと、辺部１２１ｆの端部から連設され、辺部１２１ｆに対して鈍角をなす直線状の辺部１２１ｇと、辺部１２１ｇの端部から連設され、略円弧状（円弧状としてもよい）の辺部１２１ｈと、辺部１２１ｈの端部から連設され、辺部１１４ｂに対して平行な直線状の辺部１２１ｉと、辺部１２１ｉの端部から連設され、略円弧状（円弧状としてもよい）の辺部１２１ｊと、辺部１２１ｊの端部から連設され、辺部１２１ｉの方向に対して鈍角をなす直線状の辺部１２１ｋと、辺部１２１ｋの端部から連設され、辺部１２１ｋに対して鈍角をなす直線状の辺部１２１ｌと、辺部１２１ｌの端部から連設され、略円弧状（円弧状としてもよい）の辺部１２１ｍと、辺部１２１ｍの端部から連設され、辺部１１４ｂに対して平行（略平行としてもよい）の直線状の辺部１２１ｎと、辺部１２１ｎの端部から連設され、略円弧状（円弧状としてもよい）の辺部１２１ｏと、辺部１２１ｏの端部から連設され、辺部１１４ｂに対して直角（略直角としてもよい）をなす直線状の辺部１２１ｐと、辺部１２１ｐの端部から辺部１１４ｂまで連設され、略円弧状（円弧状としてもよい）の辺部１２１ｑと、辺部１２１ａの端部と辺部２１ｑの端部間に形成され、辺部１１４ｂに沿った辺部１２１ｒとを有している。
【０１４２】
突状板部１２０−２Ｂは、突状板部１２０−２Ｂの辺部１１４ｂに沿った方向（Ｘ１−Ｘ２方向）（左右方向）における中心線Ｊ２（該中心線Ｊ２は、左右方向に対する直角方向となっている）を介して線対称に形成されている。
【０１４３】
また、突状部１２０−２の展開状態においては、突状板部１２０−２Ａと突状板部１２０−２Ｂとは、突状板部１２０−２Ａと突状板部１２０−２Ｂ間の折れ線Ｃ１２０（折れ線Ｃ１２０は、辺部１２０ｉ、１２１ｉと一致している）に沿った中心線を介して線対称に形成されている。
【０１４４】
突状板部１２０−２Ｂは、上記のように構成されていて、突状板部１２０−２Ｂの基端側である幅狭部（第１基端領域）１２３Ａと、突状板部１２０−２Ｂの先端側である幅広部（第１先端領域）１２３Ｂとを有し、幅広部１２３Ｂは、幅狭部１２３Ａの先端から連設されている。具体的には、辺部１２１ｂと辺部１２１ｃの境界と辺部１２１ｏと辺部１２１ｐの境界を結ぶ仮想直線が幅狭部１２３Ａと幅広部１２３Ｂの境界といえる。幅広部１２３Ｂは、幅狭部１２３Ａに対して辺部１１４ｂに沿った両側の方向に突出して形成され、すなわち、幅広部１２３Ｂは、幅狭部１２３Ａの辺部１１４ｂに沿った方向の一方（Ｘ１方向）の側から突出した突出部（第１突出部）１２３Ｂ−１と、幅狭部１２３Ａの辺部１１４ｂに沿った方向の他方（Ｘ２方向）の側から突出した突出部（第１突出部）１２３Ｂ−２とを有している。つまり、突出部１２３Ｂ−１は、隣接する一方の突状部１２０−１における突状板部１２０−１Ｂの幅広部１２３Ｂ側に突出し（つまり、幅狭部１２３Ａにおける辺部１２１ｂよりも突出している）、突出部１２３Ｂ−２は、隣接する他方の突状部１２０−３における突状板部１２０−３Ｂの幅広部１２３Ｂ側に突出している（つまり、幅狭部１２３Ａにおける辺部１２１ｐよりも突出している）。つまり、突出部１２３Ｂ−１、１２３Ｂ−２は、折れ線Ｃ１２２の方向に沿った両側に突出している。なお、幅広部１２３Ｂは、折れ線Ｃ１２０を介して幅広部１２２Ｂから連設されている。
【０１４５】
次に、突状部１２０−１と突状部１２０−７は、左右方向（Ｘ１−Ｘ２方向）の長さが異なるとともに、左右対称に形成されている（図５に示す展開状態では、左右方向における中心線を介して左右線対称に形成されている）以外は同一の構成であるので、突状部２０−１を例に取って説明すると、突状部１２０−１は、突状板部１２０−１Ａと突状板部１２０−１Ｂとを有し、突状部１２０−１は、突状部１２０−２を前後方向の切断面で切断した形状を呈している。
【０１４６】
つまり、突状板部１２０−１Ａは、辺部１１２ｂの右側面側の端部から連設され、辺部１１２ｂに対して直角方向に形成された直線状の辺部１２０ｔと、辺部１２０ｔの端部から連設され、辺部１１２ｂに対して平行な直線状の辺部１２０ｉと、辺部１２０ｉの端部から連設され、略円弧状（円弧状としてもよい）の辺部１２０ｊと、辺部１２０ｊの端部から連設され、辺部１２０ｉの方向に対して鈍角をなす直線状の辺部１２０ｋと、辺部１２０ｋの端部から連設され、辺部１２０ｋに対して鈍角をなす直線状の辺部１２０ｌと、辺部１２０ｌの端部から連設され、略円弧状（円弧状としてもよい）の辺部１２０ｍと、辺部１２０ｍの端部から連設され、辺部１１２ｂに対して平行（略平行としてもよい）の直線状の辺部１２０ｎと、辺部１２０ｎの端部から連設され、略円弧状（円弧状としてもよい）の辺部１２０ｏと、辺部１２０ｏの端部から連設され、辺部１１２ｂに対して直角（略直角としてもよい）をなす直線状の辺部１２０ｐと、辺部１２０ｐの端部から辺部１１２ｂまで連設され、略円弧状（円弧状としてもよい）の辺部１２０ｑと、辺部１２０ｔの端部と辺部１２０ｑの端部間に形成され、辺部１２ｂに沿った辺部１２０ｒとを有している。つまり、突状板部１２０−１Ａは、突状板部１２０−２Ａを辺部１２０ｔで切断した左側の領域において、辺部１２０ｉ、１２０ｒを長くした構成であるといえる。
【０１４７】
突状板部１２０−１Ａは、上記のように構成されていて、突状板部１２０−１Ａの基端側である幅狭部（第２基端領域）１２２Ａと、突状板部１２０−１Ａの先端側である幅広部（第２先端領域）１２２Ｂとを有し、幅広部１２２Ｂは、幅狭部１２２Ａの先端から連設されている。具体的には、辺部１２０ｏと辺部１２０ｐの境界から辺部１２０ｔへの折れ線Ｃ１２１と平行な仮想直線が幅狭部１２２Ａと幅広部１２２Ｂの境界といえる。幅広部１２２Ｂは、幅狭部１２２Ａに対して辺部１１２ｂに沿ったＸ２側の方向に突出して形成され、すなわち、幅広部１２２Ｂは、幅狭部１２２Ａの辺部１１２ｂに沿った方向の一方（Ｘ２方向）の側から突出した突出部（第２突出部）１２２Ｂ−２を有している。つまり、突出部１２２Ｂ−２は、隣接する突状部１２０−２における突状板部１２０−２Ａの幅広部１２２Ｂ側に突出している（つまり、幅狭部１２２Ａにおける辺部１２０ｐよりも突出している）。
【０１４８】
また、突状板部１２０−１Ｂは、辺部１１４ｂの右側面側の端部から連設され、辺部１１４ｂに対して直角方向に形成された直線状の辺部１２１ｔと、辺部１２１ｔの端部から連設され、略円弧状（円弧状としてもよい）の辺部１２１ｈと、辺部１２１ｈの端部から連設され、辺部１１４ｂに対して平行な直線状の辺部１２１ｉと、辺部１２１ｉの端部から連設され、略円弧状（円弧状としてもよい）の辺部１２１ｊと、辺部１２１ｊの端部から連設され、辺部１２１ｉの方向に対して鈍角をなす直線状の辺部１２１ｋと、辺部１２１ｋの端部から連設され、辺部１２１ｋに対して鈍角をなす直線状の辺部１２１ｌと、辺部１２１ｌの端部から連設され、略円弧状（円弧状としてもよい）の辺部１２１ｍと、辺部１２１ｍの端部から連設され、辺部１１４ｂに対して平行（略平行としてもよい）の直線状の辺部１２１ｎと、辺部１２１ｎの端部から連設され、略円弧状（円弧状としてもよい）の辺部１２１ｏと、辺部１２１ｏの端部から連設され、辺部１１４ｂに対して直角（略直角としてもよい）をなす直線状の辺部１２１ｐと、辺部１２１ｐの端部から辺部１１４ｂまで連設され、略円弧状（円弧状としてもよい）の辺部１２１ｑと、辺部１２１ｔの端部と辺部１２１ｑの端部間に形成され、辺部１１４ｂに沿った辺部１２１ｒとを有している。つまり、突状板部１２０−１Ｂは、突状板部１２０−２Ｂを辺部１２０ｔで切断した左側の領域において、辺部１２１ｉ、１２１ｒを長くした構成であるといえる。
【０１４９】
突状板部１２０−１Ｂは、上記のように構成されていて、突状板部１２０−１Ｂの基端側である幅狭部（第１基端領域）１２３Ａと、突状板部１２０−２Ｂの先端側である幅広部（第１先端領域）１２３Ｂとを有し、幅広部１２３Ｂは、幅狭部１２３Ａの先端から連設されている。具体的には、辺部１２１ｏと辺部１２１ｐの境界から辺部１２１ｔへの折れ線Ｃ１２３と平行な仮想直線が幅狭部１２３Ａと幅広部１２３Ｂの境界といえる。幅広部１２３Ｂは、幅狭部１２３Ａに対して辺部１１２ｂに沿ったＸ２側の方向に突出して形成され、すなわち、幅広部１２２Ｂは、幅狭部１２２Ｂの辺部１１４ｂに沿った方向の一方（Ｘ２方向）の側から突出した突出部（第１突出部）１２３Ｂ−２を有している。つまり、突出部１２３Ｂ−２は、隣接する突状部１３０−２における突状板部１３０−２Ｂの幅広部１２３Ｂ側に突出している（つまり、幅狭部１２３Ａにおける辺部１２１ｐよりも突出している）。なお、幅広部１２３Ｂは、折れ線Ｃ１２０を介して幅広部１２２Ｂから連設されている。
【０１５０】
なお、突状部１２０−１の展開状態においては、突状板部１２０−１Ａと突状板部１２０−１Ｂとは、突状板部１２０−１Ａと突状板部１２０−１Ｂ間の折れ線Ｃ１２０（折れ線Ｃ１２０は、辺部１２０ｉ、１２１ｉと一致している）に沿った中心線を介して線対称に形成されている。
【０１５１】
また、突状板部１２０−７Ａは、突状板部１２０−１Ａと左右線対称とするとともに、辺部１２０ｉ、１２０ｒの長さを短くした構成であり、辺部１２０ａ〜１２０ｉと、辺部１２０ｉから辺部１１２ｂまで形成された辺部１１２ｂに対して直角の辺部１２０ｔと、辺部１２０ａと辺部１２０ｔ間に形成され、辺部１１２ｂに沿った辺部１２０ｒとを有している。つまり、突状板部１２０−７Ａは、突状板部１２０−２Ａを辺部１２０ｔで切断した右側の領域と同様の構成であるといえる。
【０１５２】
また、突状板部１２０−７Ｂは、突状板部１２０−１Ｂと左右線対称とするとともに、辺部１２０ｉ、１２０ｒの長さを短くした構成であり、辺部１２１ａ〜１２１ｉと、辺部１２１ｉから辺部１１４ｂまで形成された辺部１１４ｂに対して直角の辺部１２１ｔと、辺部１２１ａと辺部１２１ｔ間に形成され、辺部１１４ｂに沿った辺部１２１ｒとを有している。つまり、突状板部１２０−７Ｂは、突状板部１２０−２Ｂを辺部１２１ｔで切断した右側の領域と同様の構成であるといえる。
【０１５３】
なお、突状部１２０−７の展開状態においては、突状板部１２０−７Ａと突状板部１２０−７Ｂとは、突状板部１２０−７Ａと突状板部１２０−７Ｂ間の折れ線に沿った中心線を介して線対称に形成されている。以上のように、図２４における突状部１２０−１の左右方向（Ｘ１−Ｘ２方向）の長さは、突状部１２０−７の左右方向の長さよりも長く形成されている。
【０１５４】
また、突状板部１２０−１Ａ〜１２０−７Ａは、等間隔に配設されていて（つまり、隣接する突状板部間の間隔（例えば、辺部１２０ｂと辺部１２０ｐ間の間隔）は同一となっている）、突状板部１２０−１Ａ〜１２０−７Ａにおける隣接する突状板部の間には、同大同形状の切欠部１２０Ｗが設けられている。この切欠部１２０Ｗは、一対の幅狭部１２２Ａ間の幅広隙間部１２０ＷＡと、一対の幅広部１２２Ｂ間の幅狭隙間部１２０ＷＢとを有している。つまり、幅広隙間部１２０ＷＡは、辺部１２０ｂと辺部１２０ｐ間の隙間を有し、幅狭隙間部１２０ＷＢは、辺部１２０ｆと辺部１２０ｌ間の隙間を有している。
【０１５５】
また、突状板部１２０−１Ｂ〜１２０−７Ｂは、等間隔に配設されていて（つまり、隣接する突状板部間の間隔（例えば、辺部１２１ｂと辺部１２１ｐ間の間隔）は同一となっている）、突状板部１２０−１Ｂ〜１２０−７Ｂにおける隣接する突状板部の間には、同大同形状の切欠部１２１Ｗが設けられている。この切欠部１２１Ｗは、一対の幅狭部１２３Ａ間の幅広隙間部１２１ＷＡと、一対の幅広部１２３Ｂ間の幅狭隙間部１２１ＷＢとを有している。つまり、幅広隙間部１２１ＷＡは、辺部１２１ｂと辺部１２１ｐ間の隙間を有し、幅狭隙間部１２１ＷＢは、辺部１２１ｆと辺部１２１ｌ間の隙間を有している。
【０１５６】
さらに、突状部１２０−１〜１２０−７を二つ折りにした状態では、突状部１２０−１〜１２０−７における隣接する突状部間には、切欠部Ｗ１が形成され、この切欠部Ｗ１は、切欠部１２０Ｗと切欠部１２１Ｗが重なった状態で構成される。つまり、計６つの切欠部Ｗ１が設けられ、６つの切欠部Ｗ１は等間隔に設けられている。この切欠部Ｗ１は、切欠部１２０Ｗ、１２１Ｗと同様に、幅広隙間部Ｗ１Ａと幅狭隙間部Ｗ１Ｂとを有している。この幅広隙間部Ｗ１Ａにおいて、幅狭隙間部Ｗ１Ｂの左右方向の幅よりも左右方向に突出した部分の一方（突状部１２０−１側）が突状隙間部Ｗ１Ａ−１となり該突出した部分の他方（突状部１２０−７側）が突状隙間部Ｗ１Ａ−２となる。
【０１５７】
突状部１２０−１〜１２０−７における各突状部においては、一対の突状板部が二つ折りの状態となっているが、一対の突状板部の外周は一致（略一致としてもよい）した状態となっていて、各突状部は、突状板部と同様に、基端側の幅狭部（突状部基端部）１２０Ａと先端側の幅広部（突状部先端部）１２０Ｂとを有している。つまり、幅狭部１２０Ａは、幅狭部１２２Ａと幅狭部１２３Ａからなり、幅広部１２０Ｂは、幅広部１２２Ｂと幅広部１２３Ｂからなる。なお、当然、突状部１２０−１〜１２０−７は、等間隔に配設されている。
【０１５８】
また、幅広部１２０Ｂにおいては、折れ線Ｃ１２０に対して傾斜した辺部１２０ｋと辺部１２１ｋにより、幅広部１２０Ｂの先端側の一方の角部が面取りされているとともに、折れ線Ｃ１２０に対して傾斜した辺部１２０ｆと辺部１２１ｆにより、幅広部１２０Ｂの先端側の他方の角部が面取りされているので、突状部１２０−１〜１２０−７を商品に係止させる際に、幅広部１２０Ｂの先端側の角部が商品に接触して邪魔になることがない。
【０１５９】
なお、突状部１２０−１〜１２０−７における各突状部を構成する一対の突状板部は二つ折りの状態で接着されているが、突状部１２０−１〜１２０−７の全てに接着しなくてもよく、例えば、突状部１２０−１、１２０−３、１２０−５、１２０−７又は突状部１２０−１、１２０−３、１２０−５又は突状部１２０−２、１２０−４、１２０−６というように一つおきに接着してもよく、また、少なくとも、突状部１２０−１〜１２０−７における少なくとも１つが接着されていればよい。１つの突状部について接着する場合には、突状部群における中央に位置する突状部１２０−４について接着するのが好ましい。
【０１６０】
また、突状部１２０−１〜１２０−７における突状板部１２０−１Ａ〜１２０−７Ａにおいて、辺部１２０ｄと辺部１２０ｎを省略して、辺部１２０ｃから辺部１２０ｅが連設され、辺部１２０ｍから辺部１２０ｏが連設された構成としてもよい。また、突状板部１２０−１Ｂ〜１２０−７Ｂにおいて、辺部１２１ｄと辺部１２１ｎを省略して、辺部１２１ｃから辺部１２１ｅが連設され、辺部１２１ｍから辺部１２１ｏが連設された構成としてもよい。
【０１６１】
なお、整列具１０５の展開状態において、辺部１１２ａと、折れ線Ｃ１２１と、折れ線Ｃ１２０と、折れ線Ｃ１２２と、下板部１１４の辺部１１４ｂと反対側の辺部１１４ａとは互いに平行に形成されている。
【０１６２】
また、整列具１０５における各折れ線には、折れ線を介した折曲げを容易とするために罫線を形成するのが好ましい。その場合には、整列具１０５における外側の面（図２４の状態で外側となる面）側又は内側の面側から押圧した押罫により罫線を形成する。
【０１６３】
整列具１０５を扁平状に畳んだ状態は、図２４に示す状態となり、上板部１１２と下板部１１４が対向して接した状態となる。このように整列具１０５を畳んだ状態とすることにより、整列具１０５全体が扁平状となり、突状部１２０−１〜１２０−７が本体部１１０の面に対して突出することがないので、保管や運搬に便利となる。
【０１６４】
また、整列具１０５を組み立てるには、図２３に示す状態とし、上板部１１２と下板部１１４とを１つの平板状とし、突状部１２０−１〜１２０−７が本体部１１０に対して直角（略直角としてもよい）に突出した状態とする。
【０１６５】
上記構成の整列具１０５の使用方法について説明する。整列具１０５を図２４に示すように畳んだ状態から図２３に示すような組み立てた状態にするには、上板部１１２と下板部１１４間の角度を大きくして、該角度を略１８０度とし、上板部１１２と下板部１１４とが１つの平板状となるようにする。つまり、上板部１２２が下板部１１４に対して開いた状態とする。その際、突状部１２０−１〜１２０−７が上板部１１２や下板部１１４に対して直角になるように、図２８に示すように、手で突状部１２０−１〜１２０−７の本体部１１０に対する起立状態を整える。
【０１６６】
ここで、包装箱１５０は、包装箱５０と同様の構成であり、図２９に示すように、本体部１６０と、本体部１６０から連設された蓋部１５７と、蓋部１５７から連設された蓋フラップ１５８とを有し、本体部１６０は、正面部１５１と、右側面部１５２と、左側面部１５３と、背面部１５４と、右側面部１５２から連設された横フラップ１５５と、左側面部１５３から連設された横フラップ１５６と、正面部１５１、右側面部１５２、左側面部１５３、背面部１５４から連設された底面部１５９とを有している。
【０１６７】
本体部１６０の収納空間の大きさとしては、整列具１０５が本体部１６０内に収納可能であるように、該収納空間における長手方向の長さＬ１６０は、組立て状態の整列具１０５の左右方向の長さＬ１１０以上の長さに形成され、該収納空間における上下方向の長さＬ１６１は、組立て状態の整列具１０５の上下方向の長さ以上の長さに形成されている。
【０１６８】
また、包装箱１５０の収納空間の平面視における形状・大きさは、図３０に示すように、商品４００を２列で並べることができる形状・大きさを有し、特に、図３１に示すように、商品４００を２列で並べた状態で、２つの整列具１０５を差し込んで突状部１２０−１〜１２０−７を商品４００に係止させることにより、本体部１１０の一方の側に１列分の商品４００（つまり、商品列４００−１や商品列４００−２）が配置されるように、収納空間の形状・大きさが設定されている。なお、各商品列４００−１、４００−２においては、商品の配列方向（Ｘ１−Ｘ２方向）には隣接する商品４００の間には隙間なく収納する。
【０１６９】
また、商品４００は、実施例１における商品４００と略同様の構成であるが、図３２、図３３に示すように、パッケージ４０１における膨出部４１８が膨出部４２８よりも大きく形成され、膨出部４１８の縦板部４１１からの突出長さＬ４１８（図３３におけるＸ１方向への突出長さ）は、膨出部４２８の縦板部４２１からの突出長さＬ４２８（図３３におけるＸ２方向への突出長さ）よりも長く形成されている。特に、平面視において、膨出部４１８は、底面部４３０のＸ１側の辺部よりも突出して形成されている。つまり、実施例２における商品４００のパッケージ４０１においては、実施例１と異なり、半体部４１０と半体部４２０は面対称に形成されていない。
【０１７０】
突状部１２０−１の左右方向の長さが、突状部１２０−７の左右方向の長さよりも長く形成されているのは、膨出部４１８の突出長さが膨出部４２８の突出長さよりも長く形成されていることに基づく。
【０１７１】
なお、実施例２のパッケージ４０１の構成は、膨出部４１８、４２８の構成が異なる以外は、実施例１のパッケージ４０１と同様であるので、詳しい説明を省略する。
【０１７２】
整列具１０５により商品４００を整列させた状態では、突状部１２０−１〜１２０−７が商品４００に係止し（つまり、縁部４１５、４２５及び横板部４１３、４２３や縁部４１６、４２６及び横板部４１４、４２４が、突状部１２０−１〜１２０−７における隣接する２つの突状部が商品４００に係止する）、縁部４１５、４２５及び横板部４１３、４２３や縁部４１６、４２６及び横板部４１４、４２４が、幅広隙間部Ｗ１Ａに位置し、例えば、図３３に示すように、縁部４１５、４２５及び横板部４１３、４２３が突状部１２０−１〜１２０−７における隣接する２つの突状部に係止した状態では、縁部４１５、４２５及び横板部４１３、４２３が、切欠部Ｗ１の幅広隙間部Ｗ１Ａに位置し、縁部４１５及び横板部４１３が突状隙間部Ｗ１Ａ−１に入り込んだ状態となり、縁部４２５及び横板部４２３が凸状隙間部Ｗ１Ａ−２に入り込んだ状態となる。このようにして、商品４００が隣接する突状部間に係止するので、整列具１０５により商品４００が保持され、商品４００が容易に移動することがない。
【０１７３】
特に、縁部と横板部が突状隙間部Ｗ１Ａ−１、Ｗ１Ａ−２に入り込んだ状態となるので、商品４００が横方向にずれることがなく（図３３では、Ｘ１−Ｘ２方向のみならずＹ１−Ｙ２方向にもずれることがない）、また、縁部４１５と縁部４２５間の長さや縁部４１６と縁部４２６間の長さは、下方にいくほど長くなるように形成されているので、商品４００が上方に浮き上がるのも防止することができる。以上のようにして、整列具１０５により商品４００を十分保持することができる。
【０１７４】
商品４００は、Ｘ１−Ｘ２方向には、上端部の幅よりも下端部の幅が大きく形成されているため、商品４００の上側を突状部１２０−１〜１２０−７における２つの突状部で係止することができる。
【０１７５】
なお、整列具１０５は、商品４００を包装箱１５０の長手方向に隙間なく並べた状態で、組立て状態の整列具１０５を差し込んだ際に、縁部４１５、４２５及び横板部４１３、４２３や縁部４１６、４２６及び横板部４１４、４２４が、突状部１２０−１〜１２０−７における隣接する２つの突状部に係止するように、切欠部Ｗ１が形成されていて、特に、幅広隙間部Ｗ１Ａの位置や長さ（突状部１２０−１〜１２０−７の配列方向（図２４におけるＸ１−Ｘ方向）の長さ）が設定されている。また、突状部１２０−１〜１２０−７の上下方向の位置も、縁部４１５、４２５及び横板部４１３、４２３や縁部４１６、４２６及び横板部４１４、４２４が、突状部に係止するように設定されている。
【０１７６】
整列具１０５の使用に際しては、まず、図３０に示すように、包装箱１５０に商品４００を２列に収納する。つまり、図３０に示すように、１列の商品からなる商品列４００−１と、他の１列の商品からなる商品列４００−２を設ける。その際、各商品列における配設方向と直角方向のいずれかの側には、整列具１０５を差し込むことができるように、隙間を設けておく。例えば、商品列４００−１と商品列４００−２間に隙間を設けるとともに、商品列４００−１と背面部１５４間に隙間を設ける。なお、商品列４００−１と商品列４００−２間に隙間を設けるとともに、商品列４００−２と正面部１５１間に隙間を設けてもよいし、商品列４００−１と背面部１５４間に隙間を設けるとともに、商品列４００−２と正面部１５１間に隙間を設けてもよい。なお、商品列４００−１においては、隣接する商品４００同士は隙間を設ける必要がなく、同様に、商品列４００−２においては、隣接する商品４００同士は隙間を設ける必要がない。
【０１７７】
次に、上記で設けた隙間に組立て状態の整列具１０５を差し込んで包装箱１５０に収納し、整列具１０５を商品４００に取り付ける。その際、切欠部Ｗ１の位置に各商品４００の位置に切欠部Ｗ１を合わせて、突状部１２０−１〜１２０−７が商品４００に係止するようにする。すると、整列具１０５は、図３１〜図３３に示すように取り付けられ、整列具１０５により商品４００が整列された状態となる。また、商品列４００−１と商品列４００−２間の整列具１０５における本体部１１０により、商品列４００−１と商品列４００−２が仕切られた状態となっている。以上のようにして、切欠部Ｗ１に商品４００の端部を配置することにより、突状部１２０−１〜１２０−７により商品４００が突状部１２０−１〜１２０−７の配設方向（Ｘ１−Ｘ２方向（辺部１１４ａや辺部１１２ａの方向としてもよい））に沿って整列した状態が保持される。
【０１７８】
また、整列具１０５の高さ方向の長さＬ１１１は、収納される商品４００の高さ方向の長さよりも長く形成されているので、上方からの圧力を本体部１１０で支えることができ、商品４００を保護することができる。
【０１７９】
なお、図３２は、図３１において、包装箱１５０を除いた状態を示す斜視図であり、図３３は、図３２を平面視した場合の平面図となる。
【０１８０】
また、商品４００を包装箱１５０から取り出す際には、整列具１０５を抜き取った上で商品４００を取り出す。なお、整列具１０５を抜き取る際には、本体部１１０の上端部分をつかんで、上方に引き上げればよい。
【０１８１】
以上のように、本実施例の整列具１０５によれば、商品４００の端部を切欠部Ｗ１内に配置して突状部１２０−１〜１２０−７を商品４００に係止させることにより商品４００を整列させるので、商品４００を図３３におけるＸ１−Ｘ２方向に隙間なく収納することができ、Ｘ１−Ｘ２方向における収納空間を小さくすることができ、商品の該一方の方向（Ｘ１−Ｘ２方向）の幅が商品の上端部分よりも下端部分が大きい場合に、該一方の方向における収納空間を小さくすることができる。
【０１８２】
また、図３１に示すように、商品４００の上方が整列具１０５により覆われることがないので、整列具１０５により商品４００を整列させた際には、商品４００が整列具１０５により整列されている状態を目視により確認することができ、突状部１２０−１〜１２０−７の商品４００への係止の状態も目視により確認することができる。
【０１８３】
なお、突状部群には７つの突状部（つまり、突状部１２０−１〜１２０−７）が設けられているとしたが、突状部群に少なくとも３つの突状部が設けられ、突状部群において、少なくとも２つの切欠部Ｗ１が設けられる構成であればよい。
【０１８４】
また、なお、整列具１０５において、実施例１の図１２の場合と同様に、折れ線を介した折曲が容易となるように、折れ線に沿って切込みを形成してもよい。つまり、折れ線Ｃ１２１、Ｃ１２０、Ｃ１２２に沿って切込みを形成した構成としてもよい。
【実施例３】
【０１８５】
本発明の実施例３に基づく整列具は包装箱と一体になったものであり、包装箱２０５は、図３４〜図３７に示すように構成され、包装箱２０５は、包装箱本体２０６と、包装箱本体２０６の正面部２１０から連設された整列具３００とを有している。包装箱２０５は、全体に１枚のシート状のブランク（具体的には、段ボール製（例えば、薄型段ボール製）のブランクであり、厚紙製のブランク等の他の紙製のブランクでもよい）により形成されている。つまり、包装箱２０５は、段ボール材（特に、両面段ボール材）等の紙製の包装箱である。段ボールにおける断面略波形形状の中芯の段の方向は、図３５における円内に示す方向となっていて、スリーブ状部２０８における下辺に対して直角の方向となっている（なお、段ボールにおける中芯の段の方向はこれには限られない）。
【０１８６】
ここで、包装箱本体２０６は、スリーブ状部２０８と、底面部２５０と、横フラップ２６０、２６２と、蓋部２７０と、蓋フラップ２７２とを有している。なお、包装箱本体２０６から蓋部２７０と蓋フラップ２７２を除いた構成が、本体部２０７となる。
【０１８７】
ここで、スリーブ状部２０８は、正面部２１０と、正面部２１０の右側面側の辺部から折れ線を介して連設された右側面部２２０と、正面部２１０の左側面側の辺部から折れ線を介して連設された左側面部２３０と、左側面部２３０の背面側の辺部から折れ線を介して連設された背面部２４０と、背面部２４０の右側面側の辺部から折れ線を介して連設された糊代部２４９とを有している。スリーブ状部２０８を構成する各部の上辺と下辺は、平行に形成されている。正面部２１０と右側面部２２０と左側面部２３０と背面部２４０とで、本体部２０７の周壁部が構成される。
【０１８８】
正面部２１０と背面部２４０とは横長長方形状に形成され、正面部２１０と背面部２４０においては、横方向の長さと上下方向の長さが同一（略同一としてもよい）に形成されている。また、右側面部２２０と左側面部２３０とは縦長長方形状に形成され、右側面部２２０と左側面部２３０においては、横方向の長さと上下方向の長さが同一（略同一としてもよい）に形成されている。また、糊代部２４９は、縦長の台形形状（帯状としてもよい）を呈し、右側面部２２０の内側の面の背面側の領域に接着されている。
【０１８９】
また、横フラップ２６０は、右側面部２２０の上辺から連設され、略台形形状を呈し、横フラップ２６２は、左側面部２３０の上辺から連設され、略台形形状を呈している。包装箱２０６の展開状態において、横フラップ２６２は、横フラップ２６０と正面部２１０の左右方向における中心を通る中心線を介して線対称に形成されている。
【０１９０】
また、蓋部２７０は、細長の長方形状を呈し、背面部２４０の上辺から連設されており、蓋フラップ２７２は、蓋部２７０の先端から連設され、帯状を呈している。蓋部２７０の長手方向の長さは、背面部２４０の上辺の長さと同一に形成され、蓋部２７０の短手方向の長さは、右側面部２２０や左側面部２３０の横方向の長さと略同一（厳密には若干短く）形成されている。
【０１９１】
また、底面部２５０は、本体部２０７の底面を構成するものであり、底面部２５０は、第１片部２５２と、第２片部２５４と、第３片部２５６と、第４片部２５８とを有し、包装箱２０５の組立て状態においては、略方形状の外形を呈している。この底面部２５０は、いわゆるワンタッチ底と呼ばれるものである。底面部２５０は、周壁部の底面側を塞ぐものである。
【０１９２】
ここで、第１片部２５２は、左側面部２３０の下端から折れ線を介して連設され、先端側にいくほど幅狭となる略台形形状に形成され、その上面の一部が包装箱２０５の内底面の一部を形成している。この第１片部２５２は、底面部２５０の組立て状態においては、第４片部２５８と点対称に形成されている。
【０１９３】
また、第２片部２５４は、正面部２１０の下端から折れ線を介して連設され、略長方形状に形成され、第２片部２５４の上面の一部が包装箱２０５の内底面の一部を形成している。また、第２片部２５４の角部（正面部２１０と右側面部２２０の境界位置の角部）からは第２片部２５４の正面部２１０との境界をなす辺部に対して斜めに折れ線２５４−１（この折れ線２５４−１は、上面側が山折れ線となっている）が形成され、包装箱２０５を折り畳む際に、容易に折り畳むことができるようになっている。第２片部２５４は、折れ線２５４−１を介して本体部２５４Ａと先端部２５４Ｂとに区画される。本体部２５４Ａの先端の先端部２５４Ｂ側には、他方の本体部２５６Ａと互いに係止するように切欠部２５４Ａａが形成されている。先端部２５４Ｂの上面は、第４片部２５８の下面に接着されている。
【０１９４】
また、第３片部２５６は、背面部２４０の下端から折れ線を介して連設され、底面部２５０の組立て状態においては、第２片部２５４と点対称に形成されている。すなわち、第３片部２５６は、背面部２４０の下端から折れ線を介して連設され、略長方形状に形成され、第３片部２５６の上面の一部が包装箱２０５の内底面の一部を形成している。また、第３片部２５６の角部（背面部２４０と左側面部２３０の境界位置の角部）からは第３片部２５６の背面部２４０との境界をなす辺部に対して斜めに折れ線２５６−１（この折れ線２５６−１は、上面側が山折れ線となっている）が形成され、包装箱２０５を折り畳む際に、容易に折り畳むことができるようになっている。第３片部２５６は、折れ線２５６−１を介して本体部２５６Ａと先端部２５６Ｂとに区画される。本体部２５６Ａの先端の先端部２５６Ｂ側には、他方の本体部２５４Ａと互いに係止するように切欠部２５６Ａａが形成されている。先端部２５６Ｂの上面は、第１片部２５２の下面に接着されている。
【０１９５】
また、第４片部２５８は、右側面部２２０の下端から折れ線を介して連設され、先端側にいくほど幅狭となる略台形形状に形成され、その上面の一部が包装箱２０５の内底面の一部を形成している。
【０１９６】
底面部２５０は、ワンタッチ底であるとして説明したが、他の形状でもよく、例えば、地獄底の形状としてもよい。
【０１９７】
なお、本体部２０７の収納空間の大きさとしては、Ｙ１−Ｙ２方向には、商品４００のＹ１−Ｙ２方向の長さと略同一（厳密には、若干大きい）の長さを有し、Ｘ１−Ｘ２方向には、６つの商品４００を配列できる長さを有している。
【０１９８】
また、整列具３００は、正面部２１０の上辺から折れ線（第１折れ線）Ｃ２１０を介して連設された連結部３１２と、連結部３１２の正面部２１０側とは反対側の辺部から折れ線（第２折れ線）Ｃ３２１を介して連設された突状部３２０−１〜３２０−７と、突状部３２０−１〜３２０−７から折れ線Ｃ３２２を介して連設された帯状部（先端部）３１４とを有している。
【０１９９】
ここで、連結部３１２は、長方形状の板状を呈し、長手方向には、正面部２１０の上辺の長さよりも若干短く形成され、短手方向には、少なくとも正面部２１０の上辺と下辺間の長さＬ２１０よりも短く形成され（つまり、長さＬ３１２は、長さＬ２１０よりも短い）、具体的には、長さＬ２１０の２分の１以下（好適には、３分の１以下）に形成され、より具体的には、図４１のように整列具３００により商品４００を整列させた際に、突状部３２０−１〜３２０−７が商品４００に係止する長さに形成されている。つまり、連結部３１２が正面部２１０に対して折り返され、正面部２１０の内側の面に沿った状態で、突状部３２０−１〜３２０−７が商品４００に係止する長さとなっている。連結部３１２は、正面部２１０と突状部３２０−１〜３２０−７を連結するものである。
【０２００】
この連結部３１２には、突状部３２０−１〜３２０−７を商品４００に係止させる作業を容易とするために、罫線（折れ線としてもよい）Ｃ３１２ａ、Ｃ３１２ｂが形成されている。これらの罫線Ｃ３１２ａ、Ｃ３１２ｂは、折れ線Ｃ２１０に平行（略平行としてもよい）に形成され、折れ線Ｃ２１０と罫線Ｃ３１２ａ間の長さＬ３１２ａと、罫線Ｃ３１２ａと罫線Ｃ３１２ｂ間の長さＬ３１２ｂと、罫線Ｃ３１２ｂと折れ線Ｃ３２１間の長さＬ３１２ｃを比べると、長さＬ３１２ｃは、長さＬ３１２ｂよりも長く、長さＬ３１２ｂは、長さＬ３１２ａよりも長く形成されている。連結部３１２には罫線Ｃ３１２ａ、Ｃ３１２ｂが形成されているので、連結部３１２を罫線Ｃ３１２ａ、Ｃ３１２ｂを介して折曲することができ、連結部３１２が正面部２１０の内側の面に沿った状態としつつ、突状部３２０−１〜３２０−７を商品４００に係止させる作業を容易とすることができる。
【０２０１】
また、折れ線Ｃ２１０と折れ線Ｃ３１２ａ間の領域３１２−１と、折れ線Ｃ３１２ａと折れ線Ｃ３１２ｂ間の領域３１２−２の境界位置には、略コ字状の切込みＫ３１２が設けられていて、切込みＫ３１２の端部は、折れ線Ｃ３１２ａに接している。つまり、領域３１２−１は、切込みＫ３１２に沿った辺部を有する突部３１２−１ａを有している。この突部３１２−１ａは、突状部３２０−１〜３２０−７が商品４００に係止した状態から該係止した状態を解除して整列具３００を上方に引き上げる際に、指を係止するのに使用する。
【０２０２】
連結部３１２は、折れ線Ｃ２１０と折れ線３１２ａ間の領域３１２−１と、折れ線Ｃ３１２ａと折れ線Ｃ３１２ｂ間の領域３１２−２と、折れ線Ｃ３１２ｂと折れ線Ｃ３２１間の領域３１２−３に区画されている。
【０２０３】
連結部３１２の短手方向の長さ（折れ線Ｃ２１０と折れ線Ｃ３２１間の長さ）は、連結部３１２を正面部２１０に対して折り返した状態で突状部３２０−１〜３２０−７が商品４００に係止する長さに形成されている。
【０２０４】
また、突状部３２０−１〜３２０−７は、連結部３１２の辺部３１２ｂ（正面部２１０側とは反対側の長手辺）から折れ線Ｃ３２１を介して連設されるとともに、帯状部３１４の下辺（長手辺）から折れ線Ｃ３２２を介して連設され、突状部３２０−１〜３２０−７における各突状部は、連結部３１２から連設された突状板部（突状板部３２０−１Ａ〜３２０−７Ａにおける突状板部）と帯状部３１４から連設された突状板部（突状板部３２０−１Ｂ〜３２０−７Ｂにおける突状板部）とを有している。すなわち、突状部３２０−１は、突状板部３２０−１Ａと、突状板部３２０−１Ａから折れ線Ｃ３２０を介して連設された突状板部３２０−１Ｂとを有し、突状板部３２０−１Ａと突状板部３２０−１Ｂ間の折れ線Ｃ３２０を介して二つ折りにした状態となっており、突状部３２０−２は、突状板部３２０−２Ａと、突状板部３２０−２Ａから折れ線Ｃ３２０を介して連設された突状板部３２０−２Ｂとを有し、突状板部３２０−２Ａと突状板部３２０−２Ｂ間の折れ線Ｃ３２０を介して二つ折りにした状態となっており、突状部３２０−３は、突状板部３２０−３Ａと、突状板部３２０−３Ａから折れ線Ｃ３２０を介して連設された突状板部３２０−３Ｂとを有し、突状板部３２０−３Ａと突状板部３２０−３Ｂ間の折れ線Ｃ３２０を介して二つ折りにした状態となっており、突状部３２０−４は、突状板部３２０−４Ａと、突状板部３２０−４Ａから折れ線Ｃ３２０を介して連設された突状板部３２０−４Ｂとを有し、突状板部３２０−４Ａと突状板部３２０−４Ｂ間の折れ線Ｃ３２０を介して二つ折りにした状態となっており、突状部３２０−５は、突状板部３２０−５Ａと、突状板部３２０−５Ａから折れ線Ｃ３２０を介して連設された突状板部３２０−５Ｂとを有し、突状板部３２０−５Ａと突状板部３２０−５Ｂ間の折れ線Ｃ３２０を介して二つ折りにした状態となっており、突状部３２０−６は、突状板部３２０−６Ａと、突状板部３２０−６Ａから折れ線Ｃ３２０を介して連設された突状板部３２０−６Ｂとを有し、突状板部３２０−６Ａと突状板部３２０−６Ｂ間の折れ線Ｃ３２０を介して二つ折りにした状態となっており、突状部３２０−７は、突状板部３２０−７Ａと、突状板部３２０−７Ａから折れ線Ｃ３２０を介して連設された突状板部３２０−７Ｂとを有し、突状板部３２０−７Ａと突状板部３２０−７Ｂ間の折れ線Ｃ３２０を介して二つ折りにした状態となっている。突状部３２０−１〜３２０−７の７つの突状部により突状部群が構成される。また、突状板部３２０−１Ａ〜３２０−７Ａは、第１突状板部に当たり、突状板部３２０−１Ｂ〜３２０−７Ｂは、第２突状板部に当たる。
【０２０５】
ここで、突状板部３２０−２Ａは、実施例１における突状板部３０−２Ａと左右方向（Ｘ１−Ｘ２方向）の長さが異なり（具体的には、辺部３２０ｉの長さが辺部２１ｉとは異なり、辺部３２０ｒの長さが辺部２１ｒとは異なる）、辺部３２０ｅ、３２０ｍの径の大きさが辺部２１ｅ、２１ｍの径の大きさよりも大きく、辺部３２０ｄ、３２０ｎの長さが辺部２１ｄ、２１ｎの長さよりも長い以外は同様の構成であり、辺部３２０ａ〜辺部３２０ｒを有している。すなわち、連結部３１２の辺部３１２ｂから連設された略円弧状（円弧状としてもよい）の辺部３２０ａと、辺部３２０ａの端部から連設され、辺部３１２ｂに対して直角（略直角としてもよい）をなす直線状の辺部３２０ｂと、辺部３２０ｂの端部から連設され、略円弧状（円弧状としてもよい）の辺部３２０ｃと、辺部３２０ｃの端部から連設され、辺部３１２ｂに対して平行（略平行としてもよい）の直線状の辺部３２０ｄと、辺部３２０ｄの端部から連設され、略円弧状（円弧状としてもよい）の辺部３２０ｅと、辺部３２０ｅの端部から連設され、辺部３１２ｂに対して直角（略直角としてもよい）をなす直線状の辺部３２０ｆと、辺部３２０ｆの端部から連設され、辺部３２０ｆに対して鈍角をなす直線状の辺部３２０ｇと、辺部３２０ｇの端部から連設され、略円弧状（円弧状としてもよい）の辺部３２０ｈと、辺部３２０ｈの端部から連設され、辺部３１２ｂに対して平行な直線状の辺部３２０ｉと、辺部３２０ｉの端部から連設され、略円弧状（円弧状としてもよい）の辺部３２０ｊと、辺部３２０ｊの端部から連設され、辺部３２０ｉの方向に対して鈍角をなす直線状の辺部３２０ｋと、辺部３２０ｋの端部から連設され、辺部３２０ｋに対して鈍角をなす直線状の辺部３２０ｌと、辺部３２０ｌの端部から連設され、略円弧状（円弧状としてもよい）の辺部３２０ｍと、辺部３２０ｍの端部から連設され、辺部３１２ｂに対して平行（略平行としてもよい）の直線状の辺部３２０ｎと、辺部３２０ｎの端部から連設され、略円弧状（円弧状としてもよい）の辺部３２０ｏと、辺部３２０ｏの端部から連設され、辺部３１２ｂに対して直角（略直角としてもよい）をなす直線状の辺部３２０ｐと、辺部３２０ｐの端部から辺部３１２ｂまで連設され、略円弧状（円弧状としてもよい）の辺部３２０ｑと、辺部３２０ａの端部と辺部３２０ｑの端部間に形成され、辺部３１２ｂに沿った辺部３２０ｒとを有している。
【０２０６】
突状板部３２０−２Ａは、上記のように構成されていて、突状板部３２０−２Ａの基端側である幅狭部（第１基端領域）３２２Ａと、突状板部３２０−２Ａの先端側である幅広部（第１先端領域）３２２Ｂとを有し、幅広部３２２Ｂは、幅狭部３２２Ａの先端から連設されている。具体的には、辺部３２０ｂと辺部３２０ｃの境界と辺部３２０ｏと辺部３２０ｐの境界を結ぶ仮想直線が幅狭部３２２Ａと幅広部３２２Ｂの境界といえる。幅広部３２２Ｂは、幅狭部３２２Ａに対して辺部３１２ｂに沿った両側の方向に突出して形成され、すなわち、幅広部３２２Ｂは、幅狭部３２２Ａの辺部３１２ｂに沿った方向の一方（Ｘ１方向）の側から突出した突出部（第１突出部）３２２Ｂ−１と、幅狭部３２２Ａの辺部３１２ｂに沿った方向の他方（Ｘ２方向）の側から突出した突出部（第１突出部）３２２Ｂ−２とを有している。つまり、突出部３２２Ｂ−１は、隣接する一方の突状部３２０−１における突状板部３２０−１Ａの幅広部３２２Ｂ側に突出（つまり、幅狭部３２２Ａにおける辺部３２０ｂよりも突出している）し、突出部３２２Ｂ−２は、隣接する他方の突状部３２０−３における突状板部３２０−３Ａの幅広部３２２Ｂ側に突出しているつまり、幅狭部３２２Ａにおける辺部３２０ｐよりも突出している）。つまり、突出部３２２Ｂ−１、３２２Ｂ−２は、折れ線Ｃ３２１の方向に沿った両側に突出している。
【０２０７】
また、突状板部３２０−２Ｂは、連結部３１２の辺部３１２ｂから連設された略円弧状（円弧状としてもよい）の辺部３２１ａと、辺部３２１ａの端部から連設され、辺部３１１４ｂに対して直角（略直角としてもよい）をなす直線状の辺部３２１ｂと、辺部３２１ｂの端部から連設され、略円弧状（円弧状としてもよい）の辺部３２１ｃと、辺部３２１ｃの端部から連設され、辺部３１４ｂに対して平行（略平行としてもよい）の直線状の辺部３２１ｄと、辺部３２１ｄの端部から連設され、略円弧状（円弧状としてもよい）の辺部３２１ｅと、辺部３２１ｅの端部から連設され、辺部３１４ｂに対して直角（略直角としてもよい）をなす直線状の辺部３２１ｆと、辺部３２１ｆの端部から連設され、辺部３２１ｆに対して鈍角をなす直線状の辺部３２１ｇと、辺部３２１ｇの端部から連設され、略円弧状（円弧状としてもよい）の辺部３２１ｈと、辺部３２１ｈの端部から連設され、辺部３１４ｂに対して平行な直線状の辺部３２１ｉと、辺部３２１ｉの端部から連設され、略円弧状（円弧状としてもよい）の辺部３２１ｊと、辺部３２１ｊの端部から連設され、辺部３２１ｉの方向に対して鈍角をなす直線状の辺部３２１ｋと、辺部３２１ｋの端部から連設され、辺部３２１ｋに対して鈍角をなす直線状の辺部３２１ｌと、辺部３２１ｌの端部から連設され、略円弧状（円弧状としてもよい）の辺部３２１ｍと、辺部３２１ｍの端部から連設され、辺部３１４ｂに対して平行（略平行としてもよい）の直線状の辺部３２１ｎと、辺部３２１ｎの端部から連設され、略円弧状（円弧状としてもよい）の辺部３２１ｏと、辺部３２１ｏの端部から連設され、辺部３１４ｂに対して直角（略直角としてもよい）をなす直線状の辺部３２１ｐと、辺部３２１ｐの端部から辺部３１４ｂまで連設され、略円弧状（円弧状としてもよい）の辺部３２１ｑと、辺部３２１ａの端部と辺部３２１ｑの端部間に形成され、辺部３１４ｂに沿った辺部３２１ｒとを有している。
【０２０８】
突状板部３２０−２Ｂは、突状板部３２０−２Ｂの辺部３１４ｂに沿った方向（左右方向）における中心線Ｊ２（該中心線Ｊ２は、左右方向に対する直角方向となっている）を介して線対称に形成されている。
【０２０９】
また、突状部３２０−２の展開状態においては、突状板部３２０−２Ａと突状板部３２０−２Ｂとは、突状板部３２０−２Ａと突状板部３２０−２Ｂ間の折れ線Ｃ３２０（折れ線Ｃ３２０は、辺部３２０ｉ、３２１ｉと一致している）に沿った中心線を介して線対称に形成されている。
【０２１０】
突状板部３２０−２Ｂは、上記のように構成されていて、突状板部３２０−２Ｂの基端側である幅狭部（第２基端領域）３２３Ａと、突状板部３２０−２Ｂの先端側である幅広部（第２先端領域）３２３Ｂとを有し、幅広部３２３Ｂは、幅狭部３２３Ａの先端から連設されている。具体的には、辺部３２１ｂと辺部３２１ｃの境界と辺部３２１ｏと辺部３２１ｐの境界を結ぶ仮想直線が幅狭部３２３Ａと幅広部３２３Ｂの境界といえる。幅広部３２３Ｂは、幅狭部３２３Ａに対して辺部３１４ｂに沿った両側の方向に突出して形成され、すなわち、幅広部３２３Ｂは、幅狭部３２３Ａの辺部３１４ｂに沿った方向の一方（Ｘ１方向）の側から突出した突出部（第２突出部）３２３Ｂ−１と、幅狭部３２３Ａの辺部３１４ｂに沿った方向の他方（Ｘ２方向）の側から突出した突出部（第２突出部）３２３Ｂ−２とを有している。つまり、突出部３２３Ｂ−１は、隣接する一方の突状部３２０−１における突状板部３２０−１Ｂの幅広部３２３Ｂ側に突出し（つまり、幅狭部３２３Ａにおける辺部３２１ｂよりも突出している）、突出部３２３Ｂ−２は、隣接する他方の突状部３２０−３における突状板部３２０−３Ｂの幅広部３２３Ｂ側に突出している（つまり、幅狭部３２３Ａにおける辺部３２１ｐよりも突出している）。つまり、突出部３２３Ｂ−１、３２３Ｂ−２は、折れ線Ｃ３２２の方向に沿った両側に突出している。なお、幅広部３２３Ｂは、折れ線Ｃ３２０を介して幅広部３２２Ｂから連設されている。
【０２１１】
次に、突状部３２０−１と突状部３２０−７は、左右方向（Ｘ１−Ｘ２方向）の長さが異なるとともに、左右対称に形成されている（図３５に示す展開状態では、左右方向における中心線を介して左右線対称に形成されている）以外は同一の構成であるので、突状部３２０−１を例に取って説明すると、突状部３２０−１は、突状板部３２０−１Ａと突状板部３２０−１Ｂとを有し、突状部３２０−１は、突状部３２０−２を前後方向の切断面で切断した形状を呈している。
【０２１２】
つまり、突状板部３２０−１Ａは、辺部３１２ｂの右側面側の端部から連設され、辺部３１２ｂに対して直角方向に形成された直線状の辺部３２０ｔと、辺部３２０ｔの端部から連設され、辺部３１２ｂに対して平行な直線状の辺部３２０ｉと、辺部３２０ｉの端部から連設され、略円弧状（円弧状としてもよい）の辺部３２０ｊと、辺部３２０ｊの端部から連設され、辺部３２０ｉの方向に対して鈍角をなす直線状の辺部３２０ｋと、辺部３２０ｋの端部から連設され、辺部３２０ｋに対して鈍角をなす直線状の辺部３２０ｌと、辺部３２０ｌの端部から連設され、略円弧状（円弧状としてもよい）の辺部３２０ｍと、辺部３２０ｍの端部から連設され、辺部３１２ｂに対して平行（略平行としてもよい）の直線状の辺部３２０ｎと、辺部３２０ｎの端部から連設され、略円弧状（円弧状としてもよい）の辺部３２０ｏと、辺部３２０ｏの端部から連設され、辺部３１２ｂに対して直角（略直角としてもよい）をなす直線状の辺部３２０ｐと、辺部３２０ｐの端部から辺部３１２ｂまで連設され、略円弧状（円弧状としてもよい）の辺部３２０ｑと、辺部３２０ｔの端部と辺部３２０ｑの端部間に形成され、辺部３１２ｂに沿った辺部３２０ｒとを有している。つまり、突状板部３２０−１Ａは、突状板部３２０−２Ａを辺部３２０ｔで切断した左側の領域であるといえる。
【０２１３】
突状板部３２０−１Ａは、上記のように構成されていて、突状板部３２０−１Ａの基端側である幅狭部（第１基端領域）３２２Ａと、突状板部３２０−１Ａの先端側である幅広部（第１先端領域）３２２Ｂとを有し、幅広部３２２Ｂは、幅狭部３２２Ａの先端から連設されている。具体的には、辺部３２０ｏと辺部３２０ｐの境界から辺部３２０ｔへの折れ線Ｃ３２１と平行な仮想直線が幅狭部３２２Ａと幅広部３２２Ｂの境界といえる。幅広部３２２Ｂは、幅狭部３２２Ａに対して辺部３１２ｂに沿ったＸ２側の方向に突出して形成され、すなわち、幅広部３２２Ｂは、幅狭部３２２Ａの辺部３１２ｂに沿った方向の一方（Ｘ２方向）の側から突出した突出部（第１突出部）３２２Ｂ−２を有している。つまり、突出部３２２Ｂ−２は、隣接する突状部３２０−２における突状板部３２０−２Ａの幅広部３２２Ｂ側に突出している（つまり、幅狭部３２２Ａにおける辺部３２０ｐよりも突出している）。
【０２１４】
また、突状板部３２０−１Ｂは、辺部３１４ｂの右側面側の端部から連設され、辺部３１４ｂに対して直角方向に形成された直線状の辺部３２１ｔと、辺部３２１ｔの端部から連設され、略円弧状（円弧状としてもよい）の辺部３２１ｈと、辺部３２１ｈの端部から連設され、辺部３１４ｂに対して平行な直線状の辺部３２１ｉと、辺部３２１ｉの端部から連設され、略円弧状（円弧状としてもよい）の辺部３２１ｊと、辺部３２１ｊの端部から連設され、辺部３２１ｉの方向に対して鈍角をなす直線状の辺部３２１ｋと、辺部３２１ｋの端部から連設され、辺部３２１ｋに対して鈍角をなす直線状の辺部３２１ｌと、辺部３２１ｌの端部から連設され、略円弧状（円弧状としてもよい）の辺部３２１ｍと、辺部３２１ｍの端部から連設され、辺部３１４ｂに対して平行（略平行としてもよい）の直線状の辺部３２１ｎと、辺部３２１ｎの端部から連設され、略円弧状（円弧状としてもよい）の辺部３２１ｏと、辺部３２１ｏの端部から連設され、辺部３１４ｂに対して直角（略直角としてもよい）をなす直線状の辺部３２１ｐと、辺部３２１ｐの端部から辺部３１４ｂまで連設され、略円弧状（円弧状としてもよい）の辺部３２１ｑと、辺部３２１ｔの端部と辺部３２１ｑの端部間に形成され、辺部３１４ｂに沿った辺部３２１ｒとを有している。つまり、突状板部３２０−１Ｂは、突状板部３２０−２Ｂを辺部３２１ｔで切断した左側の領域であるといえる。
【０２１５】
突状板部３２０−１Ｂは、上記のように構成されていて、突状板部３２０−１Ｂの基端側である幅狭部（第２基端領域）３２３Ａと、突状板部３２０−２Ｂの先端側である幅広部（第２先端領域）３２３Ｂとを有し、幅広部３２３Ｂは、幅狭部３２３Ａの先端から連設されている。具体的には、辺部３２１ｏと辺部３２１ｐの境界から辺部３２１ｔへの折れ線Ｃ３２３と平行な仮想直線が幅狭部３２３Ａと幅広部３２３Ｂの境界といえる。幅広部３２３Ｂは、幅狭部３２３Ａに対して辺部３１４ｂに沿ったＸ２側の方向に突出して形成され、すなわち、幅広部３２３Ｂは、幅狭部３２３Ａの辺部３１４ｂに沿った方向の一方（Ｘ２方向）の側から突出した突出部（第２突出部）３２３Ｂ−２を有している。つまり、突出部３２３Ｂ−２は、隣接する突状部３２０−２における突状板部３３０−２Ｂの幅広部３２３Ｂ側に突出している（つまり、幅狭部３２３Ａにおける辺部３２１ｐよりも突出している）。なお、幅広部３２３Ｂは、折れ線Ｃ３２０を介して幅広部３２２Ｂから連設されている。
【０２１６】
なお、突状部３２０−１の展開状態においては、突状板部３２０−１Ａと突状板部３２０−１Ｂとは、突状板部３２０−１Ａと突状板部３２０−１Ｂ間の折れ線Ｃ３２０（折れ線Ｃ３２０は、辺部３２０ｉ、３２１ｉと一致している）に沿った中心線を介して線対称に形成されている。
【０２１７】
また、突状板部３２０−７Ａは、突状板部３２０−１Ａと左右線対称に形成されており、辺部３２０ａ〜３２０ｉと、辺部３２０ｉから辺部３１２ｂまで形成された辺部３１２ｂに対して直角の辺部３２０ｔと、辺部３２０ａと辺部３２０ｔ間に形成され、辺部３１２ｂに沿った辺部３２０ｒとを有している。つまり、突状板部３２０−７Ａは、突状板部３２０−２Ａを辺部３２０ｔで切断した右側の領域と同様の構成であるといえる。
【０２１８】
また、突状板部３２０−７Ｂは、突状板部３２０−１Ｂと左右線対称に形成されており、辺部３２１ａ〜３２１ｉと、辺部３２１ｉから辺部３１４ｂまで形成された辺部３１４ｂに対して直角の辺部３２１ｔと、辺部３２１ａと辺部３２１ｔ間に形成され、辺部３１４ｂに沿った辺部３２１ｒとを有している。つまり、突状板部３２０−７Ｂは、突状板部３２０−２Ｂを辺部３２１ｔで切断した右側の領域と同様の構成であるといえる。
【０２１９】
なお、突状部３２０−７の展開状態においては、突状板部３２０−７Ａと突状板部３２０−７Ｂとは、突状板部３２０−７Ａと突状板部３２０−７Ｂ間の折れ線に沿った中心線を介して線対称に形成されている。
【０２２０】
また、突状板部３２０−１Ａ〜３２０−７Ａは、等間隔に配設されていて（つまり、隣接する突状板部間の間隔（例えば、辺部３２０ｂと辺部３２０ｐ間の間隔）は同一となっている）、突状板部３２０−１Ａ〜３２０−７Ａにおける隣接する突状板部の間には、同大同形状の切欠部３２０Ｗが設けられている。この切欠部３２０Ｗは、一対の幅狭部３２２Ａ間の幅広隙間部３２０ＷＡと、一対の幅広部３２２Ｂ間の幅狭隙間部３２０ＷＢとを有している。つまり、幅広隙間部３２０ＷＡは、辺部３２０ｂと辺部３２０ｐ間の隙間を有し、幅狭隙間部３２０ＷＢは、辺部３２０ｆと辺部３２０ｌ間の隙間を有している。
【０２２１】
また、突状板部３２０−１Ｂ〜３２０−７Ｂは、等間隔に配設されていて（つまり、隣接する突状板部間の間隔（例えば、辺部３２１ｂと辺部３２１ｐ間の間隔）は同一となっている）、突状板部３２０−１Ｂ〜３２０−７Ｂにおける隣接する突状板部の間には、同大同形状の切欠部３２１Ｗが設けられている。この切欠部３２１Ｗは、一対の幅狭部３２３Ａ間の幅広隙間部３２１ＷＡと、一対の幅広部３２３Ｂ間の幅狭隙間部３２１ＷＢとを有している。つまり、幅広隙間部３２１ＷＡは、辺部３２１ｂと辺部３２１ｐ間の隙間を有し、幅狭隙間部３２１ＷＢは、辺部３２１ｆと辺部３２１ｌ間の隙間を有している。
【０２２２】
さらに、突状部３２０−１〜３２０−７を二つ折りにした状態では、突状部３２０−１〜３２０−７における隣接する突状部間には、切欠部Ｗ１が形成され、この切欠部Ｗ１は、切欠部３２０Ｗと切欠部３２１Ｗが重なった状態で構成される。つまり、計６つの切欠部Ｗ１が設けられ、６つの切欠部Ｗ１は等間隔に設けられている。この切欠部Ｗ１は、切欠部３２０Ｗ、３２１Ｗと同様に、幅広隙間部Ｗ１Ａと幅狭隙間部Ｗ１Ｂとを有している。この幅広隙間部Ｗ１Ａにおいて、幅狭隙間部Ｗ１Ｂの左右方向の幅よりも左右方向に突出した部分の一方（突状部３２０−１側）が突状隙間部Ｗ１Ａ−１となり該突出した部分の他方（突状部３２０−７側）が突状隙間部Ｗ１Ａ−２となる。
【０２２３】
突状部３２０−１〜３２０−７における各突状部においては、一対の突状板部が二つ折りの状態となっているが、一対の突状板部の外周は一致（略一致としてもよい）した状態となっていて、各突状部は、突状板部と同様に、基端側の幅狭部（突状部基端部）３２０Ａと先端側の幅広部（突状部先端部）３２０Ｂとを有している。つまり、幅狭部３２０Ａは、幅狭部３２２Ａと幅狭部３２３Ａからなり、幅広部３２０Ｂは、幅広部３２２Ｂと幅広部３２３Ｂからなる。なお、当然、突状部３２０−１〜３２０−７は、等間隔に配設されている。
【０２２４】
また、幅広部３２０Ｂにおいては、折れ線Ｃ３２０に対して傾斜した辺部３２０ｋと辺部３２１ｋにより、幅広部３２０Ｂの先端側の一方の角部が面取りされているとともに、折れ線Ｃ３２０に対して傾斜した辺部３２０ｆと辺部３２１ｆにより、幅広部３２０Ｂの先端側の他方の角部が面取りされているので、突状部３２０−１〜３２０−７を商品に係止させる際に、幅広部３２０Ｂの先端側の角部が商品に接触して邪魔になることがない。
【０２２５】
なお、突状部３２０−１〜３２０−７における各突状部を構成する一対の突状板部は二つ折りの状態で接着されているが、突状部３２０−１〜３２０−７の全てにおいて接着しなくてもよく、例えば、突状部３２０−２、３２０−４、３２０−６又は突状部３２０−１、３２０−３、３２０−５、３２０−７というように一つおきに接着してもよく、また、少なくとも、突状部３２０−１〜３２０−７における少なくとも１つが接着されていればよい。１つの突状部について接着する場合には、突状部群における中央に位置する突状部３０−５について接着するのが好ましい。なお、突状部３２０−１〜３２０−７の全てにおいて接着しなくても、帯状部３１４が設けられているので、突状部３２０−１〜３２０−７を二つ折りの状態に保つことができる。
【０２２６】
また、突状部３２０−１〜３２０−７における突状板部３２０−１Ａ〜３２０−７Ａにおいて、辺部３２０ｄと辺部３２０ｎを省略して、辺部３２０ｃから辺部３２０ｅが連設され、辺部３２０ｍから辺部３２０ｏが連設された構成としてもよい。また、突状板部３２０−１Ｂ〜３２０−７Ｂにおいて、辺部３２１ｄと辺部３２１ｎを省略して、辺部３２１ｃから辺部３２１ｅが連設され、辺部３２１ｍから辺部３２１ｏが連設された構成としてもよい。
【０２２７】
また、帯状部（先端部）３１４は、細長長方形状を呈し、突状板部３２０−１Ｂ〜３２０−７Ｂ側の辺部３１４ｂと辺部３１４ｂとは反対側の辺部（先端辺）３１４ａとは平行（略平行としてもよい）に形成されている。帯状部３１４の幅（すなわち、辺部３１４ａと辺部３１４ｂ間の長さＬ３１４（つまり、辺部３１４ａと折れ線Ｃ３２２間の長さ））は、長さＬ３１２ｃよりも短く形成されていて、連結部３１２を罫線Ｃ３１２ｂを介して折り曲げるのに支障となることがない。
【０２２８】
なお、整列具３００の展開状態において、辺部３１４ａ、折れ線Ｃ３２２と、折れ線Ｃ３２０と、折れ線Ｃ３２１と、折れ線Ｃ２１０とは互いに平行に形成されている。
【０２２９】
また、包装箱２０５における各折れ線には、折れ線を介した折曲げを容易とするために罫線が形成されており、具体的には、包装箱２０５における内側の面側から押圧した押罫により罫線が形成されている。
【０２３０】
整列具３００は初期状態（つまり、使用前の状態）では、突状部３２０−１Ｂ〜３２０−７Ｂと帯状部３１４からなる領域が、折れ線Ｃ３２０を介して、突状部３２０−１Ａ〜３２０−７Ａに対して内側に折り返した状態となっていて、帯状部３１４は、連結部３１２と重なった状態となっている。つまり、連結部３１２と整列具３００とからなる領域は、二つ折りの状態となっていて、全体に扁平状であり、さらに、包装箱本体２０６の底面部２５０はワンタッチ底になっているので、包装箱本体２０６を扁平状に折り畳むことができ、全体に包装箱２０５を扁平状に畳んだ状態とすることができるので、保管や運搬に便利となる。
【０２３１】
また、包装箱２０５を組み立てるには、図３４に示す状態とし、底面部２５０の切欠部２５６Ａａと切欠部２５４Ａａを係合させることにより底面部２５０を組み立てて、スリーブ状部２０８における隣接する各部を直角（略直角としてもよい）として、包装箱本体２０６を組み立てる。
【０２３２】
上記構成の包装箱２０５の使用方法について説明すると、図３４に示す組立て状態の包装箱２０５に対して、商品４００を収納して、図３８に示す状態とする。商品４００は、実施例１における商品４００と同様の構成であり、縦板部４１１、４２１が正面部２１０の内側の面に対して直角となる向きで包装箱本体２０６内に収納する。なお、整列具３００には６つの切欠部Ｗ１が設けられているので、６つの商品４００が収納される。収納された６つの商品により商品列４００−１が形成されるが、商品列４００−１においては、商品の配列方向（Ｘ１−Ｘ２方向）には隣接する商品４００の間には隙間なく収納する。
【０２３３】
次に、折れ線Ｃ２１０と折れ線Ｃ３１２ａと折れ線Ｃ３１２ｂを整列具３００の外側の面（つまり、正面部２１０の外側の面から連なる面）から見て山折りとし、折れ線Ｃ３２１を整列具３００の外側の面から見て谷折りとし、折れ線Ｃ３２２を整列具３００の内側の面から見て山折りとする。なお、帯状部３１４は、領域３１２−３に沿った状態となるように、突状板部３２０−１Ｂ〜３２０−７Ｂに対して折り曲げた状態とする（つまり、正面部２１０の内側の面から連なる面から見て山折りとする）。
【０２３４】
その後、図３９に示すように、突状部３２０−１〜３２０−７を商品４００の上方に配置する。その際、商品４００の上端（縦板部４１１、４２１の上端）が切欠部Ｗ１の下方位置となるようにする。
【０２３５】
その後、図４０に示すように、領域３１２−３を指（具体的には、親指）で押さえながら、突状部３２０−１〜３２０−７を正面部２１０側に移動させていき、切欠部Ｗ１が商品４００の上端の端部にまで至ると、突状部３２０−１〜３２０−７が商品４００に係止する（つまり、縁部４１５、４２５と横板部４１３、４２３が切欠部Ｗ１の幅広隙間部Ｗ１Ａに入り込む）。以上のようにして、整列具３００を商品４００に取り付ける。その際、領域３１２−３は領域３１２−２に対して折れ曲がった状態であり、領域３１２−３は、図４０に示すように、斜め下方を向いた状態となっている。
【０２３６】
その後、領域３１２−２、３１２−３を正面部２１０側に押すことにより、突状部３２０−１〜３２０−７が商品４００に係止した状態で、突状部３２０−１〜３２０−７が下降していき、その後、領域３１２−１を正面部２１０側に押して領域３１２−１が正面部２１０に対して折り返した状態とすることにより、連結部３１２が、正面部２１０の内側の面に沿った状態で略平板状となり、図４１に示す状態となる。連結部３１２が略平板状となった状態では、突状部３２０−１〜３２０−７は領域３１２−３に対して略直角（直角としてもよい）の状態であり、帯状部３１４は突状板部３２０−１Ｂ〜３２０−７Ｂに対して折曲して領域３１２−３に沿った状態となっている。このようにして、整列具３００により商品４００が整列された状態となる。
【０２３７】
整列具３００により商品４００を整列させた状態では、突状部３２０−１〜３２０−７が商品４００に係止し（つまり、縁部４１５、４２５及び横板部４１３、４２３や縁部４１６、４２６及び横板部４１４、４２４が、突状部３２０−１〜３２０−７における隣接する２つの突状部が商品４００に係止する）、縁部４１５、４２５及び横板部４１３、４２３や縁部４１６、４２６及び横板部４１４、４２４が、幅広隙間部Ｗ１Ａに位置し、例えば、縁部４１５、４２５及び横板部４１３、４２３が突状部３２０−１〜３２０−７における隣接する２つの突状部に係止した状態では、縁部４１５、４２５及び横板部４１３、４２３が、切欠部Ｗ１の幅広隙間部Ｗ１Ａに位置し、縁部４１５及び横板部４１３が突状隙間部Ｗ１Ａ−１に入り込んだ状態となり、縁部４２５及び横板部４２３が凸状隙間部Ｗ１Ａ−２に入り込んだ状態となる。このようにして、商品４００が隣接する突状部間に係止するので、整列具３００により商品４００が保持され、商品４００が容易に移動することがない。
【０２３８】
特に、縁部と横板部が突状隙間部Ｗ１Ａ−１、Ｗ１Ａ−２に入り込んだ状態となるので、商品４００が横方向にずれることがなく（図４１では、Ｘ１−Ｘ２方向のみならずＹ１−Ｙ２方向にもずれることがない）、また、縁部４１５と縁部４２５間の長さや縁部４１６と縁部４２６間の長さは、下方にいくほど長くなるように形成されているので、商品４００が上方に浮き上がるのも防止することができる。以上のようにして、整列具３００により商品４００を十分保持することができる。
【０２３９】
商品４００は、Ｘ１−Ｘ２方向には、上端部の幅よりも下端部の幅が大きく形成されているため、商品４００の上側を突状部３２０−１〜３２０−７における２つの突状部で係止することができる。
【０２４０】
なお、整列具３００は、上記のように突状部３２０−１〜３２０−７により商品４００に係止した際に、縁部４１５、４２５及び横板部４１３、４２３や縁部４１６、４２６及び横板部４１４、４２４が、突状部３２０−１〜３２０−７における隣接する２つの突状部に係止するように、切欠部Ｗ１が形成されていて、特に、幅広隙間部Ｗ１Ａの位置や長さ（突状部３２０−１〜３２０−７の配列方向（図３４におけるＸ１−Ｘ方向）の長さ）が設定されている。
【０２４１】
以上のようにして、切欠部Ｗ１に商品４００の端部を配置することにより、突状部３２０−１〜３２０−７により商品４００が突状部３２０−１〜３２０−７の配設方向（Ｘ１−Ｘ２方向（辺部３１２ｂ、３１４ｂの方向としてもよい））に沿って整列した状態が保持される。
【０２４２】
整列具３００により商品４００を係止したら、横フラップ２６０、２６２を閉じた後に蓋部２７０を閉じて蓋フラップ２７２を連結部３１２の内側に差し込む。以上のようにして、商品４００が包装箱２０５に包装される。
【０２４３】
また、商品４００を包装箱２０５から取り出す場合には、整列具３００を上方に引き上げることにより突状部３２０−１〜３２０−７の商品４００への係止を解除させる。整列具３００を上方に引き上げるには、例えば、突部３１２−１ａに指を引っ掛けて突部３１２−１ａを上方に移動させることにより整列具３００が図４０に示す状態となり、突状部３２０−１〜３２０−７が縁部４１５、４２５と横板部４１３、４２３の上端近くまで移動するので、領域３１２−２の側方に指を引っ掛ける等して整列具３００をさらに上方に引き上げることにより、突状部３２０−１〜３２０−７の商品４００への係止が解除される。
【０２４４】
以上のように、本実施例の包装箱２０５によれば、商品４００の端部を切欠部Ｗ１内に配置して突状部３２０−１〜３２０−７を商品４００に係止させることにより商品４００を整列させるので、商品４００を図３３におけるＸ１−Ｘ２方向に隙間なく収納することができ、Ｘ１−Ｘ２方向における収納空間を小さくすることができ、商品の該一方の方向（Ｘ１−Ｘ２方向）の幅が商品の上端部分よりも下端部分が大きい場合に、該一方の方向における収納空間を小さくすることができる。
【０２４５】
また、図４１に示すように、商品４００の上方が整列具３００により覆われることがないので、整列具３００により商品４００を整列させた際には、商品４００が整列具３００により整列されている状態を目視により確認することができ、突状部３２０−１〜３２０−７の商品４００への係止の状態も目視により確認することができる。つまり、整列具３００が商品４００の上方を覆うことがないので、商品４００が整列具３００により整列されている状態を目視により確認することができる。
【０２４６】
なお、突状部群には７つの突状部（つまり、突状部３２０−１〜３２０−７）が設けられているとしたが、突状部群に少なくとも３つの突状部が設けられ、突状部群において、少なくとも２つの切欠部Ｗ１が設けられる構成であればよい。
【０２４７】
なお、整列具３００において、実施例１の図１２の場合と同様に、折れ線を介した折曲が容易となるように、折れ線に沿って切込みを形成してもよい。つまり、折れ線Ｃ２１０、Ｃ３１２ａ、Ｃ３１２ｂ、Ｃ３２１、Ｃ３２０、Ｃ３２２に沿って切込みを形成した構成としてもよい。
【０２４８】
なお、上記の説明では、整列具３００には、帯状部３１４が設けられるとしたが、帯状部３１４の構成を省略してもよい。その場合には、突状部３２０−１〜３２０−７における全ての各突状部を構成する一対の突状板部は二つ折りの状態で接着された構成となる。
【符号の説明】
【０２４９】
５、１０５、３００  整列具
１０、１１０  本体部
２０−１〜２０−９、３０−１〜３０−９、１２０−１〜１２０−７、３２０−１〜３２０−７  突状部
２０−１Ａ〜２０−９Ａ、２０−１Ｂ〜２０−９Ｂ、３０−１Ａ〜３０−９Ａ、３０−１Ｂ〜３０−９Ｂ、１２０−１Ａ〜１２０−７Ａ、１２０−１Ｂ〜１２０−７Ｂ、３２０−１Ａ〜３２０−７Ａ、３２０−１Ｂ〜３２０−７Ｂ  突状板部
１２、１６、１１２  上板部
１４、１８、１１４  下板部
１９  糊代部
２０Ａ、２２Ａ、２３Ａ、３０Ａ、３２Ａ、３３Ａ、１２０Ａ、１２２Ａ、１２３Ａ、３２０Ａ、３２２Ａ、３２３Ａ  幅狭部
２０Ｂ、２２Ｂ、２３Ｂ、３０Ｂ、３２Ｂ、３３Ｂ、１２０Ｂ、１２２Ｂ、１２３Ｂ、３２０Ｂ、３２２Ｂ、３２３Ｂ  幅広部
Ｗ１、Ｗ２、２０Ｗ、２１Ｗ、３０Ｗ、３１Ｗ、１２０Ｗ、１２１Ｗ、３２０Ｗ、３２１Ｗ  切欠部
２０ＷＡ、２１ＷＡ、３０ＷＡ、３１ＷＡ、１２０ＷＡ、３２０ＷＡ、３２１ＷＡ、Ｗ１Ａ、Ｗ２Ａ  幅広隙間部
２０ＷＢ、２１ＷＢ、３０ＷＢ、３１ＷＢ、１２０ＷＢ、３２０ＷＢ、３２１ＷＢ、Ｗ１Ｂ、Ｗ２Ｂ  幅狭隙間部
２２Ｂ−１、２２Ｂ−２、２３Ｂ−１、２３Ｂ−２、３２Ｂ−１、３２Ｂ−２、３３Ｂ−１、３３Ｂ−２  突出部
５０、２０５  包装箱
２０６  包装箱本体
２０７  スリーブ状部
２５０  底面部
２７０  蓋部
２７２  蓋フラップ
３１２  連結部
３１４  帯状部
４００  商品
４０１  パッケージ
４０５  本体部
４１０、４２０  半体部
４１１、４２１  縦板部
４１３、４１４、４２３、４２４  横板部
４１５、４１６、４２５、４２６  縁部
４１８、４２８  膨出部
４３０  底面部
Ｗ１、Ｗ２  切欠部
Ｗ１Ａ−１、Ｗ１Ａ−２、Ｗ２Ａ−１、Ｗ２Ａ−２  突状隙間部
【図１】
2018184179.tif 000003
【図２】
2018184179.tif 000004
【図３】
2018184179.tif 000005
【図４】
2018184179.tif 000006
【図５】
2018184179.tif 000007
【図６】
2018184179.tif 000008
【図７】
2018184179.tif 000009
【図８】
2018184179.tif 000010
【図９】
2018184179.tif 000011
【図１０】
2018184179.tif 000012
【図１１】
2018184179.tif 000013
【図１２】
2018184179.tif 000014
【図１３】
2018184179.tif 000015
【図１４】
2018184179.tif 000016
【図１５】
2018184179.tif 000017
【図１６】
2018184179.tif 000018
【図１７】
2018184179.tif 000019
【図１８】
2018184179.tif 000020
【図１９】
2018184179.tif 000021
【図２０】
2018184179.tif 000022
【図２１】
2018184179.tif 000023
【図２２】
2018184179.tif 000024
【図２３】
2018184179.tif 000025
【図２４】
2018184179.tif 000026
【図２５】
2018184179.tif 000027
【図２６】
2018184179.tif 000028
【図２７】
2018184179.tif 000029
【図２８】
2018184179.tif 000030
【図２９】
2018184179.tif 000031
【図３０】
2018184179.tif 000032
【図３１】
2018184179.tif 000033
【図３２】
2018184179.tif 000034
【図３３】
2018184179.tif 000035
【図３４】
2018184179.tif 000036
【図３５】
2018184179.tif 000037
【図３６】
2018184179.tif 000038
【図３７】
2018184179.tif 000039
【図３８】
2018184179.tif 000040
【図３９】
2018184179.tif 000041
【図４０】
2018184179.tif 000042
【図４１】
2018184179.tif 000043
【図４２】
2018184179.tif 000044